(57)【要約】【課題】ＰＳＴＮで実現していたＩＳＤＮサービスをＩＰ網で実現する。【解決手段】ＩＳＤＮサービスを実現するＩＰ網１０は、ＰＳＴＮ２０で用いられていたＩＳＤＮ端末６（６ａ，６ｂ）の電気インタフェースはそのままとし、dss1-ip変換部１１によってＩＳＤＮ端末６の電気インタフェースをＩＰに変換するＩＰ変換装置１、ＩＰ変換装置１を収容して呼接続部２１によって呼接続処理を実行する加入者サーバ２、および加入者サーバ２間の通信を中継する中継サーバ３によって構成される。ただし、すべての通信が中継サーバ３を経由することはなく、加入者サーバ２間で直接通信が行われても構わない。また、ＩＰ網１０に接続されているＩＳＤＮ端末６とＰＳＴＮ２０に接続されているＩＳＤＮ端末６とが通信を行う場合には、ＰＳＴＮ−ＧＷ（ＰＳＴＮゲートウェイ）５のisup-ip変換部５１においてプロトコル変換される。【選択図】図１
2011249888.tif 000002
【特許請求の範囲】
【請求項１】
第１のＩＳＤＮ（Integrated Services Digital Network）端末と第２のＩＳＤＮ端末との間を接続するＩＰ網によって構成されたＩＳＤＮサービス提供システムにおいて用いられるＩＰ（Internet Protocol）網におけるＩＳＤＮサービス提供方法であって、
前記ＩＳＤＮサービス提供システムは、
前記ＩＳＤＮ端末を収容して、前記ＩＳＤＮ端末で用いられる方式で送受信される情報とＩＰ網で用いられる信号方式で送受信される情報とを相互にプロコル変換して、前記情報を格納した信号を伝達するＩＰ変換装置と、
前記ＩＰ網のパス情報を記憶し、前記ＩＰ変換装置を収容して、前記ＩＰ変換装置から前記ＩＰ網内に送信される信号に格納されている接続先情報に基づいて、前記パス情報を参照して、当該接続先情報に記載されている接続先へ、前記信号を送信する加入者サーバと、
を備え、
前記第１のＩＳＤＮ端末と前記第２のＩＳＤＮ端末とを接続する場合、
前記第１のＩＳＤＮ端末が送出した呼設定信号を、前記ＩＰ変換装置および前記加入者サーバを介して、接続先の前記第２のＩＳＤＮ端末へ伝達する呼設定ステップ、
前記第２のＩＳＤＮ端末が、前記呼設定信号を受信して、その呼設定信号に対する応答として応答信号を送出し、前記ＩＰ変換装置および前記加入者サーバを介して、前記第１のＩＳＤＮ端末へ伝達する呼設定応答ステップ、
を実行し、
前記接続を切断する場合、
前記第１のＩＳＤＮ端末が送出した切断信号を、前記ＩＰ変換装置および前記加入者サーバを介して、接続先の前記第２のＩＳＤＮ端末へ伝達する切断ステップ、
前記第２のＩＳＤＮ端末が、前記切断信号を受信して、その切断信号に対する応答として切断応答信号を送出し、前記ＩＰ変換装置および前記加入者サーバを介して、前記第１のＩＳＤＮ端末へ伝達する切断応答ステップ、
を実行することを特徴とするＩＰ網におけるＩＳＤＮサービス提供方法。
【請求項２】
第１のＩＳＤＮ端末と第２のＩＳＤＮ端末との間を接続するＩＰ網によって構成されたＩＳＤＮサービス提供システムにおいて用いられるＩＰ網におけるＩＳＤＮサービス提供方法であって、
前記ＩＳＤＮサービス提供システムは、
前記ＩＳＤＮ端末を収容して、前記ＩＳＤＮ端末で用いられる方式で送受信される情報とＩＰ網で用いられる信号方式で送受信される情報とを相互にプロコル変換して、前記情報を格納した信号を伝達するＩＰ変換装置と、
前記ＩＰ網のパス情報を記憶し、前記ＩＰ変換装置を収容して、前記ＩＰ変換装置から前記ＩＰ網内に送信される信号に格納されている接続先情報に基づいて、前記パス情報を参照して、当該接続先情報に記載されている接続先へ、前記信号を送信する加入者サーバと、
を備え、
前記第１のＩＳＤＮ端末と前記第２のＩＳＤＮ端末とを接続する場合、
前記第１のＩＳＤＮ端末が送出した呼設定信号を、前記ＩＰ変換装置および前記加入者サーバを介して、接続先の前記第２のＩＳＤＮ端末へ伝達する呼設定ステップ、
前記第２のＩＳＤＮ端末が、前記呼設定信号を受信して、その呼設定信号に対する応答として応答信号を送出し、前記ＩＰ変換装置および前記加入者サーバを介して、前記第１のＩＳＤＮ端末へ伝達する呼設定応答ステップ、
を実行し、
前記接続を切断する場合、
前記第２のＩＳＤＮ端末が送出した切断信号を、前記ＩＰ変換装置および前記加入者サーバを介して、接続先の前記第１のＩＳＤＮ端末へ伝達する切断ステップ、
前記第１のＩＳＤＮ端末が、前記切断信号を受信して、その切断信号に対する応答として切断応答信号を送出し、前記ＩＰ変換装置および前記加入者サーバを介して、前記第２のＩＳＤＮ端末へ伝達する切断応答ステップ、
を実行することを特徴とするＩＰ網におけるＩＳＤＮサービス提供方法。
【請求項３】
第１のＩＳＤＮ端末を収容し、前記第１のＩＳＤＮ端末とＰＳＴＮの第３のＩＳＤＮ端末との間を接続する、ＩＰ網によって構成されたＩＳＤＮサービス提供システムにおいて用いられるＩＰ網におけるＩＳＤＮサービス提供方法であって、
前記ＩＳＤＮサービス提供システムは、
さらに、前記ＩＰ網で用いられる信号方式で送受信される情報と、前記ＰＳＴＮで用いられるｉｓｕｐ（ＩＳＤＮ user part）方式で送受信される情報とを相互にプロコル変換して、前記情報を格納した信号を伝達するＰＳＴＮ−ＧＷを備え、
前記第１のＩＳＤＮ端末と前記第３のＩＳＤＮ端末とを接続する場合、
前記第１のＩＳＤＮ端末が送出した呼設定信号を、前記ＩＰ変換装置、前記加入者サーバ、および前記ＰＳＴＮ−ＧＷを介して、接続先の前記第３のＩＳＤＮ端末へ伝達する呼設定ステップ、
前記第３のＩＳＤＮ端末が、前記呼設定信号を受信して、その呼設定信号に対する応答として応答信号を送出し、前記ＰＳＴＮ−ＧＷ、前記加入者サーバ、および前記ＩＰ変換装置を介して、前記第１のＩＳＤＮ端末へ伝達する呼設定応答ステップ、
を実行し、
前記接続を切断する場合、
前記第１のＩＳＤＮ端末が送出した切断信号を、前記ＩＰ変換装置、前記加入者サーバ、および前記ＰＳＴＮ−ＧＷを介して、接続先の前記第３のＩＳＤＮ端末へ伝達する切断ステップ、
前記第３のＩＳＤＮ端末が、前記切断信号を受信して、その切断信号に対する応答として切断応答信号を送出し、前記ＰＳＴＮ−ＧＷ、前記加入者サーバ、および前記ＩＰ変換装置を介して、前記第１のＩＳＤＮ端末へ伝達する切断応答ステップ、
を実行することを特徴とするＩＰ網におけるＩＳＤＮサービス提供方法。
【請求項４】
第１のＩＳＤＮ端末を収容し、前記第１のＩＳＤＮ端末とＰＳＴＮの第３のＩＳＤＮ端末との間を接続する、ＩＰ網によって構成されたＩＳＤＮサービス提供システムにおいて用いられるＩＰ網におけるＩＳＤＮサービス提供方法であって、
前記ＩＳＤＮサービス提供システムは、
さらに、前記ＩＰ網で用いられる信号方式で送受信される情報と、前記ＰＳＴＮで用いられるｉｓｕｐ方式で送受信される情報とを相互にプロコル変換して、前記情報を格納した信号を伝達するＰＳＴＮ−ＧＷを備え、
前記第１のＩＳＤＮ端末と前記第３のＩＳＤＮ端末とを接続する場合、
前記第１のＩＳＤＮ端末が送出した呼設定信号を、前記ＩＰ変換装置、前記加入者サーバ、および前記ＰＳＴＮ−ＧＷを介して、接続先の前記第３のＩＳＤＮ端末へ伝達する呼設定ステップ、
前記第３のＩＳＤＮ端末が、前記呼設定信号を受信して、その呼設定信号に対する応答として応答信号を送出し、前記ＰＳＴＮ−ＧＷ、前記加入者サーバ、および前記ＩＰ変換装置を介して、前記第１のＩＳＤＮ端末へ伝達する呼設定応答ステップ、
を実行し、
前記接続を切断する場合、
前記第３のＩＳＤＮ端末が送出した切断信号を、前記ＰＳＴＮ−ＧＷ、前記加入者サーバ、および前記ＩＰ変換装置を介して、接続先の前記第１のＩＳＤＮ端末へ伝達する切断ステップ、
前記第１のＩＳＤＮ端末が、前記切断信号を受信して、その切断信号に対する応答として切断応答信号を送出し、前記ＩＰ変換装置、前記加入者サーバ、および前記ＰＳＴＮ−ＧＷを介して、前記第３のＩＳＤＮ端末へ伝達する切断応答ステップ、
を実行することを特徴とするＩＰ網におけるＩＳＤＮサービス提供方法。
【請求項５】
前記ＩＰ変換装置は、
さらに、前記ＩＳＤＮ端末の識別情報と、前記ＩＳＤＮ端末の発信者番号を接続先へ通知するか否かを示す通知決定情報と、を関連付けて記憶している登録情報を参照して、前記発信者番号を接続先へ通知するか否か判定する発ＩＤ通知決定部、を備え、
前記呼設定信号を受信したときに、前記発ＩＤ通知決定部によって、前記発信者番号を接続先へ通知すると判定された場合、前記呼設定信号に発信者番号を付加するステップ
を実行することを特徴とする請求項１ないし請求項４のいずれか一項に記載のＩＰ網におけるＩＳＤＮサービス提供方法。
【請求項６】
前記加入者サーバは、
さらに、前記ＩＳＤＮ端末の識別情報と、前記ＩＳＤＮ端末の発信者番号を接続先へ通知するか否かを示す通知決定情報と、を関連付けて記憶している登録情報を参照して、前記発信者番号を接続先へ通知するか否か判定する発ＩＤ通知決定部、を備え、
前記呼設定信号を受信したときに、前記発ＩＤ通知決定部によって、前記発信者番号を接続先へ通知すると判定された場合、前記呼設定信号に発信者番号を付加するステップ
を実行することを特徴とする請求項１ないし請求項４のいずれか一項に記載のＩＰ網におけるＩＳＤＮサービス提供方法。
【請求項７】
前記ＩＳＤＮサービス提供システムは、
さらに、前記加入者サーバに接続され、前記ＩＳＤＮ端末の識別情報と、前記ＩＳＤＮ端末の発信者番号を接続先へ通知するか否かを示す通知決定情報と、を関連付けて記憶している登録情報を参照して、前記発信者番号を接続先へ通知するか否か判定する発ＩＤ通知決定部を備えたアプリケーションサーバ、を備え、
前記加入者サーバは、
受信した前記呼設定信号を前記アプリケーションサーバへ送信するステップ
を実行し、
前記アプリケーションサーバは、
前記呼設定信号を受信したときに、前記発ＩＤ通知決定部によって、前記発信者番号を接続先へ通知すると判定された場合、前記呼設定信号に発信者番号を付加し、その発信者番号を付加した呼設定信号を当該加入者サーバに送信するステップ
を実行することを特徴とする請求項１ないし請求項４のいずれか一項に記載のＩＰ網におけるＩＳＤＮサービス提供方法。
【請求項８】
前記ＩＰ変換装置は、さらに、前記ＩＳＤＮ端末の識別情報と、前記接続に対する料金を通知するか否かを示す通知決定情報と、を関連付けて記憶している登録情報を参照して、前記料金を通知するか否か判定する料金即知判定部、を備え、
前記加入者サーバは、さらに、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部、を備え、
前記加入者サーバは、
前記切断応答信号を受信したときに、前記料金通知部によって算出された前記料金を料金情報として当該切断応答信号に付加して、前記ＩＰ変換装置に送信するステップ
を実行し、
前記ＩＰ変換装置は、
前記料金情報を付加された前記切断応答信号を受信したときに、前記料金即知判定部によって、前記料金を通知すると判定された場合、前記料金情報を付加された信号を前記第１のＩＳＤＮ端末に送信するステップ
を実行することを特徴とする請求項１または請求項３に記載のＩＰ網におけるＩＳＤＮサービス提供方法。
【請求項９】
前記ＩＰ変換装置は、さらに、前記ＩＳＤＮ端末の識別情報と、前記接続に対する料金を通知するか否かを示す通知決定情報と、を関連付けて記憶している登録情報を参照して、前記料金を通知するか否か判定する料金即知判定部、を備え、
前記加入者サーバは、さらに、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部、を備え、
前記加入者サーバは、
前記切断信号を受信したときに、前記料金通知部によって算出された前記料金を料金情報として当該切断信号に付加して、前記ＩＰ変換装置に送信するステップ
を実行し、
前記ＩＰ変換装置は、
前記料金情報を付加された前記切断信号を受信したときに、前記料金即知判定部によって、前記料金を通知すると判定された場合、前記料金情報を付加された信号を前記第１のＩＳＤＮ端末に送信するステップ
を実行することを特徴とする請求項２または請求項４に記載のＩＰ網におけるＩＳＤＮサービス提供方法。
【請求項１０】
前記加入者サーバは、さらに、前記ＩＳＤＮ端末の識別情報と、前記接続に対する料金を通知するか否かを示す通知決定情報と、を関連付けて記憶している登録情報を参照して、前記料金を通知するか否か判定する料金即知判定部と、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部と、を備え、
前記加入者サーバは、
前記切断応答信号を受信したときに、前記料金即知判定部によって、前記料金を通知すると判定された場合、前記料金通知部によって算出された前記料金を、当該切断応答信号に付加して、前記ＩＰ変換装置に送信するステップ
を実行することを特徴とする請求項１または請求項３に記載のＩＰ網におけるＩＳＤＮサービス提供方法。
【請求項１１】
前記加入者サーバは、さらに、前記ＩＳＤＮ端末の識別情報と、前記接続に対する料金を通知するか否かを示す通知決定情報と、を関連付けて記憶している登録情報を参照して、前記料金を通知するか否か判定する料金即知判定部と、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部と、を備え、
前記加入者サーバは、
前記切断信号を受信したときに、前記料金即知判定部によって、前記料金を通知すると判定された場合、前記料金通知部によって算出された前記料金を、当該切断信号に付加して、前記ＩＰ変換装置に送信するステップ
を実行することを特徴とする請求項２または請求項４に記載のＩＰ網におけるＩＳＤＮサービス提供方法。
【請求項１２】
前記ＩＳＤＮサービス提供システムは、
さらに、前記加入者サーバに接続され、前記ＩＳＤＮ端末の識別情報と、前記接続に対する料金を通知するか否かを示す通知決定情報と、を関連付けて記憶している登録情報を参照して、前記料金を通知するか否か判定する料金即知判定部を備えたアプリケーションサーバ、を備え、
前記加入者サーバは、さらに、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部、を備え、
前記加入者サーバは、
前記切断応答信号を受信したときに、前記料金通知部によって算出された前記料金を料金情報として当該切断応答信号に付加して、前記アプリケーションサーバに送信するステップ
を実行し、
前記アプリケーションサーバは、
前記料金情報を付加した切断応答信号を受信したとき、前記料金即知判定部によって、前記料金を通知すると判定された場合、前記料金情報を付加した切断応答信号を当該加入者サーバに送信するステップ
を実行することを特徴とする請求項１または請求項３に記載のＩＰ網におけるＩＳＤＮサービス提供方法。
【請求項１３】
前記ＩＳＤＮサービス提供システムは、
さらに、前記加入者サーバに接続され、前記ＩＳＤＮ端末の識別情報と、前記接続に対する料金を通知するか否かを示す通知決定情報と、を関連付けて記憶している登録情報を参照して、前記料金を通知するか否か判定する料金即知判定部を備えたアプリケーションサーバ、を備え、
前記加入者サーバは、さらに、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部、を備え、
前記加入者サーバは、
前記切断信号を受信したときに、前記料金通知部によって算出された前記料金を料金情報として当該切断信号に付加して、前記アプリケーションサーバに送信するステップ
を実行し、
前記アプリケーションサーバは、
前記料金情報を付加した切断信号を受信したときに、前記料金即知判定部によって、前記料金を通知すると判定された場合、前記料金情報を付加した切断信号を当該加入者サーバに送信するステップ
を実行することを特徴とする請求項２または請求項４に記載のＩＰ網におけるＩＳＤＮサービス提供方法。
【請求項１４】
前記ＩＳＤＮサービス提供システムは、
さらに、前記加入者サーバに接続され、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部を備えたアプリケーションサーバ、を備え、
前記ＩＰ変換装置は、さらに、前記ＩＳＤＮ端末の識別情報と、前記接続に対する料金を通知するか否かを示す通知決定情報と、を関連付けて記憶している登録情報を参照して、前記料金を通知するか否か判定する料金即知判定部、を備え、
前記加入者サーバは、
前記切断応答信号を受信したときに、当該切断応答信号を前記アプリケーションサーバに送信するステップ
を実行し、
前記アプリケーションサーバは、
前記料金通知部によって算出された前記料金を料金情報として、受信した前記切断応答信号に付加して、当該加入者サーバに送信するステップ
を実行し、
前記ＩＰ変換装置は、
前記料金情報を付加した切断応答信号を受信したときに、前記料金即知判定部によって、前記料金を通知すると判定された場合、前記料金情報を付加した信号を前記ＩＳＤＮ端末に送信するステップ
を実行することを特徴とする請求項１または請求項３に記載のＩＰ網におけるＩＳＤＮサービス提供方法。
【請求項１５】
前記ＩＳＤＮサービス提供システムは、
さらに、前記加入者サーバに接続され、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部を備えたアプリケーションサーバ、を備え、
前記ＩＰ変換装置は、さらに、前記ＩＳＤＮ端末の識別情報と、前記接続に対する料金を通知するか否かを示す通知決定情報と、を関連付けて記憶している登録情報を参照して、前記料金を通知するか否か判定する料金即知判定部、を備え、
前記加入者サーバは、
前記切断信号を受信したときに、当該切断信号を前記アプリケーションサーバに送信するステップ
を実行し、
前記アプリケーションサーバは、
前記料金通知部によって算出された前記料金を料金情報として、受信した前記切断信号に付加して、当該加入者サーバに送信するステップ
を実行し、
前記ＩＰ変換装置は、
前記料金情報を付加した切断信号を受信したときに、前記料金即知判定部によって、前記料金を通知すると判定された場合、前記料金情報を付加した信号を前記ＩＳＤＮ端末に送信するステップ
を実行することを特徴とする請求項２または請求項４に記載のＩＰ網におけるＩＳＤＮサービス提供方法。
【請求項１６】
前記ＩＳＤＮサービス提供システムは、
さらに、前記加入者サーバに接続され、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部を備えたアプリケーションサーバ、を備え、
前記加入者サーバは、さらに、前記ＩＳＤＮ端末の識別情報と、前記接続に対する料金を通知するか否かを示す通知決定情報と、を関連付けて記憶している登録情報を参照して、前記料金を通知するか否か判定する料金即知判定部、を備え、
前記加入者サーバは、
前記切断応答信号を受信したときに、前記料金即知判定部によって、前記料金を通知すると判定した場合、その判定結果を当該切断応答信号に付加して前記アプリケーションサーバに送信するステップ
を実行し、
前記アプリケーションサーバは、
前記判定結果が前記料金を通知するという判定であった場合、前記料金通知部によって料金を算出し、その算出された前記料金を、受信した前記切断応答信号に付加して、当該加入者サーバに送信するステップ
を実行することを特徴とする請求項１または請求項３に記載のＩＰ網におけるＩＳＤＮサービス提供方法。
【請求項１７】
前記ＩＳＤＮサービス提供システムは、
さらに、前記加入者サーバに接続され、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部を備えたアプリケーションサーバ、を備え、
前記加入者サーバは、さらに、前記ＩＳＤＮ端末の識別情報と、前記接続に対する料金を通知するか否かを示す通知決定情報と、を関連付けて記憶している登録情報を参照して、前記料金を通知するか否か判定する料金即知判定部、を備え、
前記加入者サーバは、
前記切断信号を受信したときに、前記料金即知判定部によって、前記料金を通知すると判定した場合、その判定結果を当該切断信号に付加して前記アプリケーションサーバに送信するステップ
を実行し、
前記アプリケーションサーバは、
前記判定結果が前記料金を通知するという判定であった場合、前記料金通知部によって料金を算出し、その算出された前記料金を、受信した前記切断信号に付加して、当該加入者サーバに送信するステップ
を実行することを特徴とする請求項２または請求項４に記載のＩＰ網におけるＩＳＤＮサービス提供方法。
【請求項１８】
前記ＩＳＤＮサービス提供システムは、
さらに、前記加入者サーバに接続され、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部と、前記ＩＳＤＮ端末の識別情報と、前記接続に対する料金を通知するか否かを示す通知決定情報と、を関連付けて記憶している登録情報を参照して、前記料金を通知するか否か判定する料金即知判定部と、を備えたアプリケーションサーバ、を備え、
前記加入者サーバは、
受信した前記切断応答信号を前記アプリケーションサーバに送信するステップ
を実行し、
前記アプリケーションサーバは、
前記切断応答信号を受信したときに、前記料金即知判定部によって、前記料金を通知すると判定された場合、前記料金通知部によって算出された前記料金を料金情報として、当該切断応答信号に付加して、前記加入者サーバに送信するステップ
を実行することを特徴とする請求項１または請求項３に記載のＩＰ網におけるＩＳＤＮサービス提供方法。
【請求項１９】
前記ＩＳＤＮサービス提供システムは、
さらに、前記加入者サーバに接続され、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部と、前記ＩＳＤＮ端末の識別情報と、前記接続に対する料金を通知するか否かを示す通知決定情報と、を関連付けて記憶している登録情報を参照して、前記料金を通知するか否か判定する料金即知判定部と、を備えたアプリケーションサーバ、を備え、
前記加入者サーバは、
受信した前記切断信号を前記アプリケーションサーバに送信するステップ
を実行し、
前記アプリケーションサーバは、
前記切断信号を受信したときに、前記料金即知判定部によって、前記料金を通知すると判定された場合、前記料金通知部によって算出された前記料金を料金情報として、当該切断信号に付加して、前記加入者サーバに送信するステップ
を実行することを特徴とする請求項２または請求項４に記載のＩＰ網におけるＩＳＤＮサービス提供方法。
【請求項２０】
前記ＩＰ変換装置は、さらに、前記ＩＳＤＮ端末の識別情報と、接続先の前記ＩＳＤＮ端末に付されたサブアドレスに着信することを許可するか否かを示す許可情報と、を関連付けて記憶している登録情報を参照して、前記サブアドレスへ着信許可するか否か判定するサブアドレス通知判定部と、前記サブアドレスと前記ＩＳＤＮ端末とを関連付けて記憶しているサブアドレス情報を参照して、当該サブアドレスに関連付けられた前記ＩＳＤＮ端末に送信元から送出された情報を格納した信号を伝達する着信部と、を備え、
前記第１のＩＳＤＮ端末を収容している前記ＩＰ変換装置は、
前記サブアドレスが付加された前記呼設定信号を受信して、前記サブアドレス通知判定部によって、前記サブアドレスへ着信許可すると判定された場合、前記サブアドレスを付加した呼設定信号を前記加入者サーバに送信するステップ
を実行し、
接続先の前記第２のＩＳＤＮ端末を収容している前記ＩＰ変換装置は、
前記サブアドレスを付加した呼設定信号を受信し、前記着信部によって、当該サブアドレスに関連付けられた前記ＩＳＤＮ端末に、前記呼設定信号を送信するステップ
を実行することを特徴とする請求項１または請求項２に記載のＩＰ網におけるＩＳＤＮサービス提供方法。
【請求項２１】
前記加入者サーバは、さらに、前記ＩＳＤＮ端末の識別情報と、接続先の前記ＩＳＤＮ端末に付されたサブアドレスに着信することを許可するか否かを示す許可情報と、を関連付けて記憶している登録情報を参照して、前記サブアドレスへ着信許可するか否か判定するサブアドレス通知判定部、を備え、
前記ＩＰ変換装置は、さらに、前記サブアドレスと前記ＩＳＤＮ端末とを関連付けて記憶しているサブアドレス情報を参照して、当該サブアドレスに関連付けられた前記ＩＳＤＮ端末に送信元から送出された情報を格納した信号を伝達する着信部、を備え、
前記加入者サーバは、
前記呼設定信号を受信して、前記サブアドレス通知判定部によって、前記サブアドレスへ着信許可すると判定された場合、前記サブアドレスを付加した呼設定信号を接続先に送信するステップ
を実行し、
前記ＩＰ変換装置は、
前記サブアドレスを付加した呼設定信号を受信して、前記着信部によって、受信した呼設定信号に付加された前記サブアドレスに関連付けられた前記ＩＳＤＮ端末に、前記呼設定信号を送信するステップ
を実行することを特徴とする請求項１または請求項２に記載のＩＰ網におけるＩＳＤＮサービス提供方法。
【請求項２２】
前記ＩＳＤＮサービス提供システムは、
さらに、前記加入者サーバに接続され、前記ＩＳＤＮ端末の識別情報と、接続先の前記ＩＳＤＮ端末に付されたサブアドレスに着信することを許可するか否かを示す許可情報と、を関連付けて記憶している登録情報を参照して、前記サブアドレスへ着信許可するか否か判定するサブアドレス通知判定部、を備えたアプリケーションサーバ、を備え、
前記ＩＰ変換装置は、さらに、前記サブアドレスと前記ＩＳＤＮ端末とを関連付けて記憶しているサブアドレス情報を参照して、当該サブアドレスに関連付けられた前記ＩＳＤＮ端末に送信元から送出された情報を格納した信号を伝達する着信部、を備え、
前記加入者サーバは、
受信した前記呼設定信号をアプリケーションサーバへ送信するステップ
を実行し、
前記アプリケーションサーバは、
前記呼設定信号を受信して、前記サブアドレス通知判定部によって、前記サブアドレスへ着信許可すると判定された場合、前記サブアドレスを付加した呼設定信号を、当該加入者サーバへ送信するステップ
を実行し、
前記ＩＰ変換装置は、
前記サブアドレスを付加した呼設定信号を受信して、前記着信部によって、受信した呼設定信号に付加された前記サブアドレスに関連付けられた前記ＩＳＤＮ端末に、前記呼設定信号を送信するステップ
を実行することを特徴とする請求項１または請求項２に記載のＩＰ網におけるＩＳＤＮサービス提供方法。
【請求項２３】
前記ＩＰ変換装置は、さらに、前記ＩＳＤＮ端末の識別情報と、接続先の前記ＩＳＤＮ端末に付されたサブアドレスに着信することを許可するか否かを示す許可情報と、を関連付けて記憶している登録情報を参照して、前記サブアドレスへ着信許可するか否か判定するサブアドレス通知判定部、を備え、
前記ＩＰ変換装置は、
前記呼設定信号を受信して、前記サブアドレス通知判定部によって、前記サブアドレスへ着信許可すると判定された場合、前記サブアドレスを付加した呼設定信号を、前記ＰＳＴＮ−ＧＷを経由して、接続先に送信するステップ、
を実行することを特徴とする請求項３または請求項４に記載のＩＰ網におけるＩＳＤＮサービス提供方法。
【請求項２４】
前記加入者サーバは、さらに、前記ＩＳＤＮ端末の識別情報と、接続先の前記ＩＳＤＮ端末に付されたサブアドレスに着信することを許可するか否かを示す許可情報と、を関連付けて記憶している登録情報を参照して、前記サブアドレスへ着信許可するか否か判定するサブアドレス通知判定部、を備え、
前記加入者サーバは、
前記呼設定信号を受信して、前記サブアドレス通知判定部によって、前記サブアドレスへ着信許可すると判定された場合、前記サブアドレスを付加した呼設定信号を、前記ＰＳＴＮ−ＧＷを経由して、接続先に送信するステップ、
を実行することを特徴とする請求項３または請求項４に記載のＩＰ網におけるＩＳＤＮサービス提供方法。
【請求項２５】
前記ＩＳＤＮサービス提供システムは、
さらに、前記加入者サーバに接続され、前記ＩＳＤＮ端末の識別情報と、接続先の前記ＩＳＤＮ端末に付されたサブアドレスに着信することを許可するか否かを示す許可情報と、を関連付けて記憶している登録情報を参照して、前記サブアドレスへ着信許可するか否か判定するサブアドレス通知判定部、を備えたアプリケーションサーバ、を備え、
前記加入者サーバは、
受信した前記呼設定信号をアプリケーションサーバへ送信するステップ
を実行し、
前記アプリケーションサーバは、
前記呼設定信号を受信して、前記サブアドレス通知判定部によって、前記サブアドレスへ着信許可すると判定された場合、前記サブアドレスを付加した呼設定信号を、当該加入者サーバおよび前記ＰＳＴＮ−ＧＷを経由して、接続先に送信するステップ
を実行することを特徴とする請求項３または請求項４に記載のＩＰ網におけるＩＳＤＮサービス提供方法。
【請求項２６】
前記ＩＰ変換装置は、さらに、前記サブアドレスと前記ＩＳＤＮ端末とを関連付けて記憶しているサブアドレス情報を参照して、当該サブアドレスに関連付けられた前記ＩＳＤＮ端末に送信元から送出された情報を格納した信号を伝達する着信部、を備え、
前記第１のＩＳＤＮ端末を収容している前記ＩＰ変換装置は、
前記ＰＳＴＮ−ＧＷを経由して送信されてきた前記サブアドレスが付加された前記呼設定信号を受信し、前記着信部によって、当該サブアドレスに関連付けられた前記ＩＳＤＮ端末に、前記呼設定信号を送信するステップ
を実行することを特徴とする請求項３または請求項４に記載のＩＰ網におけるＩＳＤＮサービス提供方法。
【請求項２７】
前記ＩＰ変換装置は、
さらに、前記ＩＳＤＮ端末の識別情報と、通話中に前記ＩＳＤＮ端末を別のコネクタに移動して通信を再開することを許可するか否かを示す移動許可情報と、を関連付けて記憶している登録情報を参照して、前記ＩＳＤＮ端末の移動を許可するか否か判定する通信中機器移動判定部、を備え、
前記接続を中断する中断信号を受信したときに、前記通信中機器移動判定部によって、前記ＩＳＤＮ端末の移動を許可すると判定された場合、前記中断信号を接続先へ送信するステップ、
前記接続を再開する再開信号を受信したときに、前記通信中機器移動判定部によって、前記ＩＳＤＮ端末の移動を許可すると判定された場合、前記再開信号を接続先へ送信するステップ、
を実行することを特徴とする請求項１ないし請求項４のいずれか一項に記載のＩＰ網におけるＩＳＤＮサービス提供方法。
【請求項２８】
前記加入者サーバは、
さらに、前記ＩＳＤＮ端末の識別情報と、通話中に前記ＩＳＤＮ端末を別のコネクタに移動して通信を再開することを許可するか否かを示す移動許可情報と、を関連付けて記憶している登録情報を参照して、前記ＩＳＤＮ端末の移動を許可するか否か判定する通信中機器移動判定部、を備え、
前記接続を中断する中断信号を受信したときに、前記通信中機器移動判定部によって、前記ＩＳＤＮ端末の移動を許可すると判定された場合、前記中断信号を接続先へ送信するステップ、
前記接続を再開する再開信号を受信したときに、前記通信中機器移動判定部によって、前記ＩＳＤＮ端末の移動を許可すると判定された場合、前記再開信号を接続先へ送信するステップ、
を実行することを特徴とする請求項１ないし請求項４のいずれか一項に記載のＩＰ網におけるＩＳＤＮサービス提供方法。
【請求項２９】
前記ＩＳＤＮサービス提供システムは、
さらに、前記加入者サーバに接続され、前記ＩＳＤＮ端末の識別情報と、通話中に前記ＩＳＤＮ端末を別のコネクタに移動して通信を再開することを許可するか否かを示す移動許可情報と、を関連付けて記憶している登録情報を参照して、前記ＩＳＤＮ端末の移動を許可するか否か判定する通信中機器移動判定部、を備えたアプリケーションサーバ、を備え、
前記加入者サーバは、
前記接続を中断する中断信号を受信し、その中断信号を前記アプリケーションサーバへ送信するステップ
を実行し、
前記アプリケーションサーバは、
前記接続を中断する中断信号を受信したときに、前記通信中機器移動判定部によって、前記ＩＳＤＮ端末の移動を許可すると判定された場合、前記中断信号を当該加入者サーバに送信するステップ
を実行し、
前記加入者サーバは、
前記接続を再開する再開信号を受信し、その再開信号を前記アプリケーションサーバへ送信するステップ
を実行し、
前記アプリケーションサーバは、
前記接続を再開する再開信号を受信したときに、前記通信中機器移動判定部によって、前記ＩＳＤＮ端末の移動を許可すると判定された場合、前記再開信号を当該加入者サーバに送信するステップ
を実行することを特徴とする請求項１ないし請求項４のいずれか一項に記載のＩＰ網におけるＩＳＤＮサービス提供方法。
【請求項３０】
前記ＩＰ変換装置は、さらに、前記ＩＳＤＮ端末の識別情報と、前記ＩＳＤＮ端末から発信時にメッセージを通知することを許可するか否かを示すメッセージ通知許可情報と、を関連付けて記憶している登録情報を参照して、前記メッセージ通知を許可するか否か判定し、前記メッセージ通知を許可する場合、前記メッセージの受信回数をカウントし、前記カウントしたメッセージの受信回数を通知する情報通知判定部と、前記メッセージの受信回数を集計して、前記メッセージの受信回数を記憶している情報受信回数情報を更新する情報回数集計部と、を備え、
前記第１のＩＳＤＮ端末を収容する前記ＩＰ変換装置は、
前記第２のＩＳＤＮ端末を発信元とする前記メッセージを付加された信号を受信したとき、前記情報通知判定部によって、前記メッセージ通知を許可するか否か判定し、前記メッセージ通知を許可する場合、前記メッセージの受信回数をカウントするステップ
を実行し、
前記第２のＩＳＤＮ端末を収容する前記ＩＰ変換装置は、
前記第１のＩＳＤＮ端末を発信元とする前記メッセージを付加された信号を受信したとき、前記情報通知判定部によって、前記メッセージ通知を許可するか否か判定し、前記メッセージ通知を許可する場合、前記メッセージの受信回数をカウントするステップ、前記切断信号を受信したとき、前記カウントした前記受信回数を、前記第１のＩＳＤＮ端末を収容する前記ＩＰ変換装置に送信するステップ
を実行し、
第１のＩＳＤＮ端末を収容する前記ＩＰ変換装置は、
前記情報回数集計部によって、受信した前記カウントした前記受信回数と、自身の前記情報通知判定部によってカウントした前記メッセージの受信回数とを集計して、前記情報受信回数情報を更新するステップ
を実行することを特徴とする請求項１または請求項２に記載のＩＰ網におけるＩＳＤＮサービス提供方法。
【請求項３１】
前記加入者サーバは、さらに、前記ＩＳＤＮ端末の識別情報と、前記ＩＳＤＮ端末から発信時にメッセージを通知することを許可するか否かを示すメッセージ通知許可情報と、を関連付けて記憶している登録情報を参照して、前記メッセージ通知を許可するか否か判定し、前記メッセージ通知を許可する場合、前記メッセージの受信回数をカウントし、前記カウントしたメッセージの受信回数を通知する情報通知判定部と、前記メッセージの受信回数を集計して、前記メッセージの受信回数を記憶している情報受信回数情報を更新する情報回数集計部と、を備え、
前記第１のＩＳＤＮ端末を収容する前記ＩＰ変換装置を収容する前記加入者サーバは、
前記第２のＩＳＤＮ端末を発信元とする前記メッセージを付加された信号を受信したとき、前記情報通知判定部によって、前記メッセージ通知を許可するか否か判定し、前記メッセージ通知を許可する場合、前記メッセージの受信回数をカウントするステップ
を実行し、
前記第２のＩＳＤＮ端末を収容する前記ＩＰ変換装置を収容する前記加入者サーバは、
前記第１のＩＳＤＮ端末を発信元とする前記メッセージを付加された信号を受信したとき、前記情報通知判定部によって、前記メッセージ通知を許可するか否か判定し、前記メッセージ通知を許可する場合、前記メッセージの受信回数をカウントするステップ、前記切断信号を受信したとき、前記カウントした前記受信回数を、前記第１のＩＳＤＮ端末を収容する前記ＩＰ変換装置に送信するステップ
を実行し、
前記第１のＩＳＤＮ端末を収容する前記ＩＰ変換装置を収容する前記加入者サーバは、
前記情報回数集計部によって、受信した前記カウントした前記受信回数と、自身の前記情報通知判定部によってカウントした前記メッセージの受信回数とを集計して、前記情報受信回数情報を更新するステップ
を実行することを特徴とする請求項１または請求項２に記載のＩＰ網におけるＩＳＤＮサービス提供方法。
【請求項３２】
前記ＩＳＤＮサービス提供システムは、
さらに、前記ＩＳＤＮ端末の識別情報と、前記ＩＳＤＮ端末から発信時にメッセージを通知することを許可するか否かを示すメッセージ通知許可情報と、を関連付けて記憶している登録情報を参照して、前記メッセージ通知を許可するか否か判定し、前記メッセージ通知を許可する場合、前記メッセージの受信回数をカウントし、前記カウントしたメッセージの受信回数を通知する情報通知判定部と、前記メッセージの受信回数を集計して、前記メッセージの受信回数を記憶している情報受信回数情報を更新する情報回数集計部と、を備えたアプリケーションサーバ、を備え、
前記加入者サーバは、
前記ＩＳＤＮ端末を発信元とする前記メッセージを付加された信号を受信したとき、前記アプリケーションサーバに送信するステップ
を実行し、
前記アプリケーションサーバは、
前記加入者サーバから前記メッセージを付加された信号を受信したとき、前記情報通知判定部によって、前記メッセージ通知を許可するか否か判定し、前記メッセージ通知を許可する場合、前記メッセージの受信回数をカウントするステップ、
前記情報回数集計部によって、前記カウントした前記受信回数を集計して、前記情報受信回数情報を更新するステップ、
前記メッセージを付加された信号を前記加入者サーバに送信するステップ
を実行することを特徴とする請求項１または請求項２に記載のＩＰ網におけるＩＳＤＮサービス提供方法。
【請求項３３】
前記ＩＳＤＮサービス提供システムは、
さらに、前記加入者サーバに接続され、前記ＩＳＤＮ端末の識別情報と、前記ＩＳＤＮ端末から発信時に送信する信号に付加されたメッセージの受信回数を集計して、前記メッセージの受信回数を記憶している情報受信回数情報を更新する情報回数集計部、を備えたアプリケーションサーバ、を備え、
前記加入者サーバは、さらに、前記ＩＳＤＮ端末から発信時にメッセージを通知することを許可するか否かを示すメッセージ通知許可情報と、を関連付けて記憶している登録情報を参照して、前記メッセージ通知を許可するか否か判定し、前記メッセージ通知を許可する場合、前記メッセージの受信回数をカウントし、前記カウントしたメッセージの受信回数を通知する情報通知判定部、を備え、
前記第２のＩＳＤＮ端末を収容する前記ＩＰ変換装置を収容する前記加入者サーバは、
前記第１のＩＳＤＮ端末を発信元とする前記メッセージを付加された信号を受信したとき、前記情報通知判定部によって、前記メッセージ通知を許可するか否か判定し、前記メッセージ通知を許可する場合、前記メッセージの受信回数をカウントするステップ、
前記切断信号を受信したとき、前記カウントした前記受信回数を、前記アプリケーションサーバに送信するステップ
を実行し、
前記第１のＩＳＤＮ端末を収容する前記ＩＰ変換装置を収容する前記加入者サーバは、
前記第２のＩＳＤＮ端末を発信元とする前記メッセージを付加された信号を受信したとき、前記情報通知判定部によって、前記メッセージ通知を許可するか否か判定し、前記メッセージ通知を許可する場合、前記メッセージの受信回数をカウントするステップ、
前記切断応答信号を受信したとき、前記カウントした前記受信回数を、前記アプリケーションサーバに送信するステップ
を実行し、
前記アプリケーションサーバは、
前記情報回数集計部によって、受信した前記カウントした前記受信回数を集計して、前記情報受信回数情報を更新するステップ
を実行することを特徴とする請求項１または請求項２に記載のＩＰ網におけるＩＳＤＮサービス提供方法。
【請求項３４】
前記ＩＳＤＮサービス提供システムは、
さらに、前記加入者サーバに接続され、前記ＩＳＤＮ端末の識別情報と、前記ＩＳＤＮ端末から発信時に送信する信号に付加されたメッセージの受信回数を集計して、前記メッセージの受信回数を記憶している情報受信回数情報を更新する情報回数集計部、を備えたアプリケーションサーバ、を備え、
前記加入者サーバは、さらに、前記ＩＳＤＮ端末から発信時にメッセージを通知することを許可するか否かを示すメッセージ通知許可情報と、を関連付けて記憶している登録情報を参照して、前記メッセージ通知を許可するか否か判定し、前記メッセージ通知を許可する場合、前記メッセージの受信回数をカウントし、前記カウントしたメッセージの受信回数を通知する情報通知判定部、を備え、
前記第２のＩＳＤＮ端末を収容する前記ＩＰ変換装置を収容する前記加入者サーバは、
前記第１のＩＳＤＮ端末を発信元とする前記メッセージを付加された信号を受信したとき、前記情報通知判定部によって、前記メッセージ通知を許可するか否か判定し、前記メッセージ通知を許可する場合、前記メッセージの受信回数をカウントするステップ、
前記切断信号を受信したとき、前記カウントした前記受信回数を、前記第１のＩＳＤＮ端末を収容する前記ＩＰ変換装置を収容する前記加入者サーバを経由して、前記アプリケーションサーバに送信するステップ
を実行し、
前記第１のＩＳＤＮ端末を収容する前記ＩＰ変換装置を収容する前記加入者サーバは、
前記第２のＩＳＤＮ端末を発信元とする前記メッセージを付加された信号を受信したとき、前記情報通知判定部によって、前記メッセージ通知を許可するか否か判定し、前記メッセージ通知を許可する場合、前記メッセージの受信回数をカウントするステップ、
前記切断応答信号を受信したとき、前記カウントした前記受信回数を、前記アプリケーションサーバに送信するステップ
を実行し、
前記アプリケーションサーバは、
前記情報回数集計部によって、受信した前記カウントした前記受信回数を集計して、前記情報受信回数情報を更新するステップ
を実行することを特徴とする請求項１または請求項２に記載のＩＰ網におけるＩＳＤＮサービス提供方法。
【発明の詳細な説明】
【技術分野】
【０００１】
本発明は、ＩＰ（Internet Protocol）網において、ＩＳＤＮ（Integrated Services Digital Network）サービスとその付加サービスを提供する技術に関する。
【背景技術】
【０００２】
現在、公衆交換電話網（ＰＳＴＮ）において提供されているＩＳＤＮサービスには、ＩＳＤＮ端末間を接続する基本的なサービス以外に、（Ａ）電話を掛けた相手に発信者の電話番号を通知する「発信者番号通知サービス」、（Ｂ）通話ごとに通話料金を通知する「料金情報通知サービス」、（Ｃ）１本のＩＳＤＮ回線に接続された複数のＩＳＤＮ端末に付されたサブアドレスを指定することにより、指定したサブアドレスのＩＳＤＮ端末に着信させる「サブアドレス通知サービス」、（Ｄ）通話中にＩＳＤＮ端末を別のコネクタに移動して通信を再開する「通信中機器移動サービス」、（Ｅ）発信または着信時にＤチャネルを使って英数字１２８文字までメッセージを送受信する「ユーザ間情報通知サービス」、が提供されている（非特許文献１参照）。
【先行技術文献】
【非特許文献】
【０００３】
【非特許文献１】ＮＴＴ東日本、“ＩＳＤＮ OFFICIAL PAGE：基本機能”、［online］、［平成２２年５月１０日検索］、インターネット＜ＵＲＬ：http://www.ntt-east.co.jp/ＩＳＤＮ/64/fundamental/index.html＞
【発明の概要】
【発明が解決しようとする課題】
【０００４】
ここで、ＰＳＴＮの縮小化、老朽化への対策として、網内をＩＰ化することが考えられる。このとき、ＩＳＤＮの加入者線インタフェースは既存のままとし、端末および宅内の接続構成を変更することなしに、ＩＰ網への収容替えを行う必要がある。
また、前記収容替えの過渡期においては、ＰＳＴＮの一部を徐々にＩＰ網に置き換えていくことになるため、ＩＰ網とＰＳＴＮとの相互接続を行う必要がある。すなわち、ＰＳＴＮにおけるユーザと、ＩＰ網に収容されるユーザとの双方が、同一のＩＳＤＮサービスを享受できるようにしなければならない。
そこで、本発明は、ＰＳＴＮで実現していたＩＳＤＮサービスをＩＰ網で実現することを課題とする。
【課題を解決するための手段】
【０００５】
本発明は、第１のＩＳＤＮ端末と第２のＩＳＤＮ端末との間を接続するＩＰ網によって構成されたＩＳＤＮサービス提供システムにおいて用いられるＩＰ網におけるＩＳＤＮサービス提供方法であって、前記ＩＳＤＮサービス提供システムが、前記ＩＳＤＮ端末を収容して、前記ＩＳＤＮ端末で用いられる方式で送受信される情報とＩＰ網で用いられる信号方式で送受信される情報とを相互にプロコル変換して、前記情報を格納した信号を伝達するＩＰ変換装置と、前記ＩＰ網のパス情報を記憶し、前記ＩＰ変換装置を収容して、前記ＩＰ変換装置から前記ＩＰ網内に送信される信号に格納されている接続先情報に基づいて、前記パス情報を参照して、当該接続先情報に記載されている接続先へ、前記信号を送信する加入者サーバと、を備え、前記第１のＩＳＤＮ端末と前記第２のＩＳＤＮ端末とを接続する場合、前記第１のＩＳＤＮ端末が送出した呼設定信号を、前記ＩＰ変換装置および前記加入者サーバを介して、接続先の前記第２のＩＳＤＮ端末へ伝達する呼設定ステップ、前記第２のＩＳＤＮ端末が、前記呼設定信号を受信して、その呼設定信号に対する応答として応答信号を送出し、前記ＩＰ変換装置および前記加入者サーバを介して、前記第１のＩＳＤＮ端末へ伝達する呼設定応答ステップ、を実行し、前記接続を切断する場合、前記第１のＩＳＤＮ端末が送出した切断信号を、前記ＩＰ変換装置および前記加入者サーバを介して、接続先の前記第２のＩＳＤＮ端末へ伝達する切断ステップ、前記第２のＩＳＤＮ端末が、前記切断信号を受信して、その切断信号に対する応答として切断応答信号を送出し、前記ＩＰ変換装置および前記加入者サーバを介して、前記第１のＩＳＤＮ端末へ伝達する切断応答ステップ、を実行することを特徴とする。
【０００６】
このような構成によれば、ＩＰ変換装置において、ＩＳＤＮ端末で用いられる方式で送受信される情報とＩＰ網で用いられる信号方式で送受信される情報とを相互にプロコル変換して信号を伝達するので、ＩＳＤＮの加入者線インタフェースは既存のままとし、端末および宅内の接続構成を変更することなしに、ＩＰ網への収容替えを行うことができるようになる。
【０００７】
本発明は、前記ＩＰ変換装置が、さらに、前記ＩＳＤＮ端末の識別情報と、前記ＩＳＤＮ端末の発信者番号を接続先へ通知するか否かを示す通知決定情報と、を関連付けて記憶している登録情報を参照して、前記発信者番号を接続先へ通知するか否か判定する発ＩＤ通知決定部、を備え、前記呼設定信号を受信したときに、前記発ＩＤ通知決定部によって、前記発信者番号を接続先へ通知すると判定された場合、前記呼設定信号に発信者番号を付加するステップを実行することを特徴とする。
【０００８】
このような構成によれば、ＩＰ網において、発信者番号を接続先へ通知する発ＩＤ通知決定部を備えているので、既存のＩＳＤＮサービスと同様に、発信者番号を接続先へ通知することができるようになる。
【０００９】
本発明は、前記ＩＰ変換装置が、さらに、前記ＩＳＤＮ端末の識別情報と、前記接続に対する料金を通知するか否かを示す通知決定情報と、を関連付けて記憶している登録情報を参照して、前記料金を通知するか否か判定する料金即知判定部、を備え、前記加入者サーバが、さらに、前記接続先のダイヤル条件と単位料金とを関連付けて記憶している単位料金情報を参照して、前記接続先のダイヤル条件に対応する単位料金に接続時間を乗算して前記料金を算出して、その算出した料金を通知する料金通知部、を備え、前記加入者サーバが、前記切断応答信号を受信したときに、前記料金通知部によって算出された前記料金を料金情報として当該切断応答信号に付加して、前記ＩＰ変換装置に送信するステップ、を実行し、前記ＩＰ変換装置が、前記料金情報を付加された前記切断応答信号を受信したときに、前記料金即知判定部によって、前記料金を通知すると判定された場合、前記料金情報を付加された信号を前記ＩＳＤＮ端末に送信するステップ、を実行することを特徴とする。
【００１０】
このような構成によれば、ＩＰ網において、接続に対する料金を通知する手段（料金即知判定部および料金通知部）を備えているので、既存のＩＳＤＮサービスと同様に、通話に対する料金を通知することができるようになる。
【００１１】
本発明は、前記ＩＰ変換装置が、さらに、前記ＩＳＤＮ端末の識別情報と、接続先の前記ＩＳＤＮ端末に付されたサブアドレスに着信することを許可するか否かを示す許可情報と、を関連付けて記憶している登録情報を参照して、前記サブアドレスへ着信許可するか否か判定するサブアドレス通知判定部と、前記サブアドレスと前記ＩＳＤＮ端末とを関連付けて記憶しているサブアドレス情報を参照して、当該サブアドレスに関連付けられた前記ＩＳＤＮ端末に送信元から送出された情報を格納した信号を伝達する着信部と、を備え、前記第１のＩＳＤＮ端末を収容している前記ＩＰ変換装置が、前記サブアドレスが付加された前記呼設定信号を受信して、前記サブアドレス通知判定部によって、前記サブアドレスへ着信許可すると判定された場合、前記サブアドレスを付加した呼設定信号を前記加入者サーバに送信するステップ、を実行し、接続先の前記第２のＩＳＤＮ端末を収容している前記ＩＰ変換装置が、前記サブアドレスを付加した呼設定信号を受信し、前記着信部によって、当該サブアドレスに関連付けられた前記ＩＳＤＮ端末に、前記呼設定信号を送信するステップ、を実行することを特徴とする。
【００１２】
このような構成によれば、ＩＰ網において、接続先のＩＳＤＮ端末に付されたサブアドレスに着信する手段（サブアドレス通知判定部および着信部）を備えているので、既存のＩＳＤＮサービスと同様に、接続先のＩＳＤＮ端末に付されたサブアドレスに着信することができるようになる。
【００１３】
本発明は、前記ＩＰ変換装置が、さらに、前記ＩＳＤＮ端末の識別情報と、通話中に前記ＩＳＤＮ端末を別のコネクタに移動して通信を再開することを許可するか否かを示す移動許可情報と、を関連付けて記憶している登録情報を参照して、前記ＩＳＤＮ端末の移動を許可するか否か判定する通信中機器移動判定部、を備え、前記接続を中断する中断信号を受信したときに、前記通信中機器移動判定部によって、前記ＩＳＤＮ端末の移動を許可すると判定された場合、前記中断信号を接続先へ送信するステップ、前記接続を再開する再開信号を受信したときに、前記通信中機器移動判定部によって、前記ＩＳＤＮ端末の移動を許可すると判定された場合、前記再開信号を接続先へ送信するステップ、を実行することを特徴とする。
【００１４】
このような構成によれば、ＩＰ網において、通話中にＩＳＤＮ端末を別のコネクタに移動して通信を再開する通信中機器移動判定部を備えているので、既存のＩＳＤＮサービスと同様に、通話中にＩＳＤＮ端末を別のコネクタに移動して通信を再開することができるようになる。
【００１５】
本発明は、前記ＩＰ変換装置が、さらに、前記ＩＳＤＮ端末の識別情報と、前記ＩＳＤＮ端末から発信時にメッセージを通知することを許可するか否かを示すメッセージ通知許可情報と、を関連付けて記憶している登録情報を参照して、前記メッセージ通知を許可するか否か判定し、前記メッセージ通知を許可する場合、前記メッセージの受信回数をカウントし、前記カウントしたメッセージの受信回数を通知する情報通知判定部と、前記メッセージの受信回数を集計して、前記メッセージの受信回数を記憶している情報受信回数情報を更新する情報回数集計部と、を備え、前記第１のＩＳＤＮ端末を収容する前記ＩＰ変換装置が、前記第２のＩＳＤＮ端末を発信元とする前記メッセージを付加された信号を受信したとき、前記情報通知判定部によって、前記メッセージ通知を許可するか否か判定し、前記メッセージ通知を許可する場合、前記メッセージの受信回数をカウントするステップ、を実行し、前記第２のＩＳＤＮ端末を収容する前記ＩＰ変換装置が、前記第１のＩＳＤＮ端末を発信元とする前記メッセージを付加された信号を受信したとき、前記情報通知判定部によって、前記メッセージ通知を許可するか否か判定し、前記メッセージ通知を許可する場合、前記メッセージの受信回数をカウントするステップ、前記切断信号を受信したとき、前記カウントした前記受信回数を、前記第１のＩＳＤＮ端末を収容する前記ＩＰ変換装置に送信するステップ、を実行し、第１のＩＳＤＮ端末を収容する前記ＩＰ変換装置が、前記情報回数集計部によって、受信した前記カウントした前記受信回数と、自身の前記情報通知判定部によってカウントした前記メッセージの受信回数とを集計して、前記情報受信回数情報を更新するステップ、を実行することを特徴とする。
【００１６】
このような構成によれば、ＩＰ網において、ＩＳＤＮ端末から発信時にメッセージを通知する手段（情報通知判定部および情報回数集計部）を備えているので、既存のＩＳＤＮサービスと同様に、通話中にＩＳＤＮ端末を別のコネクタに移動して通信を再開することができるようになる。
【発明の効果】
【００１７】
本発明によれば、ＰＳＴＮで実現していたＩＳＤＮサービスをＩＰ網で実現することができる。
【図面の簡単な説明】
【００１８】
【図１】ＩＳＤＮサービスを提供する構成を示す図である。
【図２】ＩＰ網発→ＩＰ網着のケースの動作フローを示す図である。
【図３】ＩＰ網発→ＩＰ網着のケースにおける発側切断および着側切断の動作フローを示す図である。
【図４】ＩＰ網発→ＰＳＴＮ着のケースの動作フローを示す図である。
【図５】ＩＰ網発→ＰＳＴＮ着のケースにおける発側切断および着側切断の動作フローを示す図である。
【図６】ＰＳＴＮ発→ＩＰ網着のケースの動作フローを示す図である。
【図７】ＩＳＤＮサービスの発信者番号通知の構成を示す図である。
【図８】パターン番号「Ａ１」の動作フローを示す図である。
【図９】パターン番号「Ａ２」の動作フローを示す図である。
【図１０】パターン番号「Ａ３」の動作フローを示す図である。
【図１１】ＩＳＤＮサービスの料金情報通知の構成を示す図である。
【図１２】パターン番号「Ｂ６」の動作フロー（その１）を示す図である。
【図１３】パターン番号「Ｂ６」の動作フロー（その２）を示す図である。
【図１４】パターン番号「Ｂ６」の動作フロー（その３）を示す図である。
【図１５】パターン番号「Ｂ６」の動作フロー（その４）を示す図である。
【図１６】ＩＳＤＮサービスのサブアドレス通知の構成を示す図である。
【図１７】パターン番号「Ｃ１１」の動作フローを示す図である。
【図１８】パターン番号「Ｃ２」の動作フローを示す図である。
【図１９】パターン番号「Ｃ３」の動作フローを示す図である。
【図２０】パターン番号「Ｃ４」の動作フローを示す図である。
【図２１】パターン番号「Ｃ５」の動作フローを示す図である。
【図２２】ＩＳＤＮサービスのユーザ間情報通知の構成を示す図である。
【図２３】パターン番号「Ｄ１」の動作フロー（その１）を示す図である。
【図２４】パターン番号「Ｄ１」の動作フロー（その２）を示す図である。
【図２５】パターン番号「Ｄ４」の動作フローを示す図である。
【図２６】ＩＳＤＮサービスのユーザ間情報通知の構成（ＩＰ網発→ＩＰ網着の場合）を示す図である。
【図２７】パターン番号「Ｅ１」の動作フロー（その１）を示す図である。
【図２８】パターン番号「Ｅ１」の動作フロー（その２）を示す図である。
【図２９】パターン番号「Ｅ１」の動作フロー（その３）を示す図である。
【図３０】パターン番号「Ｅ２」の動作フロー（その１）を示す図である。
【図３１】パターン番号「Ｅ２」の動作フロー（その２）を示す図である。
【図３２】パターン番号「Ｅ２」の動作フロー（その３）を示す図である。
【図３３ａ】パターン番号「Ｅ３１」の動作フロー（その１）を示す図である。
【図３３ｂ】パターン番号「Ｅ３１」の動作フロー（その１つづき）を示す図である。
【図３４】パターン番号「Ｅ３１」の動作フロー（その２）を示す図である。
【図３５】パターン番号「Ｅ３１」の動作フロー（その３）を示す図である。
【図３６】パターン番号「Ｅ３２」の動作フロー（その１）を示す図である。
【図３７】パターン番号「Ｅ３２」の動作フロー（その２）を示す図である。
【図３８】パターン番号「Ｅ３２」の動作フロー（その３）を示す図である。
【図３９】パターン番号「Ｅ３２」の動作フロー（その１）を示す図である。
【図４０】パターン番号「Ｅ３３」の動作フロー（その２）を示す図である。
【図４１】パターン番号「Ｅ３３」の動作フロー（その３）を示す図である。
【図４２】ＩＳＤＮサービスのユーザ間情報通知の構成（ＩＰ網発→ＰＳＴＮ着の場合）を示す図である。
【図４３】パターン番号「Ｆ１」の動作フロー（その１）を示す図である。
【図４４】パターン番号「Ｆ１」の動作フロー（その２）を示す図である。
【図４５】パターン番号「Ｆ１」の動作フロー（その３）を示す図である。
【図４６】パターン番号「Ｆ２」の動作フロー（その１）を示す図である。
【図４７】パターン番号「Ｆ２」の動作フロー（その２）を示す図である。
【図４８】パターン番号「Ｆ２」の動作フロー（その３）を示す図である。
【図４９ａ】パターン番号「Ｆ３１」の動作フロー（その１）を示す図である。
【図４９ｂ】パターン番号「Ｆ３１」の動作フロー（その１つづき）を示す図である。
【図５０】パターン番号「Ｆ３１」の動作フロー（その２）を示す図である。
【図５１】パターン番号「Ｆ３１」の動作フロー（その３）を示す図である。
【図５２】パターン番号「Ｆ３２」の動作フロー（その１）を示す図である。
【図５３】パターン番号「Ｆ３２」の動作フロー（その２）を示す図である。
【図５４】パターン番号「Ｆ３２」の動作フロー（その３）を示す図である。
【図５５】パターン番号「Ｆ３３」の動作フロー（その１）を示す図である。
【図５６】パターン番号「Ｆ３３」の動作フロー（その２）を示す図である。
【図５７】パターン番号「Ｆ３３」の動作フロー（その３）を示す図である。
【図５８】パターン番号「Ｆ４」の動作フロー（その１）を示す図である。
【図５９】パターン番号「Ｆ４」の動作フロー（その２）を示す図である。
【図６０】パターン番号「Ｆ４」の動作フロー（その３）を示す図である。
【図６１】パターン番号「Ｆ５」の動作フロー（その１）を示す図である。
【図６２】パターン番号「Ｆ５」の動作フロー（その２）を示す図である。
【図６３】パターン番号「Ｆ５」の動作フロー（その３）を示す図である。
【発明を実施するための形態】
【００１９】
本発明を実施するための形態（以降「本実施形態」と称す。）について、適宜図面を参照しながら詳細に説明する。
なお、本実施形態の第１実施形態として、ＩＳＤＮサービスの基本呼を送受信するケースについて説明する。そして、その第１実施形態によって実現する基本的なサービス以外に、第２実施形態として「発信者番号通知サービス」、第３実施形態として「料金情報通知サービス」、第４実施形態として「サブアドレス通知サービス」、第５実施形態として「通信中機器移動サービス」、第６実施形態として「ユーザ間情報通知サービス」について説明する。
【００２０】
（第１実施形態）
ＩＳＤＮサービスの基本呼を送受信する構成について、図１を用いて説明する。なお、発側または着側を区別する場合には、「（発）」または「（着）」を付して説明する。
ＩＳＤＮサービスを実現するＩＰ網１０は、ＰＳＴＮ２０で用いられていたＩＳＤＮ端末６（６ａ，６ｂ，６ｃ）の電気インタフェースはそのままとし、ＩＳＤＮ端末６の電気インタフェースをＩＰに変換するＩＰ変換装置１（１ａ，１ｂ）、ＩＰ変換装置１を収容して呼接続処理を実行する加入者サーバ２（２ａ，２ｂ）、および加入者サーバ２間の通信を中継する中継サーバ３によって構成される。ただし、すべての通信が中継サーバ３を経由することはなく、加入者サーバ２間で直接通信が行われても構わない。また、ＩＰ網１０に接続されているＩＳＤＮ端末６（６ａ，６ｂ）とＰＳＴＮ２０に接続されているＩＳＤＮ端末６（６ｃ）とが通信を行う場合には、ＰＳＴＮ−ＧＷ（ＰＳＴＮゲートウェイ）５においてプロトコル変換される。なお、以降の説明では、ＩＰ網１０ではsip（session initiation protocol）を用いて接続制御を行う場合について示す。
【００２１】
ＩＰ変換装置１は、ＩＳＤＮ端末６が用いる信号方式ｄｓｓ１（digital subscriber signaling system No.1）とＩＰ網で送受信可能な信号方式（例えば、sip）とを相互に変換するdss1-ip変換部１１を備える。なお、dss1-ip変換部１１は、図示しないＣＰＵ（Central Processing Unit）と図示しないメインメモリとを用いて、このＣＰＵがメインメモリにアプリケーションプログラムを展開して、それを実行することによって具現化される。なお、アプリケーションプログラムは、図示しない記憶部に格納されている。
【００２２】
加入者サーバ２は、図示しないＣＰＵと図示しないメインメモリとを備え、このＣＰＵがメインメモリにアプリケーションプログラムを展開して、それを実行することによって呼接続部２１を具現化する。加入者サーバ２は、図示しない記憶部を備え、接続先の着番号を決定するために参照する番号翻訳情報２２、ユーザの使用する機器の識別情報ごとに各ＩＳＤＮサービスの利用を可能にする（許可する）登録の有無を関連付けて記憶しているサービス識別情報２３、接続先までのパスを決定するために用いるパス情報２４を記憶している。そして、呼接続部２１は、番号翻訳情報２２、サービス識別情報２３、およびパス情報２４を参照して、サービスの利用許可の有無を判定し、利用許可がある場合には、許可された情報を接続先に送信する。
【００２３】
ＰＳＴＮ−ＧＷ５は、図示しないＣＰＵと図示しないメインメモリとを備え、このＣＰＵがメインメモリにアプリケーションプログラムを展開して、それを実行することによってisup（ＩＳＤＮ user part）-ip変換部５１を具現化する。isup-ip変換部５１は、ＰＳＴＮ２０で用いられる信号方式isupとＩＰ網１０で用いられる信号方式（例えば、sip）とを相互に変換する。
【００２４】
＜ＩＰ網発→ＩＰ網着＞
まず、図２を用いて、ＩＰ網１０のＩＳＤＮ端末（発）６ａからＩＰ網１０のＩＳＤＮ端末（着）６ｂへ接続する場合の動作フローについて説明する。
ステップＳ２０１では、ＩＰ変換装置（発）１ａのdss1-ip変換部１１は、ＩＳＤＮ端末（発）６ａから呼設定信号（dss1:SETUP）を受信し、ステップＳ２０２では、ＩＰ網１０で受信可能な呼設定信号（例えば、sipではINVITE）に変換して加入者サーバ（発）２ａに送信する。
ステップＳ２０３では、加入者サーバ（発）２ａの呼接続部２１は、受信した呼設定信号を、ＩＰ変換装置（着）１ｂに送信する。その呼設定信号は、ステップＳ２０４〜Ｓ２０５に示すように、中継サーバ３および加入者サーバ（着）２ｂを経由して、転送される。
【００２５】
ステップＳ２０６では、ＩＰ変換装置（着）１ｂのdss1-ip変換部１１は、受信した呼設定信号を、ＩＳＤＮ端末６で受信可能な呼設定信号（dss1:SETUP）に変換して、ＩＳＤＮ端末（着）６ｂに送信する。
ステップＳ２０７〜Ｓ２１１の呼設定受付信号（例えば、sipでは100）は、それぞれ、ステップＳ２０１〜Ｓ２０５に対する応答である。
ステップＳ２１２では、ＩＰ変換装置（着）１ｂのdss1-ip変換部１１は、ＩＳＤＮ端末（着）６ｂから呼出信号（dss1:ALERT）を受信し、ステップＳ２１３では、ＩＰ網１０で受信可能な呼出信号（例えば、sipでは180）に変換して、ＩＰ変換装置（発）１ａに送信する。その呼出信号は、ステップＳ２１３〜Ｓ２１６に示すように、加入者サーバ（着）２ｂ、中継サーバ３、および加入者サーバ（発）２ａを経由して、転送される。
ステップＳ２１７では、ＩＰ変換装置（発）１ａのdss1-ip変換部１１は、受信した呼出信号を、ＩＳＤＮ端末６で受信可能な呼出信号（dss1:ALERT）に変換し、ＩＳＤＮ端末（発）６ａに送信する。
そして、ＲＢＴ（リングバックトーン）が、ＩＰ変換装置（発）１ａからＩＳＤＮ端末（発）６ａに送出される。
【００２６】
ステップＳ２１８では、ＩＰ変換装置（着）１ｂのdss1-ip変換部１１は、ＩＳＤＮ端末（着）６ｂから応答信号（dss1:CONN）を受信し、ステップＳ２１９では、ＩＰ網１０で受信可能な応答信号（例えば、sipでは200）に変換して、ＩＰ変換装置（発）１ａに送信する。その応答信号は、ステップＳ２２０〜Ｓ２２２に示すように、加入者サーバ（着）２ｂ、中継サーバ３、および加入者サーバ（発）２ａを経由して、転送される。
ステップＳ２２３では、ＩＰ変換装置（発）１ａのdss1-ip変換部１１は、受信した応答信号を、ＩＳＤＮ端末６で受信可能な応答信号（dss1:CONN）に変換し、ＩＳＤＮ端末（発）６ａへ送信する。
そして、ステップＳ２２４では、ＩＳＤＮ端末（発）６ａとＩＳＤＮ端末（着）６ｂとの間は通話中となる。
【００２７】
次に、図３を用いて、通話中（ステップＳ３００）となっている接続を、発側から切断する発側切断を実行するときの動作フローについて説明する。
ステップＳ３０１では、ＩＰ変換装置（発）１ａのdss1-ip変換部１１は、ＩＳＤＮ端末（発）６ａから切断信号（dss1:DISC）を受信し、ステップＳ３０２では、ＩＰ網１０で受信可能な切断信号（例えば、sipではBYE）に変換して、ＩＰ変換装置（着）１ｂへ送信する。その切断信号は、ステップＳ３０３〜Ｓ３０５に示すように、加入者サーバ（発）２ａ、中継サーバ３、および加入者サーバ（着）２ｂを経由して、転送される。
ステップＳ３０６では、ＩＰ変換装置（着）１ｂのdss1-ip変換部１１は、受信した切断信号を、ＩＳＤＮ端末６で受信可能な切断信号（dss1:DISC）に変換し、ＩＳＤＮ端末（着）６ｂへ送信する。なお、切断信号（dss1:DISC）を受信したＩＳＤＮ端末（着）６ｂは、解放信号（dss1:RELEASE）をＩＰ変換装置（着）１ｂに送信し（ステップＳ３１３）、ＩＰ変換装置（着）１ｂから解放完了信号（dss1:RELCOM）を受信する（ステップＳ３１４）ことで回線の解放を行う。
【００２８】
また、ステップＳ３０７では、ＩＰ変換装置（着）１ｂは、切断信号（sip:BYE）に対する応答として、切断応答信号（例えば、sipでは200）をＩＰ変換装置（発）１ａに送信する。その切断応答信号は、ステップＳ３０８〜Ｓ３１０に示すように、加入者サーバ（着）２ｂ、中継サーバ３、および加入者サーバ（発）２ａを経由して、転送される。
ステップＳ３１１では、ＩＰ変換装置（発）１ａのdss1-ip変換部１１は、受信した切断応答信号を、ＩＳＤＮ端末が受信可能な解放信号（dss1:RELEASE）に変換し、ＩＳＤＮ端末（発）６ａに送信する。
なお、解放信号（dss1:RELEASE）を受信したＩＳＤＮ端末（発）６ａは、解放完了信号（dss1:RELCOM）をＩＰ変換装置（発）１ａに送信する（ステップＳ３１２）ことによって、回線の解放を行う。
【００２９】
次に、通話中（ステップＳ３２０）となっている接続を、着側から切断する着側切断の場合は、前記した発側切断の場合における発側と着側とが入れ替わって、まったく同様の動作を実行するので、説明を省略する。
【００３０】
＜ＩＰ網発→ＰＳＴＮ着＞
次に、図４を用いて、ＩＰ網１０のＩＳＤＮ端末（発）６ａからＰＳＴＮ２０のＩＳＤＮ端末６ｃへ接続する場合の動作フローについて説明する。
ステップＳ４０１では、ＩＰ変換装置（発）１ａのdss1-ip変換部１１は、ＩＳＤＮ端末（発）６ａからの呼設定信号（dss1:SETUP）を受信し、ステップＳ４０２では、ＩＰ網１０で受信可能な呼設定信号（例えば、sipではINVITE）に変換して加入者サーバ（発）２ａに送信する。
ステップＳ４０３では、加入者サーバ（発）２ａの呼接続部２１は、受信した呼設定信号を、ＰＳＴＮ−ＧＷ５に送信する。その呼設定信号は、ステップＳ４０４に示すように、中継サーバ３を経由して、転送される。
ステップＳ４０５では、ＰＳＴＮ−ＧＷ５のisup-ip変換部５１は、受信した呼設定信号を、ＰＳＴＮ２０で受信可能な呼設定信号（isup:IAM）に変換し、ＰＳＴＮ（着）２０へ送信する。
なお、ステップＳ４０６〜Ｓ４０９の呼設定受付信号（例えば、sipでは100）は、それぞれ、ステップＳ４０１〜Ｓ４０４に対する応答である。
【００３１】
ステップＳ４１０では、ＰＳＴＮ−ＧＷ５のisup-ip変換部５１は、ＰＳＴＮ（着）２０から呼出信号（isup:ACMまたはCPG）を受信し、ステップＳ４１１では、ＩＰ網１０で受信可能な呼出信号（例えば、sipでは180または183）に変換し、ＩＰ変換装置（発）１ａに送信する。その呼出信号は、ステップＳ４１１〜Ｓ４１３に示すように、加入者サーバ（着）２ｂ、中継サーバ３、および加入者サーバ（発）２ａを経由して、転送される。
ステップＳ４１４では、ＩＰ変換装置（発）１ａのdss1-ip変換部１１は、受信した呼出信号を、ＩＳＤＮ端末６で受信可能な呼出信号（dss1:ALERT）に変換し、ＩＳＤＮ端末（発）６ａに送信する。
そして、ＲＢＴ（リングバックトーン）がＩＰ変換装置（発）１ａからＩＳＤＮ端末（発）６ａに送出される。ただし、183の場合、ＲＢＴは、ＰＳＴＮ２０から送出される。
【００３２】
ステップＳ４１５では、ＰＳＴＮ−ＧＷ５のisup-ip変換部５１は、ＰＳＴＮ（着）２０から応答信号（isup:ANM）を受信し、ステップＳ４１６では、ＩＰ網１０で受信可能な応答信号（例えば、sipでは200）に変換し、ＩＰ変換装置（発）１ａに送信する。その応答信号は、ステップＳ４１７〜Ｓ４１８に示すように、中継サーバ３および加入者サーバ（発）２ａを経由して、転送される。
ステップＳ４１９では、ＩＰ変換装置（発）１ａのdss1-ip変換部１１は、受信した応答信号を、ＩＳＤＮ端末６で受信可能な応答信号（dss1:CONN）に変換し、ＩＳＤＮ端末（発）６ａに送信する。そして、ステップＳ４２０では、ＩＰ変換装置（発）１ａは、応答確認信号（例えば、sipではACK）をＰＳＴＮ−ＧＷ５に送信する。その応答確認信号は、ステップＳ４２１〜Ｓ４２２示すように、加入者サーバ（発）２ａおよび中継サーバ３を経由して、転送される。
そして、ステップＳ４２３では、ＩＳＤＮ端末（発）６ａとＩＳＤＮ端末（着）６ｂとの間は通話中となる。
【００３３】
次に、図５を用いて、通話中（Ｓ５００）となっている接続を、発側から切断する発側切断を実行するときの動作フローについて説明する。
ステップＳ５０１では、ＩＰ変換装置（発）１ａのdss1-ip変換部１１は、ＩＳＤＮ端末（発）６ａから切断信号（dss1:DISC）を受信し、ステップＳ５０２では、ＩＰ網１０で受信可能な切断信号（例えば、sipではBYE）に変換し、加入者サーバ（発）２ａに送信する。
ステップＳ５０３では、加入者サーバ（発）２ａの呼接続部２１は、受信した呼設定信号を、ＰＳＴＮ−ＧＷ５に送信する。その呼設定信号は、ステップＳ５０４に示すように、中継サーバ３を経由して、転送される
ステップＳ５０５では、ＰＳＴＮ−ＧＷ５のisup-ip変換部５１は、受信した切断信号を、ＰＳＴＮ２０で受信可能な切断信号（isup:REL）に変換し、ＰＳＴＮ（着）２０へ送信する。なお、切断信号（isup:REL）を受信したＰＳＴＮ（着）２０は、復旧完了信号（isup:RLC）をＰＳＴＮ−ＧＷ５に送信する（ステップＳ５０６）ことで回線の解放を行う。
【００３４】
ステップＳ５０７では、ＰＳＴＮ−ＧＷ５は、切断信号に対する応答である切断応答信号（例えばsipでは200）をＩＰ変換装置（発）１ａに送信する。その切断応答信号は、ステップＳ５０８〜Ｓ５０９に示すように、中継サーバ３および加入者サーバ（発）２ａを経由して、転送される。
ステップＳ５１０では、ＩＰ変換装置（発）１ａのdss1-ip変換部１１は、受信した切断応答信号を、ＩＳＤＮ端末６が受信可能な解放信号（dss1:RELEASE）に変換し、ＩＳＤＮ端末（発）６ａに送信する。ステップＳ５１１では、解放信号（dss1:RELEASE）を受信したＩＳＤＮ端末（発）６ａは、解放完了信号（dss1:RELCOM）をＩＰ変換装置（発）１ａに送信することで、回線の解放を行う。
【００３５】
次に、通話中（ステップＳ５２０）となっている接続を、着側から切断する着側切断を実行するときの動作フローについて説明する。
ステップＳ５２１では、ＰＳＴＮ−ＧＷ５のisup-ip変換部５１は、ＰＳＴＮ２０から切断信号（isup:REL）を受信し、ステップＳ５２２では、ＩＰ網１０で受信可能な切断信号（例えば、sipではBYE）に変換し、ＩＰ変換装置（発）１ａに送信する。その切断信号は、ステップＳ５２３〜Ｓ５２４に示すように、中継サーバ３および加入者サーバ（発）２ａを経由して、転送される。また、ＰＳＴＮ−ＧＷ５は、受信した切断信号に対する応答として復旧完了信号（isup:RLC）をＰＳＴＮ（着）２０に送信する（ステップＳ５２６）。
【００３６】
ステップＳ５２５では、ＩＰ変換装置（発）１ａのdss1-ip変換部１１は、受信した切断信号を、ＩＳＤＮ端末６で受信可能な切断信号（dss1:DISC）に変換し、ＩＳＤＮ端末（発）６ａに送信する。また、ＩＰ変換装置（発）１ａは、受信した切断信号に対する応答として切断応答信号（例えば、sipでは200）をＰＳＴＮ−ＧＷ５へ送信する（ステップＳ５２７）。その切断応答信号は、ステップＳ５２８〜Ｓ５２９に示すように、転送される。
また、切断信号（dss1:DISC）を受信したＩＳＤＮ端末（発）６ａは、解放信号（dss1:RELEASE）をＩＰ変換装置（発）１ａに送信し（ステップＳ５３０）、ＩＰ変換装置（発）１ａから解放完了信号（dss1:RELCOM）を受信する（ステップＳ５３１）ことで回線の解放を行う。
【００３７】
＜ＰＳＴＮ発→ＩＰ網着＞
次に、図６を用いて、ＰＳＴＮ２０のＩＳＤＮ端末６ｃからＩＰ網１０のＩＳＤＮ端末（着）６ｂへ接続する場合の動作フローについて説明する。
ステップＳ６０１では、ＰＳＴＮ−ＧＷ５のisup-ip変換部５１は、ＰＳＴＮ（発）２０から呼設定信号（isup:IAM）を受信し、ステップＳ６０２では、ＩＰ網１０で受信可能な呼設定信号（例えば、sipではINVITE）に変換し、加入者サーバ（着）２ｂに送信する。その呼設定信号は、ステップＳ６０２〜Ｓ６０３に示すように、中継サーバ３を経由して、転送される。
ステップＳ６０４では、加入者サーバ（着）２ｂの呼接続部２１は、受信した呼設定信号を、ＩＰ変換装置（着）１ｂへ送信する。
【００３８】
ステップＳ６０５では、ＩＰ変換装置（着）１ｂのdss1-ip変換部１１は、受信した呼設定信号を、ＩＳＤＮ端末６で受信可能な呼設定信号（dss1:SETUP）に変換し、ＩＳＤＮ端末（着）６ｂに送信する。
なお、ステップＳ６０６〜Ｓ６０８の呼設定受付信号（例えば、sipでは100）は、それぞれ、ステップＳ６０２〜Ｓ６０４に対する応答である。
ステップＳ６０９では、ＩＰ変換装置（着）１ｂのdss1-ip変換部１１は、ＩＳＤＮ端末（着）６ｂから呼出信号（dss1:ALERT）を受信し、ステップＳ６１０では、ＩＰ網１０で受信可能な呼出信号（例えば、sipでは180）に変換し、ＰＳＴＮ−ＧＷ５に送信する。その呼出信号は、ステップＳ６１１〜Ｓ６１２に示すように、加入者サーバ（着）２ｂおよび中継サーバ３を経由して、ＰＳＴＮ−ＧＷ５へ転送される。
ステップＳ６１３では、ＰＳＴＮ−ＧＷ５のisup-ip変換部５１は、受信した呼出信号を、ＰＳＴＮ２０で受信可能な呼出信号（isup:ACMまたはCPG）に変換し、ＰＳＴＮ（発）２０へ送信する。
【００３９】
ステップＳ６１４では、ＩＰ変換装置（着）１ｂのdss1-ip変換部１１は、ＩＳＤＮ端末（着）６ｂから応答信号（dss1:CONN）を受信し、ステップＳ６１５では、ＩＰ網１０で受信可能な応答信号（例えば、sipでは200）に変換し、ＰＳＴＮ−ＧＷ５に送信する。その応答信号は、ステップＳ６１６〜Ｓ６１７に示すように、中継サーバ３を経由して、ＰＳＴＮ−ＧＷ５へ転送される。
ステップＳ６１８では、ＰＳＴＮ−ＧＷ５のisup-ip変換部５１は、受信した応答信号を、ＰＳＴＮ２０で受信可能な呼出信号（isup:ANM）に変換し、ＰＳＴＮ（発）２０へ送信する。また、ＰＳＴＮ−ＧＷ５は、ステップＳ６１９では、応答信号に対する応答確認信号（例えば、sipではACK）をＩＰ変換装置（着）１ｂへ送信する。その応答信号は、ステップＳ６２０〜Ｓ６２１に示すように、中継サーバ３および加入者サーバ（着）２ｂを経由して、転送される。
そして、ステップＳ６２２では、ＰＳＴＮ２０のＩＳＤＮ端末６ｃとＩＳＤＮ端末（着）６ｂとの間は通話中となる。
【００４０】
（第２実施形態）
第２実施形態として、電話を掛けた（接続先の）相手に発信者番号を通知する「発信者番号通知サービス」を実現するケースについて説明する。なお、以降の説明では、発信者番号を発番号（発ＩＤ）と称すこともある。
まず、発信者番号通知サービスを実現する構成について、図７を用いて説明する。第２実施形態の構成例が第１実施形態の構成例（図１参照）と比較して異なる点は、加入者サーバ（発）２ａに接続されたアプリケーションサーバ４（以降、ＡＳ４と称す。）を備え、ＩＰ変換装置（発）１ａが新たに発ＩＤ網検証部１２および発ＩＤ情報１３を備え、発ＩＤ通知決定部１４および登録情報１５（１５ａ）がＩＰ変換装置（発）１ａ、加入者サーバ（発）２ａ、およびＡＳ４のいずれかに備えられることである。なお、発ＩＤ通知決定部１４および登録情報１５（１５ａ）が、ＩＰ変換装置（発）１ａ、加入者サーバ（発）２ａ、およびＡＳ４の備えられている箇所に応じて、それぞれパターン番号「Ａ１」，「Ａ２」，および「Ａ３」として説明する。また、以降では、図１と異なる点について説明し、図１と同様の動作フローの説明は省略する。また、番号翻訳情報２２、サービス種別情報２３、およびパス情報２４は、図７への表示を省略している。また、ＩＰ変換装置（着）１ｂ、加入者サーバ（着）２ｂ、およびＩＳＤＮ端末６ｂは、表示を省略している。
【００４１】
ＡＳ４は、図示しないＣＰＵと図示しないメインメモリとを備えており、このＣＰＵがメインメモリにアプリケーションプログラムを展開して、それを実行することによって機能が具現化される。なお、アプリケーションプログラムは、図示しない記憶部に格納されている。なお、ＡＳ４が破線で表示してあるのは、パターン番号「Ａ３」の場合のときにしか用いないためである。
【００４２】
ＩＰ変換装置（発）１ａは、図示しないＣＰＵが図示しないメインメモリにアプリケーションプログラムを展開して、それを実行することによって発ＩＤ網検証部１２を具現化する。発ＩＤ網検証部１２は、正しい発ＩＤを格納している発ＩＤ情報１３を参照して、ユーザの付加した発ＩＤ（発番号）の正当性をチェックする。なお、ＩＰ変換装置（発）１ａは、発ＩＤ情報１３を、図示しない記憶部に記憶している。
【００４３】
また、発ＩＤ通知決定部１４は、図示しないＣＰＵが図示しないメインメモリにアプリケーションプログラムを展開して、それを実行することによって具現化される。発ＩＤ通知決定部１４は、発ＩＤ（発番号）を、接続相手に通知するか否かを、登録情報１５（１５ａ）を参照して判定する。例えば、登録情報１５（１５ａ）は、機器の識別情報と通知許可（通知決定情報）とを関連付けたものである。ただし、接続するごとに、通知許可をユーザに確認するようにしても構わない。
【００４４】
＜パターン番号「Ａ１」の動作フロー＞
まず、図８を用いて、ＩＰ変換装置（発）１ａに発ＩＤ通知決定部１４および登録情報１５（１５ａ）が備えられている場合の動作フローについて説明する。
ステップＳ８０１では、ＩＰ変換装置（発）１ａのdss1-ip変換部１１は、ＩＳＤＮ端末（発）６ａからの呼設定信号（dss1:SETUP）を受信する。
そして、ＩＰ変換装置（発）１ａの発ＩＤ網検証１２が、ユーザが付加した発番号が正当か否かをチェックし、誤った発番号であれば、正しい発番号に変換する（図８中の「発ＩＤ網検証」）。また、ＩＰ変換装置（発）１ａの発ＩＤ通知決定部１４が、発番号を接続相手に通知するか否かを判定する。
次に、発番号を接続相手に通知すると判定した場合（図８中の「発ＩＤ通知決定」）、ステップＳ８０２では、ＩＰ変換装置（発）１ａのdss1-ip変換部１１は、ＩＰ網１０で受信可能な呼設定信号（例えば、sipではINVITE<発番号>）に変換して加入者サーバ（発）２ａに送信する。
【００４５】
ステップＳ８０３では、加入者サーバ（発）２ａの呼接続部２１は、受信した呼設定信号を、ＰＳＴＮ−ＧＷ５に送信する。その呼設定信号は、ステップＳ８０３〜Ｓ８０４に示すように、中継サーバ３を経由して、転送される。
ステップＳ８０５では、ＰＳＴＮ−ＧＷ５のisup-ip変換部５１は、受信した呼設定信号を、ＰＳＴＮ２０で受信可能な呼設定信号（isup:IAM<発番号>）に変換し、ＰＳＴＮ（着）２０へ送信し、発番号を通知する。
ステップＳ８０６では、ＰＳＴＮ−ＧＷ５のisup-ip変換部５１は、ＰＳＴＮ（着）２０から呼出信号（isup:ACMまたはCPG）を受信し、ステップＳ８０７では、ＩＰ網１０で受信可能な呼出信号（例えば、sipでは180または183）に変換し、中継サーバ３に送信する。
なお、ステップＳ８０７以降のシーケンスは、図４に示すステップＳ４１２〜Ｓ４２３と同様であるため説明を省略する。
【００４６】
＜パターン番号「Ａ２」の動作フロー＞
次に、パターン番号「Ａ２」の動作フローは、加入者サーバ（発）２ａに、発ＩＤ通知決定部１４および登録情報１５（１５ａ）が備えられている場合である（図７参照）。図９に示す動作フロー（ステップＳ９０１〜Ｓ９０７）は、図８に示すパターン番号「Ａ１」の動作フロー（ステップＳ８０１〜Ｓ８０７）と比較して、ステップＳ９０２（図８のステップＳ８０２）において異なる。
ステップＳ９０１では、ＩＰ変換装置（発）１ａのdss1-ip変換部１１は、ＩＳＤＮ端末（発）６ａからの呼設定信号（dss1:SETUP）を受信する。
そして、ＩＰ変換装置（発）１ａの発ＩＤ網検証１２が、ユーザが付加した発番号が正当か否かをチェックし、誤った発番号であれば、正しい発番号に変換する（図８中の「発ＩＤ網検証」）。そして、ステップＳ９０２では、ＩＰ変換装置（発）１ａのdss1-ip変換部１１は、受信した呼設定信号を、ＩＰ網１０で受信可能な呼設定信号（例えば、sipではINVITE）に変換して加入者サーバ（発）２ａに送信する。
そして、加入者サーバ（発）２ａの発ＩＤ通知決定部１４が、発番号を接続相手に通知するか否かを判定する。
次に、発番号を接続相手に通知すると判定した場合（図８中の「発ＩＤ通知決定」）、ステップＳ９０３では、加入者サーバ（発）２ａは、受信した呼設定信号を、呼設定信号（例えば、sipではINVITE<発番号>）に変換して、ＰＳＴＮ−ＧＷ５に送信する。
なお、ステップＳ９０３以降の処理フローは、図８のステップＳ８０４〜Ｓ８０７と同様であるので、説明を省略する。
【００４７】
＜パターン番号「Ａ３」の動作フロー＞
次に、パターン番号「Ａ３」の動作フローは、ＡＳ４に、発ＩＤ通知決定部１４および登録情報１５（１５ａ）が備えられている場合である（図７参照）。図１０に示す動作フロー（ステップＳ１００１〜Ｓ１００７）は、図８に示すパターン番号「Ａ１」の動作フロー（ステップＳ８０１〜Ｓ８０７）と比較して、ステップＳ１００２（図８のステップＳ８０２），Ｓ１０５１，Ｓ１０５２において異なる。
ステップＳ１００１では、ＩＰ変換装置（発）１ａのdss1-ip変換部１１は、ＩＳＤＮ端末（発）６ａからの呼設定信号（dss1:SETUP）を受信する。
そして、ＩＰ変換装置（発）１ａの発ＩＤ網検証１２が、ユーザが付加した発番号が正当か否かをチェックし、誤った発番号であれば、正しい発番号に変換する（図８中の「発ＩＤ網検証」）。そして、ステップＳ１００２では、ＩＰ変換装置（発）１ａのdss1-ip変換部１１は、受信した呼設定信号を、ＩＰ網１０で受信可能な呼設定信号（例えば、sipではINVITE）に変換して加入者サーバ（発）２ａに送信する。
【００４８】
ステップＳ１０５１では、加入者サーバ（発）２ａの呼接続部２１は、受信した呼接続信号を、ＡＳ４に送信する。
ＡＳ４では、発ＩＤ通知決定部１４が、発番号を接続相手に通知するか否かを判定する。
次に、発番号を接続相手に通知すると判定した場合（図８中の「発ＩＤ通知決定」）、ステップＳ１０５２では、ＡＳ４は、受信した呼設定信号を、呼設定信号（例えば、sipではINVITE<発番号>）に変換して、加入者サーバ（発）２ａに送信する。
ステップＳ１００３では、加入者サーバ（発）２ａは、受信した呼設定信号をＰＳＴＮ−ＧＷ５に送信する。
なお、ステップＳ１００３以降の処理フローは、図８のステップＳ８０４〜Ｓ８０７と同様であるので、説明を省略する。
【００４９】
なお、第２実施形態では、発ＩＤ通知決定部１４および登録情報１５（１５ａ）をセットとして、ＩＰ変換装置（発）１ａ、加入者サーバ（発）２ａ、およびＡＳ４のいずれかに備えるものとして説明した。しかし、発ＩＤ通知決定部１４と登録情報１５（１５ａ）とは、別のＩＰ変換装置（発）１ａ、加入者サーバ（発）２ａ、およびＡＳ４のいずれかに備えられていても構わない。
【００５０】
（第３実施形態）
第３実施形態として、通話ごとに通話料金を通知する「料金情報通知サービス」を実現するケースについて説明する。
まず、料金情報通知サービスを実現する構成について、図１１を用いて説明する。第３実施形態の構成例が第１実施形態の構成例（図１参照）と比較して異なる点は、加入者サーバ（発）２ａに接続されたアプリケーションサーバ４（ＡＳ４）を備え、料金即知判定部４１および登録情報１５（１５ｂ）がＩＰ変換装置（発）１ａ、加入者サーバ（発）２ａ、およびＡＳ４のいずれかに備えられ、料金通知部４２および単位料金情報４３が加入者サーバ（発）２ａおよびＡＳ４のいずれかに備えられることである。なお、発ＩＤ通知決定部１４および登録情報１５（１５ｂ）と料金通知部４２および単位料金情報４３とが備えられる箇所の組み合わせに応じて、それぞれパターン番号「Ｂ１」〜「Ｂ６」として説明する。また、以降では、図１と異なる点について説明し、図１と同様の動作フローの説明は省略する。また、番号翻訳情報２２、サービス種別情報２３、およびパス情報２４は、図１１への表示を省略している。なお、ＡＳ４が破線で表示してあるのは、パターン番号「Ｂ３」〜「Ｂ６」の場合のときにしか用いないためである。
【００５１】
料金即知判定部４１は、図示しないＣＰＵが図示しないメインメモリにアプリケーションプログラムを展開して、それを実行することによって具現化される。料金即知判定部４１は、通話ごとに通話料金を通知するか否かの判定のために、登録情報１５（１５ｂ）を参照する。なお、登録情報１５（１５ｂ）は図示しない記憶部に格納されている。例えば、登録情報１５（１５ｂ）は、機器の識別情報と通話料金通知許可（通知決定情報）とを関連付けたものである。
また、料金通知部４２は、図示しないＣＰＵが図示しないメインメモリにアプリケーションプログラムを展開して、それを実行することによって具現化される。料金通知部４２は、通話ごとに通話料金を通知する場合に、単位料金情報４３を参照して、接続先のダイヤル条件に基づいて単位料金を抽出し、通話時間と合わせて料金情報を算出し、通知する。なお、単位料金情報４３は、図示しない記憶部に格納されている。例えば、単位料金情報４３は、接続先のダイヤル条件と単位料金とを関連付けたものである。
【００５２】
＜ＩＰ網発→ＩＰ網着におけるパターン番号Ｂ６の動作フロー（その１）＞
次に、図１２を用いて、通話中（ステップＳ１２００）となっている接続を、発側から切断する発側切断を実行するときのパターン番号「Ｂ６」の動作フローについて説明する。なお、料金即知判定部４１および登録情報１５（１５ｂ）と、料金通知部４２および単位料金情報４３とは、ＡＳ４に備えられる（図１１参照）。
ステップＳ１２０１では、ＩＰ変換装置（発）１ａのdss1-ip変換部１１は、ＩＳＤＮ端末（発）６ａから切断信号（dss1:DISC）を受信し、ステップＳ１２０２では、ＩＰ網１０で受信可能な切断信号（例えば、sipではBYE）に変換し、加入者サーバ（発）２ａに送信する。
ステップＳ１２３１では、加入者サーバ（発）２ａの呼接続部２１は、受信した切断信号をＡＳ４へ送信する。
ステップＳ１２３２では、ＡＳ４は、受信した切断信号を、加入者サーバ（発）２ａへ送信する。
【００５３】
ステップＳ１２０３では、加入者サーバ（発）２ａの呼接続部２１は、受信した切断信号を、ＩＰ変換装置（着）１ｂに送信する。その切断信号は、ステップＳ１２０４〜Ｓ１２０５に示すように、中継サーバ３および加入者サーバ（着）２ｂを経由して、転送される。
ステップＳ１２０６では、ＩＰ変換装置（着）１ｂのdss1-ip変換部１１は、受信した切断信号を、ＩＳＤＮ端末６が受信可能な切断信号（dss1:DISC）に変換し、ＩＳＤＮ端末（着）６ｂに送信する。また、ステップＳ１２０７では、ＩＰ変換装置（着）１ｂは、受信した切断信号に対する応答として切断応答信号（例えば、sipでは200）を加入者サーバ（発）２ａに送信する。その切断応答信号は、ステップＳ１２０８〜Ｓ１２０９に示すように、加入者サーバ（着）２ｂおよび中継サーバ３を経由して、転送される。
【００５４】
また、切断信号（dss1:DISC）を受信したＩＳＤＮ端末（着）６ｂは、ステップＳ１２１３では解放信号（dss1:RELEASE）をＩＰ変換装置（着）１ｂに送信し、ステップＳ１２１４ではＩＰ変換装置（着）１ｂから解放完了信号（dss1:RELCOM）を受信することで、回線の解放を行う。
【００５５】
ステップＳ１２３３では、加入者サーバ（発）２ａの呼接続部２１は、受信した切断応答信号を、ＡＳ４に送信する。
ステップＳ１２３４では、ＡＳ４の料金即知判定部４１は、料金即知許容/非許容の判定を行い、料金即知許容と判定した場合、料金通知部４２が切断応答信号に料金情報を付加（例えば、sipでは200<料金情報>）し、加入者サーバ（発）２ａに送信する。
ステップＳ１２１０では、加入者サーバ（発）２ａの呼接続部２１は、受信した料金情報が付加された切断応答信号を、ＩＰ変換装置（発）１ａに送信する。
ステップＳ１２１１では、ＩＰ変換装置（発）１ａのdss1-ip変換部１１は、受信した切断応答信号を、ＩＳＤＮ端末６が受信可能な解放信号（dss1:RELEASE<料金情報>）に変換し、ＩＳＤＮ端末（発）６ａに送信し、料金情報を通知する。ステップＳ１２１２では、解放信号（dss1:RELEASE<料金情報>）を受信したＩＳＤＮ端末（発）６ａは、解放完了信号（dss1:RELCOM）をＩＰ変換装置（発）１ａに送信することで、回線の解放を行う。
【００５６】
なお、別フロー１（ステップＳ１２５１，Ｓ１２５２）に示すように、ステップＳ１２３１，Ｓ１２３２の代わりに、加入者サーバ（発）２ａは、通知信号（例えば、sipではMESSAGE）を用いてＡＳ４へ通知し、通知応答信号（例えば、sipでは200）を受信する方法を用いても良い。
また、別フロー２（ステップＳ１２５３，Ｓ１２５４）に示すように、ステップＳ１２３３，Ｓ１２３４の代わりに、加入者サーバ（発）２ａは、通知信号（例えば、sipではMESSAGE）を用いてＡＳ４へ通知し、通知応答信号（例えば、sipでは200<料金情報>）を受信する方法を用いても良い。
【００５７】
＜ＩＰ網発→ＩＰ網着におけるパターン番号Ｂ６の動作フロー（その２）＞
次に、図１３を用いて、通話中（ステップＳ１３００）となっている接続を、着側から切断する着側切断を実行するときの動作フローについて、説明する。なお、料金即知判定部４１および登録情報１５（１５ｂ）と、料金通知部４２および単位料金情報４３とは、ＡＳ４に備えられる。
ステップＳ１３０１では、ＩＰ変換装置（着）１ｂのdss1-ip変換部１１は、ＩＳＤＮ端末（着）６ｂから切断信号（dss1:DISC）を受信し、ステップＳ１３０２では、ＩＰ網１０で受信可能な切断信号（例えば、sipではBYE）に変換し、加入者サーバ（発）２ａに送信する。その切断信号は、ステップＳ１３０３〜Ｓ１３０４に示すように、加入者サーバ（着）２ｂおよび中継サーバ３を経由して、転送される。
【００５８】
ステップＳ１３３１では、加入者サーバ（発）２ａの呼接続部２１は、受信した切断信号をＡＳ４へ送信する。
ステップＳ１３３２では、ＡＳ４の料金即知判定部４１は、料金即知許容/非許容の判定を行い、料金即知許容と判定した場合、料金通知部４２が切断信号に料金情報を付加（例えば、sipではBYE<料金情報>）し、加入者サーバ（発）２ａに送信する。
ステップＳ１３０５では、加入者サーバ（発）２ａの呼接続部２１は、受信した料金情報が付加された切断信号を、ＩＰ変換装置（発）１ａに送信する。
ステップＳ１３０６では、ＩＰ変換装置（発）１ａのdss1-ip変換部１１は、受信した切断信号を、ＩＳＤＮ端末６が受信可能な切断信号（dss1:DISC<料金情報>）に変換し、ＩＳＤＮ端末（発）６ａに送信し、料金情報を通知する。
【００５９】
また、ステップＳ１３０７では、ＩＰ変換装置（発）１ａは、受信した切断信号に対する応答として切断応答信号（例えば、sipでは200）をＩＰ変換装置（着）１ｂに送信する。その切断応答信号は、ステップＳ１３０８〜Ｓ１３１０に示すように、加入者サーバ（発）２ａ、中継サーバ３、および加入者サーバ（着）２ｂを経由して、転送される。
ステップＳ１３１１では、ＩＰ変換装置（着）１ｂのdss1-ip変換部１１は、受信した切断応答信号を、ＩＳＤＮ端末６が受信可能な解放信号（dss1:RELEASE）に変換し、ＩＳＤＮ端末（着）６ｂに送信する。
ステップＳ１３１２では、解放信号（dss1:RELEASE）を受信したＩＳＤＮ端末（着）６ｂは、解放完了信号（dss1:RELCOM）をＩＰ変換装置（着）１ｂに送信することで、回線の解放を行う。
また、切断信号（dss1:DISC<料金情報>）を受信したＩＳＤＮ端末（発）６ａは、ステップＳ１３１３で解放信号（dss1:RELEASE）をＩＰ変換装置（発）１ａへ送信し、ステップＳ１３１４で解放完了信号（dss1:RELCOM）を受信することで回線の解放を行う。
【００６０】
なお、別フロー３（ステップＳ１３５１，Ｓ１３５２）に示すように、ステップＳ１３３１，Ｓ１３３２の代わりに、加入者サーバ（発）２ａは、通知信号（例えば、sipではMESSAGE）を用いてＡＳ４へ通知し、ＡＳ４から通知応答信号（例えば、sipでは200）を受信する方法を用いても良い。
【００６１】
＜ＩＰ網発→ＩＰ網着におけるパターン番号「Ｂ１」の動作フロー＞
パターン番号「Ｂ１」の場合は、ＩＰ変換装置（発）１ａに料金即知判定部４１および登録情報１５（１５ｂ）が備えられ、加入者サーバ（発）２ａに料金通知部４２および単位料金情報４３が備えられている場合であり（図１１参照）、図１２，図１３との相違点のみ説明する。
ステップＳ１２３１，Ｓ１２３２，Ｓ１２３３，Ｓ１２３４，Ｓ１３３１，Ｓ１３３２が不要となる。
そして、図１２に示すステップＳ１２０９のように、切断応答信号を受信した加入者サーバ（発）２ａの料金通知部４２は、料金を算出し、その算出した料金を料金情報として切断応答信号に付加（例えば、sipでは200<料金情報>）し、ＩＰ変換装置（発）１ａに送信する。
そして、ＩＰ変換装置（発）１ａの料金即知判定部４１は、料金情報を付加した切断応答信号を受信したとき、料金即知許容/非許容の判定を行い、料金即知許容と判定した場合に、料金情報を付加した解放信号（例えば、sipではRELEASE<料金情報>）を、ＩＳＤＮ端末６ａに送信する。
また、図１３に示すステップＳ１３０４のように、切断信号を受信した加入者サーバ（発）２ａの料金通知部４２は、料金を算出し、その算出した料金を料金情報として切断信号に付加（例えば、sipではBYE<料金情報>）し、ＩＰ変換装置（発）１ａに送信する。
そして、料金情報を付加した切断信号を受信したＩＰ変換装置（発）１ａの料金即知判定部４１は、料金即知許容/非許容の判定を行い、料金即知許容と判定した場合、料金情報を付加した切断信号（dss1:DISC<料金情報>）を、ＩＳＤＮ端末６ａに送信する。
【００６２】
＜ＩＰ網発→ＩＰ網着におけるパターン番号「Ｂ２」の動作フロー＞
パターン番号「Ｂ２」の場合は、加入者サーバ（発）２ａに料金即知判定部４１および登録情報１５（１５ｂ）と、料金通知部４２および単位料金情報４３とが備えられている場合であり（図１１参照）、図１２，図１３との相違点のみ説明する。
ステップＳ１２３１，Ｓ１２３２，Ｓ１２３３，Ｓ１２３４，Ｓ１３３１，Ｓ１３３２が不要となる。
そして、図１２に示すステップＳ１２０９のように、切断応答信号を受信した加入者サーバ（発）２ａの料金通知部４２は、料金を算出し、料金即知判定部４１が料金即知許容/非許容の判定を行い、料金即知許容と判定した場合に、算出した料金を料金情報として付加した切断応答信号（例えば、sipでは200<料金情報>）を、ＩＰ変換装置（発）１ａに送信する。
また、図１３に示すステップＳ１３０４のように、切断信号を受信した加入者サーバ（発）２ａの料金通知部４２は、料金を算出し、料金即知判定部４１が料金即知許容/非許容の判定を行い、料金即知許容と判定した場合に、算出した料金を料金情報として付加した切断信号（例えば、sipではBYE<料金情報>）を、ＩＰ変換装置（発）１ａに送信する。
【００６３】
＜ＩＰ網発→ＩＰ網着におけるパターン番号「Ｂ３」の動作フロー＞
パターン番号「Ｂ３」の場合は、ＡＳ４に料金即知判定部４１および登録情報１５（１５ｂ）が備えられ、加入者サーバ（発）２ａに料金通知部４２および単位料金情報４３が備えられている場合であり（図１１参照）、図１２，図１３との相違点のみ説明する。
図１２に示すステップＳ１２０９のように、切断応答信号を受信した加入者サーバ（発）２ａの料金通知部４２は、料金を算出し、その算出した料金を料金情報として切断応答信号に付加（例えば、sipでは200<料金情報>）し、ＡＳ４に送信する。
そして、料金情報を付加した切断応答信号を受信したＡＳ４の料金即知判定部４１は、料金即知許容/非許容の判定を行い、料金即知許容と判定した場合、料金情報を付加した切断応答信号（例えば、sipでは200<料金情報>）を、加入者サーバ（発）２ａに送信する。
また、図１３に示すステップＳ１３０４のように、切断信号を受信した加入者サーバ（発）２ａの料金通知部４２は、料金を算出し、その算出した料金を料金情報として切断応答信号に付加（例えば、sipではBYE<料金情報>）し、ＡＳ４に送信する。
そして、料金情報を付加した切断応答信号を受信したＡＳ４の料金即知判定部４１は、料金即知許容/非許容の判定を行い、料金即知許容と判定した場合、料金情報を付加した切断応答信号（例えば、sipではBYE<料金情報>）を、加入者サーバ（発）２ａに送信する。
【００６４】
＜ＩＰ網発→ＩＰ網着におけるパターン番号「Ｂ４」の動作フロー＞
パターン番号「Ｂ４」の場合は、ＩＰ変換装置（発）１ａに料金即知判定部４１および登録情報１５（１５ｂ）が備えられ、ＡＳ４に料金通知部４２および単位料金情報４３が備えられている場合であり（図１１参照）、図１２，図１３との相違点のみ説明する。
図１２に示すステップＳ１２３３のように、切断応答信号を受信したＡＳ４の料金通知部４２は、料金を算出し、算出した料金を料金情報として付加した切断応答信号（例えば、sipでは200<料金情報>）を、加入者サーバ（発）２ａを経由して、ＩＰ変換装置（発）１ａに送信する。
そして、料金情報を付加した切断応答信号を受信したＩＰ変換装置（発）１ａの料金即知判定部４１は、料金即知許容/非許容の判定を行い、料金即知許容と判定した場合に、受信した料金情報を付加した切断応答信号を、料金情報を付加した解放信号（dss1:RELEASE<料金情報>）に変換し、ＩＳＤＮ端末６ａに送信する。
また、図１３に示すステップＳ１３３１のように、切断信号を受信したＡＳ４の料金通知部４２は、料金を算出し、算出した料金を料金情報として付加した切断信号（例えば、sipではBYE<料金情報>）を、加入者サーバ（発）２ａを経由して、ＩＰ変換装置（発）１ａに送信する。
そして、料金情報を付加した切断信号を受信したＩＰ変換装置（発）１ａの料金即知判定部４１は、料金即知許容/非許容の判定を行い、料金即知許容と判定した場合に、受信した料金情報を付加した切断信号を、料金情報を付加した切断信号（dss1:DISC<料金情報>）に変換し、ＩＳＤＮ端末６ａに送信する。
【００６５】
＜ＩＰ網発→ＩＰ網着におけるパターン番号「Ｂ５」の動作フロー＞
パターン番号「Ｂ５」の場合は、加入者サーバ（発）２ａに料金即知判定部４１および登録情報１５（１５ｂ）が備えられ、ＡＳ４に料金通知部４２および単位料金情報４３が備えられている場合であり（図１１参照）、図１２，図１３との相違点のみ説明する。
図１２に示すステップＳ１２３３のように、切断応答信号を受信したＡＳ４の料金通知部４２は、料金を算出し、算出した料金を料金情報として付加した切断応答信号（例えば、sipでは200<料金情報>）を、加入者サーバ（発）２ａに送信する。
そして、料金情報を付加した切断応答信号を受信した加入者サーバ（発）２ａの料金即知判定部４１は、料金即知許容/非許容の判定を行い、料金即知許容と判定した場合に、受信した料金情報を付加した切断応答信号を、ＩＰ変換装置（発）１ａに送信する。
また、図１３に示すステップＳ１３３１のように、切断信号を受信したＡＳ４の料金通知部４２は、料金を算出し、算出した料金を料金情報として付加した切断信号（例えば、sipではBYE<料金情報>）を、加入者サーバ（発）２ａに送信する。
そして、料金情報を付加した切断信号を受信した加入者サーバ（発）２ａの料金即知判定部４１は、料金即知許容/非許容の判定を行い、料金即知許容と判定した場合に、受信した料金情報を付加した切断信号を、ＩＰ変換装置（発）１ａに送信する。
【００６６】
＜ＩＰ網発→ＰＳＴＮ着におけるパターン番号Ｂ６の動作フロー（その３）＞
次に、図１４を用いて、通話中（ステップＳ１４００）となっている接続を、発側から切断する発側切断を実行するときの動作フローについて、説明する。なお、料金即知判定部４１および登録情報１５（１５ｂ）と、料金通知部４２および単位料金情報４３とは、ＡＳ４に備えられる。
なお、ステップＳ１４０１〜Ｓ１４０３，Ｓ１４０８〜Ｓ１４１１，Ｓ１４３１〜Ｓ１４３４，Ｓ１４５１〜Ｓ１４５４は、図１２に示すステップＳ１２０１〜Ｓ１２０３，Ｓ１２０９〜Ｓ１２１２，Ｓ１２３１〜Ｓ１２３４，Ｓ１２５１〜Ｓ１２５４と同じ処理であるので、説明を省略する。
ステップＳ１４０４の切断信号（例えば、sipではBYE）を受信したＰＳＴＮ−ＧＷ５のisup-ip変換部５１は、ステップＳ１４０５では、受信した切断信号を、ＰＳＴＮ２０で受信可能な切断信号（isup:REL）に変換し、ＰＳＴＮ（着）２０へ送信する。次に、切断信号（isup:REL）を受信したＰＳＴＮ（着）２０は、復旧完了信号（isup:RLC）をＰＳＴＮ−ＧＷ５に送信する（ステップＳ１４０６）ことで回線の解放を行う。
また、ステップＳ１４０７では、ＰＳＴＮ−ＧＷ５は、受信した切断信号に対する応答として切断応答信号（例えばsipでは200）を加入者サーバ（発）２ａに送信する。その切断応答信号は、ステップＳ１４０８に示すように、中継サーバ３を経由して転送される。
なお、料金即知は、発側機能のため、ＩＰ網→ＰＳＴＮ着の場合は、ＩＰ網発→ＩＰ網着の場合と同様の処理となるので、説明を省略する。
【００６７】
＜ＩＰ網発→ＰＳＴＮ着におけるパターン番号Ｂ６の動作フロー（その４）＞
次に、図１５を用いて、通話中（ステップＳ１５００）となっている接続を、着側から切断する着側切断を実行するときの動作フローについて、説明する。なお、料金即知判定部４１および登録情報１５（１５ｂ）と、料金通知部４２および単位料金情報４３とは、ＡＳ４に備えられる。
なお、ステップＳ１５０３〜Ｓ１５０５，Ｓ１５０７〜Ｓ１５０８，Ｓ１５１０〜Ｓ１５１１，Ｓ１５３１〜Ｓ１５３２は、図１３に示すステップＳ１３０４〜Ｓ１３０６，Ｓ１３０７〜Ｓ１３０８，Ｓ１３１３〜Ｓ１３１４，Ｓ１３３１〜Ｓ１３３２と同じ処理であるので、説明を省略する。
ステップＳ１５０１では、ＰＳＴＮ−ＧＷ５のisup-ip変換部５１は、ＰＳＴＮ２０から切断信号（isup:REL）を受信し、ステップＳ１５０２では、ＩＰ網１０で受信可能な切断信号（例えば、sipではBYE）に変換し、加入者サーバ（発）２ａに送信する。その切断信号は、ステップＳ１５０３に示すように、中継サーバを経由して、転送される。また、ＰＳＴＮ−ＧＷ５は、受信した切断信号に対する応答として復旧完了信号（isup:RLC）をＰＳＴＮ２０に送信する（ステップＳ１５０６）。また、ＰＳＴＮ−ＧＷ５は、ステップＳ１５０９では、ＩＰ変換装置（発）１ａから送信された切断応答信号（例えば、sipでは200）を受信する。
【００６８】
なお、ＩＰ網発→ＰＳＴＮ着におけるパターン番号「Ｂ１」〜「Ｂ５」における料金即知判定部４１および料金通知部４２の処理は、前記したＩＰ網発→ＩＰ網着におけるパターン番号「Ｂ１」〜「Ｂ５」の場合と同様であるので、説明を省略する。
また、ＰＳＴＮ発→ＩＰ網着については、発側のＰＳＴＮで料金情報通知サービスの処理が実行されるため、説明を省略する。
【００６９】
また、第３実施形態では、料金即知判定部４１および登録情報１５（１５ｂ）をセットとして、また、料金通知部４２および単位料金情報４３をセットとして、ＩＰ変換装置（発）１ａ、加入者サーバ（発）２ａ、およびＡＳ４のいずれかに備えるものとして説明した。しかし、料金即知判定部４１と登録情報１５（１５ｂ）とは、別のＩＰ変換装置（発）１ａ、加入者サーバ（発）２ａ、およびＡＳ４のいずれかに備えられていても構わない。また、料金通知部４２と単位料金情報４３とは、別のＩＰ変換装置（発）１ａ、加入者サーバ（発）２ａ、およびＡＳ４のいずれかに備えられていても構わない。
【００７０】
（第４実施形態）
第４実施形態として、１本のＩＳＤＮ回線に接続された複数のＩＳＤＮ端末に付されたサブアドレスを指定することにより、指定したサブアドレスのＩＳＤＮ端末に着信させる「サブアドレス通知サービス」を実現するケースについて説明する。
まず、サブアドレス通知サービスを実現する構成について、図１６を用いて説明する。第４実施形態の構成例が第１実施形態の構成例（図１参照）と比較して異なる点は、加入者サーバ（発）２ａに接続されたアプリケーションサーバ４（ＡＳ４）を備え、サブアドレス通知判定部１６および登録情報１５（１５ｃ）がＩＰ変換装置（発）１ａ、加入者サーバ（発）２ａ、およびＡＳ４のいずれかに備えられ、着信部１７およびサブアドレス情報１８がＩＰ変換装置（着）１ｂおよびＰＳＴＮ（着）２０のいずれかに備えられることである。また、ＩＳＤＮ端末６ｃ，６ｄ，６ｂ，６ｅにはそれぞれ、サブアドレス０１，０２，０３，０４が付されている。なお、サブアドレス通知判定部１６および登録情報１５（１５ｃ）と着信部１７およびサブアドレス情報１８とが備えられる箇所の組み合わせに応じて、パターン番号「Ｃ１１」，「Ｃ１２」，「Ｃ１３」，「Ｃ２」〜「Ｃ５」として説明する。また、以降では、図１と比較して異なる点について説明し、図１と同様の動作フローの説明は省略する。また、番号翻訳情報２２、サービス種別情報２３、およびパス情報２４は、図１６への表示を省略している。また、ＡＳ４が破線で表示してあるのは、パターン番号「Ｃ４」の場合のときにしか用いないためである。
【００７１】
サブアドレス通知判定部１６は、図示しないＣＰＵが図示しないメインメモリにアプリケーションプログラムを展開して、それを実行することによって具現化される。サブアドレス通知判定部１６は、登録情報１５（１５ｃ）を参照して、サブアドレス通知を行うか否かを判定する（サブアドレス許容／非許容の判定）。なお、登録情報１５（１５ｃ）は、図示しない記憶部に記憶されている。例えば、登録情報１５（１５ｃ）は、機器の識別情報とサブアドレス通知許可（許可情報）とを関連付けたものである。
また、着信部１７は、図示しないＣＰＵが図示しないメインメモリにアプリケーションプログラムを展開して、それを実行することによって具現化される。着信部１７は、サブアドレス通知を行う場合に、サブアドレス情報１８を参照して、サブアドレスによって指定された機器に着信させる。なお、サブアドレス情報１８は、図示しない記憶部に記憶されている。例えば、サブアドレス情報１８は、機器の識別情報とサブアドレスとを関連付けたものである。
【００７２】
＜ＩＰ網発→ＩＰ網着におけるパターン番号「Ｃ１１」の動作フロー＞
まず、図１７を用いて、ＩＰ網１０のＩＳＤＮ端末（発）６ａからＩＰ網１０のＩＳＤＮ端末（着）６ｅ（サブアドレス「０４」）へ接続する場合の動作フローについて説明する。なお、パターン番号「Ｃ１１」では、サブアドレス通知判定部１６および登録情報１５（１５ｃ）はＩＰ変換装置（発）１ａに備えられ、着信部１７およびサブアドレス情報１８は、ＩＰ変換装置（着）１ｂに備えられている。
ステップＳ１７０１では、ＩＰ変換装置（発）１ａのdss1-ip変換部１１は、ＩＳＤＮ端末（発）６ａから呼設定信号（dss1:SETUP<発サブアドレス、着サブアドレスのいずれかまたは両方>）を受信する。例えば、ＩＳＤＮ端末（着）６ｅに関連付けられているサブアドレス「０４」に着信させる場合には、ＩＳＤＮ端末（発）６ａから「０Ｘ−ＸＸＸＸ−ＸＸＸＸ＊０４」のようにダイヤルする。
ステップＳ１７０２では、ＩＰ変換装置（発）１ａのサブアドレス通知判定部１６は、サブアドレス許容/非許容の判定を行い、サブアドレス許容の判定の場合には、ＩＰ変換装置（発）１ａのdss1-ip変換部１１が、ＩＰ網１０で受信可能な呼設定信号（例えば、sipではINVITE<発サブアドレス、着サブアドレスのいずれかまたは両方>）に変換して加入者サーバ（発）２ａに送信する。
ステップＳ１７０３では、加入者サーバ（発）２ａの呼接続部２１は、受信した呼設定信号を、ＩＰ変換装置（着）１ｂに送信する。その呼設定信号は、ステップＳ１７０４〜Ｓ１７０５に示すように、中継サーバ３および加入者サーバ（着）２ｂを経由して、転送される。
【００７３】
ステップＳ１７０６では、ＩＰ変換装置（着）１ｂのdss1-ip変換部１１は、受信した呼設定信号を、ＩＳＤＮ端末６で受信可能な呼設定信号（dss1:SETUP<発サブアドレス、着サブアドレスのいずれかまたは両方>）に変換し、ＩＰ変換装置（着）１ｂの着信部１７が受信した呼設定信号に格納されている着サブアドレス「０４」に基づいて、着サブアドレス「０４」に対応したＩＳＤＮ端末（着）６ｅに送信する。
なお、ステップＳ１７０７〜Ｓ１７１１の呼設定受付信号は、それぞれステップＳ１７０１〜Ｓ１７０５に対する応答である。
ステップＳ１７１２では、ＩＰ変換装置（着）１ｂのdss1-ip変換部１１は、ＩＳＤＮ端末（着）６ｅから呼出信号（dss1:ALERT）を受信し、ステップＳ１７１３では、ＩＰ網１０で受信可能な呼出信号（例えば、sipでは180）に変換して、ＩＰ変換装置（発）１ａに送信する。その呼出信号は、ステップＳ１７１４〜Ｓ１７１６に示すように、加入者サーバ（着）２ｂ、中継サーバ３、および加入者サーバ（発）２ａを経由して、転送される。
ステップＳ１７１７では、ＩＰ変換装置（発）１ａのdss1-ip変換部１１は、受信した呼出信号を、ＩＳＤＮ端末６で受信可能な呼出信号（dss1:ALERT）に変換し、ＩＳＤＮ端末（発）６ａに送信する。
ステップＳ１７１７以降の処理は、図２に示すステップＳ２１８〜Ｓ２２４と同様であるので、説明を省略する。
【００７４】
＜ＩＰ網発→ＩＰ網着におけるパターン番号「Ｃ１２」の動作フロー＞
なお、パターン番号「Ｃ１１」の変形例として、加入者サーバ（発）２ａがサブアドレス通知判定部１６および登録情報１５（１５ｃ）を備えていても良い。このケースでは、図１７に示すステップＳ１７０２のように、呼設定信号を受信した加入者サーバ（発）２ａは、サブアドレス通知判定部によって、サブアドレスへ着信許可すると判定された場合、そのサブアドレスを付加した呼設定信号を接続先に送信する。そして、ＩＰ変換装置（着）１ｂは、サブアドレスを付加した呼設定信号を受信して、着信部によって、受信した呼設定信号に付加されたサブアドレスに関連付けられたＩＳＤＮ端末（着）６ｂに、呼設定信号を送信する。
【００７５】
＜ＩＰ網発→ＩＰ網着におけるパターン番号「Ｃ１３」の動作フロー＞
また、パターン番号「Ｃ１１」の別の変形例では、ＡＳ４がサブアドレス通知判定部１６および登録情報１５（１５ｃ）を備えていても良い。このケースでは、図１７に示すステップＳ１７０２のように、呼設定信号を受信した加入者サーバ（発）２ａは、受信した呼設定信号をＡＳ４に送信する。そして、ＡＳ４では、サブアドレス通知判定部によって、サブアドレスへ着信許可すると判定された場合、そのサブアドレスを付加した呼設定信号を加入者サーバ（発）２ａに送信する。そして、加入者サーバ（発）２ａから、サブアドレスを付加した呼設定信号を受信したＩＰ変換装置（着）１ｂは、着信部によって、受信した呼設定信号に付加されたサブアドレスに関連付けられたＩＳＤＮ端末（着）６ｂに、呼設定信号を送信する。
【００７６】
＜ＩＰ網発→ＰＳＴＮ着におけるパターン番号「Ｃ２」の動作フロー＞
次に、図１８を用いて、ＩＰ網１０のＩＳＤＮ端末（発）６ａからＰＳＴＮ２０のＩＳＤＮ端末６ｄ（サブアドレス「０２」）へ接続する場合の動作フローについて説明する。なお、サブアドレス通知判定部１６および登録情報１５（１５ｃ）はＩＰ変換装置（発）１ａに備えられ、着信部１７およびサブアドレス情報１８は、ＰＳＴＮ２０に備えられる。
ステップＳ１８０１では、ＩＰ変換装置（発）１ａのdss1-ip変換部１１は、ＩＳＤＮ端末（発）６ａから呼設定信号（dss1:SETUP<発サブアドレス、着サブアドレスのいずれかまたは両方>）を受信する。例えば、ＩＳＤＮ端末（着）６ｄに関連付けられているサブアドレス「０２」に着信させる場合には、ＩＳＤＮ端末（発）６ａから「０Ｘ−ＸＸＸＸ−ＸＸＸＸ＊０２」のようにダイヤルする。
【００７７】
ステップＳ１８０２では、ＩＰ変換装置（発）１ａのサブアドレス通知判定部１６は、サブアドレス許容/非許容の判定を行い、サブアドレス許容の判定の場合には、ＩＰ変換装置（発）１ａのdss1-ip変換部１１が、受信した呼設定信号を、ＩＰ網１０で受信可能な呼設定信号（例えば、sipではINVITE<発サブアドレス、着サブアドレスのいずれかまたは両方>）に変換して加入者サーバ（発）２ａに送信する。
ステップＳ１８０３では、加入者サーバ（発）２ａの呼接続部２１は、受信した呼設定信号を、ＰＳＴＮ−ＧＷ５に送信する。その呼設定信号は、ステップＳ１８０４に示すように、中継サーバ３を経由して、転送される。
ステップＳ１８０５では、ＰＳＴＮ−ＧＷ５のisup-ip変換部５１は、受信した呼設定信号を、ＰＳＴＮ２０で受信可能な呼設定信号（isup:IAM<発サブアドレス、着サブアドレスのいずれかまたは両方>）に変換し、ＰＳＴＮ（着）２０へ送信し、サブアドレス「０２」を通知する。
【００７８】
また、ステップＳ１８０６では、ＰＳＴＮ−ＧＷ５のisup-ip変換部５１は、ＰＳＴＮ（着）２０から呼出信号（isup:ACMまたはCPG）を受信し、ステップＳ１８０７では、ＩＰ網１０で受信可能な呼出信号（例えば、sipでは180または183）に変換し、接続先に送信する。
なお、ステップＳ１８０７以降の処理は、図２に示すステップＳ２１４〜Ｓ２２４と同様であるので、説明を省略する。
【００７９】
＜ＩＰ網発→ＰＳＴＮ着におけるパターン番号「Ｃ３」の動作フロー＞
次に、図１９を用いて、ＩＰ網１０のＩＳＤＮ端末（発）６ａからＰＳＴＮ２０のＩＳＤＮ端末（着）６ｄ（サブアドレス「０２」）へ接続する場合の動作フローについて説明する。なお、サブアドレス通知判定部１６および登録情報１５（１５ｃ）は加入者サーバ（発）２ａに備えられ、着信部１７およびサブアドレス情報１８は、ＰＳＴＮ２０に備えられる。
図１９に示すパターン番号「Ｃ３」における動作フローは、サブアドレス許容／非許容の判定が加入者サーバ（発）２ａで行われる点以外、図１８に示したパターン番号「Ｃ２」における動作フローと同様であるので、説明を省略する。
【００８０】
＜ＩＰ網発→ＰＳＴＮ着におけるパターン番号「Ｃ４」の動作フロー＞
次に、図２０を用いて、ＩＰ網１０のＩＳＤＮ端末（発）６ａからＰＳＴＮのＩＳＤＮ端末（着）６ｄ（サブアドレス「０２」）へ接続する場合の動作フローについて説明する。なお、サブアドレス通知判定部１６および登録情報１５（１５ｃ）はＡＳ４に備えられ、着信部１７およびサブアドレス情報１８は、ＰＳＴＮ２０に備えられる。
ステップＳ２００１では、ＩＰ変換装置（発）１ａのdss1-ip変換部１１は、ＩＳＤＮ端末（発）６ａからの呼設定信号（dss1:SETUP<発サブアドレス、着サブアドレスのいずれかまたは両方>）を受信する。例えば、ＩＳＤＮ端末（着）６ｄに関連付けられているサブアドレス「０２」に着信させる場合には、ＩＳＤＮ端末（発）６ａから「０Ｘ−ＸＸＸＸ−ＸＸＸＸ＊０２」のようにダイヤルする。
【００８１】
そして、ステップＳ２００２では、ＩＰ変換装置（発）１ａのdss1-ip変換部１１は、受信した呼設定信号を、ＩＰ網１０で受信可能な呼設定信号（例えば、sipではINVITE<発サブアドレス、着サブアドレスのいずれかまたは両方>）に変換して加入者サーバ（発）２ａに送信する。
ステップＳ２００３では、加入者サーバ（発）２ａの呼接続部２１は、受信した呼設定信号を、ＡＳ４に送信する。
ステップＳ２００４では、ＡＳ４のサブアドレス通知判定部１６は、サブアドレス許容/非許の判定を行い、サブアドレス許容の判定の場合には、受信した呼設定信号を、加入者サーバ（発）２ａ経由で、ＰＳＴＮ−ＧＷ５に送信する。
ステップＳ２００５では、加入者サーバ（発）２ａの呼接続部２１は、受信した呼設定信号を、ＰＳＴＮ−ＧＷ５に送信する。その呼設定信号は、ステップＳ２００６に示すように、中継サーバ３を経由して、転送される。
ステップＳ２００７では、ＰＳＴＮ−ＧＷ５のisup-ip変換部５１は、受信した呼設定信号を、ＰＳＴＮ２０で受信可能な呼設定信号（isup:IAM<発サブアドレス、着サブアドレスのいずれかまたは両方>）に変換し、ＰＳＴＮ（着）２０へ送信し、サブアドレス「０２」を通知する。
【００８２】
また、ステップＳ２００８では、ＰＳＴＮ−ＧＷ５のisup-ip変換部５１は、ＰＳＴＮ（着）２０から呼出信号（isup:ACMまたはCPG）を受信し、ステップＳ２００９では、ＩＰ網１０で受信可能な呼出信号（例えば、sipでは180または183）に変換し、接続先に送信する。
なお、ステップＳ２００９以降の処理は、図２に示すステップＳ２１４〜Ｓ２２４と同様であるので、説明を省略する。
【００８３】
＜ＰＳＴＮ発→ＩＰ網着におけるパターン番号「Ｃ５」の動作フロー＞
次に、図２１を用いて、ＰＳＴＮ２０のＩＳＤＮ端末（発）６からＩＰ網１０のＩＳＤＮ端末（着）６ｅ（サブアドレス「０４」）へ接続する場合の動作フローについて説明する。なお、サブアドレス通知判定部１６および登録情報１５（１５ｃ）はＰＳＴＮ（発）２０に備えられ、着信部１７およびサブアドレス情報１８はＩＰ変換装置（着）１ｂに備えられる。
ステップＳ２１０１では、ＰＳＴＮ−ＧＷ５のisup-ip変換部５１は、ＰＳＴＮ（発）２０から呼設定信号（isup:IAM<発サブアドレス、着サブアドレスのいずれかまたは両方>）を受信する。なお、着サブアドレスには、ＩＳＤＮ端末（着）６ｅに関連付けられているサブアドレス「０４」が設定されている。
【００８４】
ステップＳ２１０２では、ＰＳＴＮ−ＧＷ５のisup-ip変換部５１は、受信した呼設定信号を、ＩＰ網１０で受信可能な呼設定信号（例えば、sipではINVITE<発サブアドレス、着サブアドレスのいずれかまたは両方>）に変換して、ＩＰ変換装置（着）１ｂに送信する。その呼設定信号は、ステップＳ２１０３〜Ｓ２１０４に示すように、中継サーバ３および加入者サーバ（着）２ｂを経由して、転送される。
ステップＳ２１０５では、ＩＰ変換装置（着）１ｂのdss1-ip変換部１１は、受信した呼設定信号を、ＩＳＤＮ端末６で受信可能な呼設定信号（dss1:SETUP<発サブアドレス、着サブアドレスのいずれかまたは両方>）に変換し、ＩＰ変換装置（着）１ｂの着信部１７が受信した呼設定信号に格納されている着サブアドレス「０４」に基づいて、着サブアドレス「０４」に対応したＩＳＤＮ端末（着）６ｅに送信する。
なお、ステップＳ２１０６〜Ｓ２１０８は、それぞれステップＳ２１０２〜Ｓ２１０４に対する応答（呼設定受付信号）である。
【００８５】
ステップＳ２１０９では、ＩＰ変換装置（着）１ｂのdss1-ip変換部１１は、ＩＳＤＮ端末（着）６ｅから呼出信号（dss1:ALERT）を受信し、ステップＳ２１１０では、ＩＰ網１０で受信可能な呼出信号（例えば、sipでは180）に変換し、接続先に送信する。
なお、ステップＳ２１１０以降の処理は、図６に示すステップＳ６１１〜Ｓ６２２と同様であるので、説明を省略する。
【００８６】
また、第４実施形態では、サブアドレス通知判定部１６および登録情報１５（１５ｃ）をセットとして、ＩＰ変換装置（発）１ａ、加入者サーバ（発）２ａ、およびＡＳ４のいずれかに備えるものとし、また、着信部１７およびサブアドレス情報１８をセットとして、ＩＰ変換装置（着）１ｂおよびＰＳＴＮ（着）２０のいずれかに備えるものとして説明した。しかし、サブアドレス通知判定部１６と登録情報１５（１５ｃ）とは、別のＩＰ変換装置（発）１ａ、加入者サーバ（発）２ａ、およびＡＳ４のいずれかに備えられていても構わない。また、着信部１７とサブアドレス情報１８とは、別のＩＰ変換装置（着）１ｂおよびＰＳＴＮ（着）２０のいずれかに備えられていても構わない。
【００８７】
（第５実施形態）
第５実施形態として、通話中にＩＳＤＮ端末を別のコネクタに移動して通信を再開する「通信中機器移動サービス」を実現するケースについて説明する。
まず、通信中機器移動サービスを実現する構成について、図２２を用いて説明する。第５実施形態の構成例が第１実施形態の構成例（図１参照）と比較して異なる点は、加入者サーバ（発）２ａに接続されたアプリケーションサーバ４（ＡＳ４）を備え、通信中機器移動判定部１９および登録情報１５（１５ｄ）がＩＰ変換装置（発）１ａ、加入者サーバ（発）２ａ、ＡＳ４、ＰＳＴＮ（発）２０のいずれかに備えられることである。また、ＩＳＤＮ端末６ａを接続するコネクタが複数設けられているものとする。なお、通信中機器移動判定部１９および登録情報１５（１５ｄ）が備えられる箇所に応じて、それぞれパターン番号「Ｄ１」〜「Ｄ４」として説明する。また、以降では、図１と異なる点について説明し、図１と同様の動作フローの説明は省略する。また、番号翻訳情報２２、サービス種別情報２３、およびパス情報２４は、図２２への表示を省略している。なお、ＡＳ４が破線で表示してあるのは、パターン番号「Ｄ３」の場合のときにしか用いないためである。
【００８８】
通信中機器移動判定部１９は、図示しないＣＰＵが図示しないメインメモリにアプリケーションプログラムを展開して、それを実行することによって具現化される。通信中機器移動判定部１９は、登録情報１５（１５ｄ）を参照して、通信中機器移動を許可するか否かを判定する（通信中機器移動許容/非許容の判定）。なお、登録情報１５（１５ｄ）は、機器の識別情報と移動許可情報とを関連付けたもので、図示しない記憶部に記憶されている。
【００８９】
＜ＩＰ網発→ＩＰ網着におけるパターン番号「Ｄ１」の動作フロー（その１）＞
まず、図２３を用いて、ＩＰ網１０のＩＳＤＮ端末（発）６ａからＩＰ網１０のＩＳＤＮ端末（着）６ｂへ接続している通話中において、ＩＳＤＮ端末（発）６ａを別のコネクタに移動してＩＳＤＮ端末６ａ’として再開する動作フローについて説明する。なお、通信中機器移動判定部１９および登録情報１５（１５ｄ）はＩＰ変換装置（発）１ａに備えられている。
図２３のステップＳ２３０１の直前の状態は、ＩＳＤＮ端末（発）６ａとＩＳＤＮ端末（着）６ｂとの間で通話中であるものとする。また、図２３では、中継サーバ３と加入者サーバ（着）２ｂとの間は単に信号を転送しているだけなので、まとめて表示している。
【００９０】
まず、ＩＳＤＮ端末（発）６ａとＩＳＤＮ端末（着）６ｂとの間の通話を中断する場合について説明する。
ステップＳ２３０１では、ＩＰ変換装置（発）１ａのdss1-ip変換部１１は、ＩＳＤＮ端末（発）６ａから中断信号（dss1:SUSPEND）を受信する。
ステップＳ２３０２では、通信中機器移動判定部１９が通信中機器移動許容/非許容の判定を行い、通信中機器移動許容と判定した場合、dss1-ip変換部１１が、受信した中断信号を、ＩＰ網１０で受信可能な中断信号（例えば、sipではre-INVITEまたはUPDATE）に変換し、ＩＰ変換装置（着）１ｂに送信する。その中断信号は、ステップＳ２３０５〜Ｓ２３０６に示すように、加入者サーバ（発）２ａ、中継サーバ３、および２ｂ加入者サーバ（着）２ｂを経由して、転送される。また、ＩＰ変換装置（発）１ａは、同一バス上に接続されている機器に対して、通知信号（dss1:INFO（DMY-CR））を送信する（ステップＳ２３０３）。
【００９１】
また、ステップＳ２３０４では、ＩＰ変換装置（発）１ａは、ステップＳ２３０１の中断信号（dss1:SUSPEND）に対する応答として、中断確認信号（dss1:SUS_ACK）をＩＳＤＮ端末（発）６ａに送信する。なお、ステップＳ２３０１で中断信号（dss1:SUSPEND）を受信したＩＰ変換装置（発）１ａは、保留タイマ（180秒）を起動させる。
ステップＳ２３０７では、ＩＰ変換装置（着）１ｂのdss1-ip変換部１１は、受信した中断信号を、ＩＳＤＮ端末６で受信可能な中断通知信号（dss1:NOTIFY）に変換し、ＩＳＤＮ端末（着）６ｂに送信する。
【００９２】
ステップＳ２３０８では、ＩＰ変換装置（着）１ｂは、受信した中断信号に対する応答として中断応答信号（例えばsipでは200）を、ＩＰ変換装置（発）１ａに送信する。その中断応答信号は、ステップＳ２３０９〜Ｓ２３１０に示すように、加入者サーバ（着）２ｂ、中継サーバ３、および加入者サーバ（発）２ａを経由して、転送される。
ステップＳ２３１０では、ＩＰ変換装置（発）１ａは、中断応答確認を受信し、ステップＳ２３１１では、応答確認信号（例えば、sipではACK）を、ＩＰ変換装置（着）１ｂに送信する。その応答確認信号は、ステップＳ２３１２〜Ｓ２３１３に示すように、加入者サーバ（発）２ａ、中継サーバ３、および加入者サーバ２ｂを経由して、転送される。
ステップＳ２３１３では、ＩＰ変換装置（着）１ｂは、応答確認信号を受信する。
そして、ＩＳＤＮ端末（発）６ａとＩＳＤＮ端末（着）６ｂとの間は、中断中となる（ステップＳ２３１４）。
【００９３】
次に、ＩＳＤＮ端末（発）６ａを移動したＩＳＤＮ端末（発）６ａ’と、ＩＳＤＮ端末（着）６ｂとの間で通話を再開する場合について説明する。
ステップＳ２３１５では、ＩＰ変換装置（発）1ａのdss1-ip変換部１１は、ＩＳＤＮ端末（発）６ａ’から再開信号（dss1:RESUM）を受信する。
ステップＳ２３１６では、通信中機器移動判定部１９が通信中機器移動許容/非許容の判定を行い、通信中機器移動許容と判定した場合、dss1-ip変換部１１がＩＰ網１０で受信可能な再開信号（例えば、sipではre-INVITEまたはUPDATE）に変換し、ＩＰ変換装置（着）１ｂに送信する。その再開信号は、ステップＳ２３１９〜Ｓ２３２０に示すように、加入者サーバ（発）２ａ、中継サーバ３、および加入者サーバ（着）２ｂを経由して、転送される。また、ＩＰ変換装置（発）１ａは、同一バス上に接続されている機器に対して、通知信号（dss1:INFO（DMY-CR））を送信する（ステップＳ２３１７）。
【００９４】
ステップＳ２３１８では、ＩＰ変換装置（発）１ａは、ステップＳ２３１５の再開信号（dss1:RESUM）に対する応答として、再開確認信号（dss1:RES_ACK）をＩＳＤＮ端末（発）６ａ’に送信する。また、ステップＳ２３１５で再開信号（dss1:RESUM）を受信したＩＰ変換装置（発）１ａは、保留タイマ（180秒）を解除させる。
ステップＳ２３２１では、ＩＰ変換装置（着）１ｂのdss1-ip変換部１１は、受信した再開信号を、ＩＳＤＮ端末６で受信可能な再開通知信号（dss1:NOTIFY）に変換し、ＩＳＤＮ端末（着）６ｂに送信する。
【００９５】
ステップＳ２３２２では、ＩＰ変換装置（着）１ｂは、受信した再開信号に対する応答として、再開応答信号（例えばsipでは200）を、ＩＰ変換装置（発）１ａに送信する。その再開応答信号は、ステップＳ２３２３〜Ｓ２３２４に示すように、加入者サーバ（着）２ｂ、中継サーバ３、および加入者サーバ（発）２ａを経由して、転送される。
ステップＳ２３２５では、ＩＰ変換装置（発）１ａは、受信した再開応答確認に対する応答として応答確認信号（例えば、sipではACK）を、ＩＰ変換装置（着）１ｂに送信する。その応答確認信号は、ステップＳ２３２６〜Ｓ２３２７に示すように、加入者サーバ（発）２ａ、中継サーバ３、および加入者サーバ２ｂを経由して、転送される。
ステップＳ２３２７では、ＩＰ変換装置（着）１ｂは、応答確認信号を受信する。
そして、ＩＳＤＮ端末（発）６ａ’とＩＳＤＮ端末（着）６ｂとの間は、通話中となる（ステップＳ２３２８）。
【００９６】
ＩＰ網発→ＩＰ網着におけるパターン番号「Ｄ２」の場合には、加入者サーバ（発）２ａに、通信中機器移動判定部１９および登録情報１５（１５ｄ）が備えられる。そして、加入者サーバ（発）２ａが、通信中機器移動許容/非許容の判定を行う。なお、動作フローは、図２３と同様であるので、説明を省略する。
【００９７】
ＩＰ網発→ＩＰ網着におけるパターン番号「Ｄ３」の場合には、ＡＳ４に、通信中機器移動判定部１９および登録情報１５（１５ｄ）が備えられる。したがって、加入者サーバ（発）２ａが、中断信号、中断応答信号、応答確認信号、再開信号、および再開応答信号を、必ず、ＡＳ４経由で送信する。そして、ＡＳ４が通信中機器移動許容/非許容の判定を行う。
【００９８】
＜ＩＰ網発→ＰＳＴＮ着におけるパターン番号「Ｄ１」の動作フロー（その２）＞
次に、図２４を用いて、ＩＰ網１０のＩＳＤＮ端末（発）６ａからＰＳＴＮ２０のＩＳＤＮ端末６ｃへ接続している場合に、ＩＳＤＮ端末（発）６ａを別のコネクタに移動した後に再開する動作フローについて説明する。なお、通信中機器移動判定部１９および登録情報１５（１５ｄ）はＩＰ変換装置（発）１ａに備えられている。なお、図２４のＩＳＤＮ端末６ａ，６ａ’から中継サーバ３までの間における動作フローは、図２３のＩＳＤＮ端末６ａ，６ａ’から中継サーバ３までの間における動作フローと同様の処理であるので、説明を省略する。また、図２４のステップＳ２４０１の直前の状態は、ＩＳＤＮ端末（発）６ａとＩＳＤＮ端末６ｃとの間で通話中であるものとする。
【００９９】
まず、ＩＳＤＮ端末（発）６ａとＰＳＴＮ２０のＩＳＤＮ端末６ｃとの間の通話を中断する場合において、中継サーバ３からＰＳＴＮ（着）２０までの間の動作フローについて説明する。
ステップＳ２４０６では、ＰＳＴＮ−ＧＷ５のisup-ip変換部５１は、中継サーバ３から中断信号（例えば、sipではre-INVITEまたはUPDATE）を受信し、ステップＳ２４０７では、ＩＳＤＮ端末６で受信可能な中断信号（dss1:SUS）に変換し、ＰＳＴＮ（着）２０に送信する。
ステップＳ２４０８では、ＰＳＴＮ−ＧＷ５は、受信した中断信号に対する応答として、中断応答信号（例えばsipでは200）を、中継サーバ３を経由して、接続先に送信する。
ステップＳ２４１３では、ＰＳＴＮ−ＧＷ５は、応答確認信号（例えば、sipではACK）を受信する。
そして、ＩＳＤＮ端末（発）６ａとＩＳＤＮ端末６ｃとの間は、中断中となる（ステップＳ２４１４）。
【０１００】
次に、ＩＳＤＮ端末（発）６ａを別のコネクタに移動してＩＳＤＮ端末６ａ’として、ＰＳＴＮ２０のＩＳＤＮ端末６ｃとの間の通話を再開する場合において、中継サーバ３からＰＳＴＮ（着）２０までの間の動作フローについて説明する。
ステップＳ２４２０では、ＰＳＴＮ−ＧＷ５のisup-ip変換部５１は、再開信号（例えば、sipではre-INVITEまたはUPDATE）を受信し、ステップＳ２４２１ではＩＳＤＮ端末６で受信可能な再開信号（dss1:RES）に変換し、ＰＳＴＮ（着）２０へ送信する。
ステップＳ２４２２では、ＰＳＴＮ−ＧＷ５は、受信した再開信号に対する応答として、再開応答信号（例えばsipでは200）を、接続先に送信する。
ステップＳ２４２７では、ＰＳＴＮ−ＧＷ５は、応答確認信号（例えば、sipではACK）を受信する。
そして、ＩＳＤＮ端末（発）６ａ’とＰＳＴＮ２０のＩＳＤＮ端末６ｃとの間は、通話中となる（ステップＳ２４２８）。
【０１０１】
ＩＰ網発→ＰＳＴＮ着におけるパターン番号「Ｄ２」の場合には、加入者サーバ（発）２ａに、通信中機器移動判定部１９および登録情報１５（１５ｄ）が備えられる。そして、加入者サーバ（発）２ａが、通信中機器移動許容/非許容の判定を行う。なお、動作フローは、図２４と同様であるので、説明を省略する。
【０１０２】
ＩＰ網発→ＰＳＴＮ着におけるパターン番号「Ｄ３」の場合には、ＡＳ４に、通信中機器移動判定部１９および登録情報１５（１５ｄ）が備えられる。したがって、加入者サーバ（発）２ａが、中断信号、中断応答信号、応答確認信号、再開信号、および再開応答信号を、必ず、ＡＳ４経由で送信する。そして、ＡＳ４が通信中機器移動許容/非許容の判定を行う。
【０１０３】
＜ＰＳＴＮ発→ＩＰ網着におけるパターン番号「Ｄ４」の動作フロー＞
図２５を用いて、ＰＳＴＮ２０のＩＳＤＮ端末６からＩＰ網１０のＩＳＤＮ端末（着）６ｂへ接続している場合において、ＰＳＴＮ（発）２０のＩＳＤＮ端末６を別のコネクタに移動した後に再開する動作フローについて説明する。なお、通信中機器移動判定部１９および登録情報１５（１５ｄ）は、ＰＳＴＮ（発）２０の図示しない加入者交換機に備えられている。
図２５のステップＳ２５０１の直前の状態は、ＰＳＴＮ２０（発）のＩＳＤＮ端末６とＩＳＤＮ端末（着）６ｂとの間で通話中であるものとする。
【０１０４】
まず、ＰＳＴＮ（発）２０のＩＳＤＮ端末６とＩＳＤＮ端末（着）６ｂとの間の通話を中断する場合について説明する。
ステップＳ２５０１では、ＰＳＴＮ−ＧＷ５のisup-ip変換部５１は、ＰＳＴＮ（発）２０から中断信号（isup:SUS）を受信し、ステップＳ２５０２では、ＩＰ網１０で受信可能な中断信号（例えば、sipではre-INVITEまたはUPDATE）に変換し、ＩＰ変換装置（着）１ｂに送信する。その中断信号は、ステップＳ２５０３〜Ｓ２５０４に示すように、中継サーバ３および加入者サーバ（着）２ｂを経由して、転送される。
ステップＳ２５０５では、ＩＰ変換装置（着）１ｂのdss1-ip変換部１１は、受信した中断信号を、ＩＳＤＮ端末６で受信可能な中断通知信号（dss1:NOTIFY）に変換し、ＩＳＤＮ端末（着）６ｂへ送信する。
【０１０５】
ステップＳ２５０６では、ＩＰ変換装置（着）１ｂは、ステップＳ２５０４の中断信号に対する応答として、中断応答信号（例えばsipでは200）を、ＰＳＴＮ−ＧＷ５に送信する。その中断応答信号は、ステップＳ２５０７〜Ｓ２５０８に示すように、加入者サーバ（着）２ｂおよび中継サーバ３を経由して、転送される。
ステップＳ２５０９では、ＰＳＴＮ−ＧＷ５は、受信した中断応答信号に対する応答として、応答確認信号（例えば、sipではACK）を、ＩＰ変換装置（着）１ｂに送信する。その応答確認信号は、ステップＳ２５１０〜Ｓ２５１１に示すように、中継サーバ３および加入者サーバ（着）２ｂを経由して、転送される。
ステップＳ２５１１では、ＩＰ変換装置（着）１ｂは、応答確認信号を受信する。
そして、ＰＳＴＮ（発）２０のＩＳＤＮ端末６とＩＳＤＮ端末（着）６ｂとの間は、中断中となる（ステップＳ２５１２）。
【０１０６】
次に、ＰＳＴＮ（発）２０のＩＳＤＮ端末６を別のコネクタに接続し、ＩＳＤＮ端末（着）６ｂとの間の通話を再開する場合について説明する。
ステップＳ２５１３では、ＰＳＴＮ−ＧＷ５のisup-ip変換部５１は、ＰＳＴＮ（発）２０から再開信号（isup:RES）を受信し、ステップＳ２５１４では、ＩＰ網１０で受信可能な再開信号（例えば、sipではre-INVITEまたはUPDATE）に変換し、ＩＰ変換装置（着）１ｂに送信する。その再開信号は、ステップＳ２５１５〜Ｓ２５１６に示すように、中継サーバ３および加入者サーバ（着）２ｂを経由して、転送される。
ステップＳ２５１７では、ＩＰ変換装置（着）１ｂのdss1-ip変換部１１は、受信した再開信号を、ＩＳＤＮ端末６で受信可能な再開通知信号（dss1:NOTIFY）に変換し、ＩＳＤＮ端末（着）６ｂへ送信する。
【０１０７】
ステップＳ２５１８では、ＩＰ変換装置（着）１ｂは、ステップＳ２５１６の再開信号に対する応答として、再開応答信号（例えばsipでは200）を、ＰＳＴＮ−ＧＷ５に送信する。その中断応答信号は、ステップＳ２５１９〜Ｓ２５２０に示すように、加入者サーバ（着）２ｂおよび中継サーバ３を経由して、転送される。
ステップＳ２５２０では、ＰＳＴＮ−ＧＷ５は、再開応答信号（例えば、sipでは200）を受信し、ステップＳ２５２１では、応答確認信号（例えば、sipではACK）を、ＩＰ変換装置（着）１ｂに送信する。その応答確認信号は、ステップＳ２５２２〜Ｓ２５２３に示すように、中継サーバ３および加入者サーバ（着）２ｂを経由して、転送される。
ステップＳ２５２３では、ＩＰ変換装置（着）１ｂは、応答確認信号を受信する。
そして、ＰＳＴＮ（発）２０のＩＳＤＮ端末６とＩＳＤＮ端末（着）６ｂとの間は、通話中となる（ステップＳ２５２４）。
【０１０８】
また、第５実施形態では、通信中機器移動判定部１９および登録情報１５（１５ｄ）がＩＰ変換装置（発）１ａ、加入者サーバ（発）２ａ、ＡＳ４、ＰＳＴＮ（発）２０のいずれかに備えるものとして説明した。しかし、通信中機器移動判定部１９と登録情報１５（１５ｄ）とが別のＩＰ変換装置（発）１ａ、加入者サーバ（発）２ａ、ＡＳ４、ＰＳＴＮ（発）２０のいずれかに備えられていても構わない。
【０１０９】
（第６実施形態）
第６実施形態として、発信または着信時にＤチャネルを使って英数字１２８文字までメッセージを送受信できる「ユーザ間情報通知サービス」を実現するケースについて説明する。なお、以降の説明では、「ユーザ間情報」を「ＵＵ情報」と称す。
まず、ユーザ間情報通知サービスを実現する構成について、図２６を用いて説明する。第６実施形態の構成例が第１実施形態の構成例と比較して異なる点は、加入者サーバ（発）２ａに接続されたアプリケーションサーバ４（ＡＳ４）を備え、ＵＵ情報通知判定部２５および登録情報１５（１５ｅ）が、ＩＰ変換装置（発）１ａ，（着）１ｂ、加入者サーバ（発）２ａ，（着）２ｂ、およびＡＳ４のいずれかに備えられることである。また、ＵＵ情報回数集計部２６およびＵＵ情報回数情報２７は、ＩＰ変換装置（発）１ａ、加入者サーバ（発）２ａ、およびＡＳ４のいずれかに備えられる。なお、ＵＵ情報通知判定部２５および登録情報１５（１５ｅ）と、ＵＵ情報回数集計部２６およびＵＵ情報回数情報２７とが備えられる箇所の相違によって、それぞれパターン番号「Ｅ１」，「Ｅ２」，「Ｅ３１」〜「Ｅ３３」として説明する。また、番号翻訳情報２２、サービス種別情報２３、およびパス情報２４は、図２２への表示を省略している。なお、ＡＳ４が破線で表示してあるのは、パターン番号「Ｅ３１」〜「Ｅ３３」の場合のときにしか用いないためである。
【０１１０】
ＵＵ情報通知判定部２５は、図示しないＣＰＵが図示しないメインメモリにアプリケーションプログラムを展開して、それを実行することによって具現化される。ＵＵ情報通知判定部２５は、登録情報１５（１５ｅ）を参照して、メッセージの送受信を許可するか否かを判定する（ＵＵ情報通知許容／非許容の判定）。また、ＵＵ情報通知判定部２５は、ＵＵ情報通知許容の判定の場合、ＵＵ情報受信回数をカウントしたり（ＵＵ情報回数カウント）、カウントしたＵＵ情報受信回数を集計する機器に通知したりする（ＵＵ情報回数通知）。なお、登録情報１５（１５ｅ）は、機器の識別情報とメッセージ通知許可情報とを関連付けたもので、図示しない記憶部に記憶されている。
また、ＵＵ情報回数集計部２６は、図示しないＣＰＵが図示しないメインメモリにアプリケーションプログラムを展開して、それを実行することによって具現化される。ＵＵ情報回数集計部２６は、送受信したＵＵ情報の回数に応じて発側に課金するために、ＵＵ情報回数（以降では、ＵＵ情報受信回数と称することもある。）を収集し、収集したＵＵ情報回数を集計してＵＵ情報回数情報２７に記憶する。なお、ＵＵ情報回数情報２７は、機器の識別情報とＵＵ情報回数とを関連付けたもので、図示しない記憶部に記憶されている。
【０１１１】
＜ＩＰ網発→ＩＰ網着におけるパターン番号「Ｅ１」の動作フロー（その１）＞
まず、図２７を用いて、ＩＰ網１０のＩＳＤＮ端末（発）６ａからＩＰ網１０のＩＳＤＮ端末（着）６ｂへ接続する場合に、ＵＵ情報回数を集計する動作フローについて説明する。なお、ＵＵ情報通知判定部２５および登録情報１５（１５ｅ）は、ＩＰ変換装置（発）１ａ，（着）１ｂの双方に備えられ、ＵＵ情報回数集計部２６およびＵＵ情報回数情報２７は、ＩＰ変換装置（発）１ａに備えられる。そして、ＩＰ変換装置（着）１ｂは発側→着側の信号に格納されているＵＵ情報を対象に処理を実行する。ＩＰ変換装置（発）１ａは、着側→発側の信号に格納されているＵＵ情報を対象に処理を実行するとともに、ＩＰ変換装置（着）１ｂでカウントされたＵＵ情報受信回数を受信して集計する。
【０１１２】
ステップＳ２７０１では、ＩＰ変換装置（発）１ａのdss1-ip変換部１１は、ＩＳＤＮ端末（発）６ａから呼設定信号（dss1:SETUP<UU情報>）を受信する。
ステップＳ２７０２では、ＩＰ変換装置（発）１ａのdss1-ip変換部１１は、受信した呼設定信号を、ＩＰ網１０で受信可能な呼設定信号（例えば、sipではINVITE<UU情報>）に変換し、ＵＵ情報を呼設定信号に格納して、加入者サーバ（発）２ａに送信する。
ステップＳ２７０３では、加入者サーバ（発）２ａの呼接続部２１は、受信した呼設定信号を、加入者サーバ（着）２ｂに送信する。その呼設定信号は、ステップＳ２７０４に示すように、中継サーバ３を経由して、転送される。
ステップＳ２７０５では、加入者サーバ（着）２ｂは、受信した呼設定信号をＩＰ変換装置（着）１ｂに送信する。
【０１１３】
ステップＳ２７０６では、ＩＰ変換装置（着）１ｂのＵＵ情報通知判定部２５は、ＵＵ情報通知許容／非許容の判定を実行し、ＵＵ情報通知許容の判定の場合、ＵＵ情報受信回数のカウントを実行する。そして、ＩＰ変換装置（着）１ｂのdss1-ip変換部１１は、受信した呼設定信号を、ＩＳＤＮ端末６で受信可能な呼設定信号（dss1:SETUP<UU情報>）に変換して、ＩＳＤＮ端末（着）６ｂに送信し、ＵＵ情報を通知する。
なお、ステップＳ２７０７〜Ｓ２７１１の呼設定受付信号は、それぞれステップＳ２７０１〜Ｓ２７０５に対する応答である。
【０１１４】
ステップＳ２７１２では、ＩＰ変換装置（着）１ｂのdss1-ip変換部１１は、ＩＳＤＮ端末（着）６ｂから呼出信号（dss1:ALERT<UU情報>）を受信し、ステップＳ２７１３では、ＩＰ網１０で受信可能な呼出信号（例えば、sipでは180<UU情報>）に変換して、ＩＰ変換装置（発）１ａに送信する。その呼出信号は、ステップＳ２７１４〜Ｓ２７１６に示すように、加入者サーバ（着）２ｂ、中継サーバ３、および加入者サーバ（発）２ａを経由して、転送される。
ステップＳ２７１７では、ＩＰ変換装置（発）１ａのＵＵ情報通知判定部２５は、ＵＵ情報通知許容／非許容の判定を実行し、ＵＵ情報通知許容の判定の場合、ＵＵ情報受信回数のカウントを実行する。そして、ＩＰ変換装置（発）１ａのdss1-ip変換部１１は、受信した呼出信号を、ＩＳＤＮ端末６で受信可能な呼出信号（dss1:ALERT<UU情報>）に変換し、ＩＳＤＮ端末（発）６ａに送信し、ＵＵ情報を通知する。そして、ＲＢＴ（リングバックトーン）がＩＰ変換装置（発）１ａからＩＳＤＮ端末（発）６ａに送出される。
【０１１５】
ステップＳ２７１８では、ＩＰ変換装置（着）１ｂのdss1-ip変換部１１は、ＩＳＤＮ端末（着）６ｂから応答信号（dss1:CONN<UU情報>）を受信し、ステップＳ２７１９では、ＩＰ網１０で受信可能な応答信号（例えば、sipでは200<UU情報>）に変換し、ＩＰ変換装置（発）１ａに送信する。その応答信号は、ステップＳ２７２０〜Ｓ２７２２に示すように、加入者サーバ（着）２ｂ、中継サーバ３、および加入者サーバ（発）２ａを経由して、転送される。
ステップＳ２７２３では、ＩＰ変換装置（発）１ａのＵＵ情報通知判定部２５は、ＵＵ情報通知許容／非許容の判定を実行し、ＵＵ情報通知許容の判定の場合、ＵＵ情報受信回数をカウントを実行する。次に、ＩＰ変換装置（着）１ｂのdss1-ip変換部１１は、受信した応答信号を、ＩＳＤＮ端末６で受信可能な応答信号（dss1:CONN<UU情報>）に変換し、ＩＳＤＮ端末（発）６ａへ送信し、ＵＵ情報を通知する。
ステップＳ２７２４では、ＩＰ変換装置（発）１ａは、応答確認信号（例えば、sipではACK）を、ＩＳＤＮ端末（着）６ｂに送信する。その応答確認信号は、ステップＳ２７２５〜Ｓ２７２７に示すように、加入者サーバ（発）２ａ、中継サーバ３、および加入者サーバ（着）２ｂを経由して、転送される。
【０１１６】
次に、図２８を用いて、通話中（ステップＳ２８００）となっている接続を、発側から切断する発側切断を実行するときの動作フローについて、説明する。
ステップＳ２８０１では、ＩＰ変換装置（発）１ａのdss1-ip変換部１１は、ＩＳＤＮ端末（発）６ａから切断信号（dss1:DISC<UU情報>）を受信し、ステップＳ２８０２では、ＩＰ網１０で受信可能な切断信号（例えば、sipではBYE<UU情報>）に変換して、加入者サーバ（発）２ａに送信する。
ステップＳ２８０３では、加入者サーバ（発）２ａの呼接続部２１は、受信した切断信号を、加入者サーバ（着）２ｂに送信する。その切断信号は、ステップＳ２８０４に示すように、中継サーバ３を経由して、転送される。
ステップＳ２８０５では、加入者サーバ（着）２ｂの呼接続部２１は、受信した切断信号を、ＩＰ変換装置（着）１ｂに送信する。
【０１１７】
ステップＳ２８０６では、ＩＰ変換装置（着）１ｂのdss1-ip変換部１１は、切断信号を受信する。そして、ＩＰ変換装置（着）１ｂのＵＵ情報通知判定部２５は、ＵＵ情報通知許容／非許容の判定を実行し、ＵＵ情報通知許容の判定の場合、ＵＵ情報受信回数のカウントを実行する。次に、ＩＰ変換装置（着）１ｂのdss1-ip変換部１１は、受信した切断信号を、ＩＳＤＮ端末６で受信可能な切断信号（dss1:DISC<UU情報>）に変換し、ＩＳＤＮ端末（着）６ｂへ送信し、ＵＵ情報を通知する。
なお、切断信号（dss1:DISC）を受信したＩＳＤＮ端末（着）６ｂは、解放信号（dss1:RELEASE）をＩＰ変換装置（着）１ｂに送信し（ステップＳ２８１３）、ＩＰ変換装置（着）１ｂから解放完了信号（dss1:RELCOM）を受信する（ステップＳ２８１４）ことで回線の解放を行う。
【０１１８】
ステップＳ２８０７では、ＩＰ変換装置（着）１ｂは、切断応答信号（例えば、sipでは200）を、ＩＰ変換装置（発）１ａに送信する。その切断応答信号は、ステップＳ２８０８〜Ｓ２８１０に示すように、加入者サーバ（着）２ｂ、中継サーバ３、および加入者サーバ（発）２ａを経由して、転送される。
ステップＳ２８１１では、ＩＰ変換装置（発）１ａのdss1-ip変換部１１は、受信した切断応答信号を、ＩＳＤＮ端末６が受信可能な解放信号（dss1:RELEASE）に変換し、ＩＳＤＮ端末（発）６ａに送信する。
ステップＳ２８１２では、解放信号（dss1:RELEASE）を受信したＩＳＤＮ端末（発）６ａは、解放完了信号（dss1:RELCOM）をＩＰ変換装置（発）１ａに送信することで、回線の解放を行う。
【０１１９】
なお、ステップＳ２８１５では、ＩＰ変換装置（着）１ｂのＵＵ情報通知判定部２５は、カウントした発→着UU情報受信回数を通知するための通知信号（例えば、sipではMESSAGE<発→着UU情報受信回数>）を、加入者サーバ（着）２ｂへ送信する。その通知信号は、ステップＳ２８１６〜Ｓ２８１８に示すように、加入者サーバ（着）２ｂ、中継サーバ３、および加入者サーバ（発）２ａを経由して、転送される。
そして、ステップＳ２８１９では、ＩＰ変換装置（発）１ａのＵＵ情報回数集計部２６は、受信した通知信号に格納されている発→着UU情報受信回数を、自身のカウントした着→発ＵＵ情報受信回数に加算して、情報回数情報２７に記憶しているＵＵ情報受信回数を更新する。この更新されたＵＵ情報受信回数は、料金に換算されて、ＩＳＤＮ端末（発）６ａに通知される。また、ＩＰ変換装置（発）１ａは、通知応答信号（例えば、sipでは200）をＩＰ変換装置（着）１ｂへ送信する。その通知応答信号は、ステップＳ２８２０〜Ｓ２８２２に示すように、加入者サーバ（発）２ａ、中継サーバ３、および加入者サーバ（着）２ｂを経由して、転送される。
ステップＳ２８２２では、ＩＰ変換装置（着）１ｂは、通知応答信号を受信する。
【０１２０】
次に、図２９を用いて、通話中（ステップＳ２９００）となっている接続を、着側から切断する着側切断を実行するときの動作フローについて、説明する。
ステップＳ２９０１では、ＩＰ変換装置（着）１ｂのdss1-ip変換部１１は、ＩＳＤＮ端末（発）６ｂから切断信号（dss1:DISC<UU情報>）を受信し、ステップＳ２９０２では、ＩＰ網１０で受信可能な切断信号（例えば、sipではBYE<UU情報>）に変換して、加入者サーバ（着）２ｂに送信する。
ステップＳ２９０３では、加入者サーバ（着）２ｂの呼接続部２１は、受信した切断信号を、加入者サーバ（発）２ａに送信する。その切断信号は、ステップＳ２９０４に示すように、中継サーバ３を経由して、転送される。
ステップＳ２９０５では、加入者サーバ（発）２ａの呼接続部２１は、受信した切断信号を、ＩＰ変換装置（発）１ａに送信する。
【０１２１】
ステップＳ２９０６では、ＩＰ変換装置（発）１ａのdss1-ip変換部１１は、切断信号を受信する。そして、ＩＰ変換装置（発）１ａのＵＵ情報通知判定部２５は、ＵＵ情報通知許容／非許容の判定を実行し、ＵＵ情報通知許容の判定の場合、ＵＵ情報受信回数のカウントを実行する。次に、ＩＰ変換装置（着）１ｂのdss1-ip変換部１１は、受信した切断信号を、ＩＳＤＮ端末６で受信可能な切断信号（dss1:DISC<UU情報>）に変換し、ＩＳＤＮ端末（発）６ａへ送信し、ＵＵ情報を通知する。
なお、切断信号（dss1:DISC）を受信したＩＳＤＮ端末（発）６ａは、解放信号（dss1:RELEASE）をＩＰ変換装置（発）１ａに送信し（ステップＳ２９１３）、ＩＰ変換装置（発）１ａから解放完了信号（dss1:RELCOM）を受信する（ステップＳ２９１４）ことで回線の解放を行う。
【０１２２】
ステップＳ２９０７では、ＩＰ変換装置（発）１ａは、切断応答信号（例えば、sipでは200）を、ＩＰ変換装置（着）１ｂに送信する。その切断応答信号は、ステップＳ２９０８〜Ｓ２９１０に示すように、加入者サーバ（発）２ａ、中継サーバ３、および加入者サーバ（着）２ｂを経由して、転送される。
ステップＳ２９１１では、ＩＰ変換装置（着）１ｂのdss1-ip変換部１１は、受信した切断応答信号を、ＩＳＤＮ端末６が受信可能な解放信号（dss1:RELEASE）に変換し、ＩＳＤＮ端末（着）６ｂに送信する。
ステップＳ２９１２では、解放信号（dss1:RELEASE）を受信したＩＳＤＮ端末（着）６ｂは、解放完了信号（dss1:RELCOM）をＩＰ変換装置（着）１ｂに送信することで、回線の解放を行う。
【０１２３】
また、ステップＳ２９１５では、ＩＰ変換装置（着）１ｂのＵＵ情報通知判定部２５は、カウントした発→着UU情報受信回数を格納した通知信号（例えば、sipではMESSAGE<発→着UU情報受信回数>）を、加入者サーバ（着）２ｂへ送信する。
ステップＳ２９１６では、加入者サーバ（着）２ｂの呼接続部２１は、受信した通知信号を、加入者サーバ（発）２ａに送信する。その通知信号は、ステップＳ２９１７に示すように、中継サーバ３を経由して、転送される。
ステップＳ２９１８では、加入者サーバ（発）２ａの呼接続部２１は、受信した通知信号を、ＩＰ変換装置（発）１ａに送信する。
【０１２４】
そして、ＩＰ変換装置（発）１ａのＵＵ情報回数集計部２６は、受信した通知信号に格納されている発→着UU情報受信回数を、自身のカウントした着→発ＵＵ情報受信回数に加算して、情報回数情報２７に記憶しているＵＵ情報受信回数を更新する。この更新されたＵＵ情報受信回数は、料金に換算されて、ＩＳＤＮ端末（発）６ａに通知される。また、ＩＰ変換装置（発）１ａは、通知応答信号（例えば、sipでは200）をＩＰ変換装置（着）１ｂへ送信する。その通知応答信号は、ステップＳ２８２０〜Ｓ２８２２に示すように、加入者サーバ（発）２ａ、中継サーバ３、および加入者サーバ（着）２ｂを経由して、転送される。
ステップＳ２９２２では、ＩＰ変換装置（着）１ｂは、通知応答信号を受信する。
【０１２５】
＜ＩＰ網発→ＩＰ網着におけるパターン番号「Ｅ２」の動作フロー（その１）〜（その３）＞
図３０〜図３２を用いて、ＩＰ網１０のＩＳＤＮ端末（発）６ａからＩＰ網１０のＩＳＤＮ端末（着）６ｂへ接続する場合に、ＵＵ情報回数を集計する動作フローについて説明する。なお、ＵＵ情報通知判定部２５および登録情報１５（１５ｅ）は、加入者サーバ（発）２ａ，（着）２ｂの双方に備えられ、ＵＵ情報回数集計部２６およびＵＵ情報回数情報２７は、加入者サーバ（発）２ａに備えられる。そして、加入者サーバ（着）２ｂは発側→着側の信号に格納されているＵＵ情報を対象に処理を実行する。加入者サーバ（発）２ａは、着側→発側の信号に格納されているＵＵ情報を対象に処理を実行するとともに、加入者サーバ（着）２ｂでカウントされたＵＵ情報受信回数を受信して集計する。
【０１２６】
図３０に示す動作フロー（ステップＳ３００１〜Ｓ３０２７）は、図２７に示すパターン番号「Ｅ１」の動作フロー（ステップＳ２７０１〜Ｓ２７２７）と同様であるので、相違点となる、ＵＵ情報通知判定部２５およびＵＵ情報回数集計部２６の処理について説明する。加入者サーバ（着）２ｂのＵＵ情報通知判定部２５は、ステップＳ３００４の呼設定信号を受信して、ＵＵ情報通知許容／非許容の判定を実行し、ＵＵ情報通知許容の判定の場合、ＵＵ情報受信回数のカウントを実行する。また、加入者サーバ（発）２ａのＵＵ情報通知判定部２５は、ステップＳ３０１５の呼出信号およびステップＳ３０２１の応答信号を受信して、ＵＵ情報通知許容／非許容の判定を実行し、ＵＵ情報通知許容の判定の場合、ＵＵ情報受信回数のカウントを実行する。
【０１２７】
次に、図３１に示す動作フロー（ステップＳ３１０１〜Ｓ３１１４，Ｓ３１１５〜Ｓ３１１６，Ｓ３１１７〜Ｓ３１１８）は、図２８に示すパターン番号「Ｅ１」の発側切断の動作フロー（ステップＳ２８０１〜Ｓ２８１４，Ｓ２８１６〜Ｓ２８１７，Ｓ２８２０〜Ｓ２８２１）と同様であるので、相違点となる、ＵＵ情報通知判定部２５およびＵＵ情報回数集計部２６の処理について説明する。加入者サーバ（着）２ｂのＵＵ情報通知判定部２５は、ステップＳ３１０４の切断信号を受信して、ＵＵ情報通知許容／非許容の判定を実行し、ＵＵ情報通知許容の判定の場合、ＵＵ情報受信回数のカウントを実行する。また、加入者サーバ（着）２ｂのＵＵ情報通知判定部２５は、ステップＳ３１０７の切断応答信号を受信して、カウントしてある発→着ＵＵ情報受信回数を通知信号（例えば、sipではMESSAGE<発→着UU情報受信回数>）に格納して、加入者サーバ（発）２ａに送信する（ステップＳ３１１５）。また、加入者サーバ（発）２ａのＵＵ情報回数集計部２６は、ステップＳ３１１６の通知信号を受信して、当該通知信号に格納してある発→着ＵＵ情報受信回数を、自身のカウントした着→発ＵＵ情報受信回数に加算して、情報回数情報２７に記憶しているＵＵ情報受信回数を更新する。
【０１２８】
次に、図３２に示す動作フロー（ステップＳ３２０１〜Ｓ３２１４，Ｓ３２１５〜Ｓ３２１６，Ｓ３２１７〜Ｓ３２１８）は、図２９に示すパターン番号「Ｅ１」の着側切断の動作フロー（ステップＳ２９０１〜Ｓ２９１４，Ｓ２９１６〜Ｓ２９１７，Ｓ２９２０〜Ｓ２９２１）と同様であるので、相違点となる、ＵＵ情報通知判定部２５およびＵＵ情報回数集計部２６の処理について説明する。加入者サーバ（発）２ａのＵＵ情報通知判定部２５は、ステップＳ３２０４の切断信号を受信して、ＵＵ情報通知許容／非許容の判定を実行し、ＵＵ情報通知許容の判定の場合、ＵＵ情報受信回数のカウントを実行する。また、加入者サーバ（着）２ｂのＵＵ情報通知判定部２５は、ステップＳ３２０９の切断応答信号を受信して、カウントしてある発→着ＵＵ情報受信回数を通知信号（例えば、sipではMESSAGE<発→着ＵＵ情報受信回数>）に格納して、加入者サーバ（発）２ａに送信する。また、加入者サーバ（発）２ａのＵＵ情報回数集計部２６は、ステップＳ３２１６の通知信号を受信して、当該通知信号に格納してある発→着ＵＵ情報受信回数を、自身のカウントした着→発ＵＵ情報受信回数に加算して、情報回数情報２７に記憶しているＵＵ情報受信回数を更新する。
【０１２９】
＜ＩＰ網発→ＩＰ網着におけるパターン番号「Ｅ３１」の動作フロー（その１）〜（その３）＞
図３３ａ，図３３ｂ、図３４〜図３５を用いて、ＩＰ網１０のＩＳＤＮ端末（発）６ａからＩＰ網１０のＩＳＤＮ端末（着）６ｂへ接続する場合に、ＵＵ情報回数を集計する動作フローについて説明する。なお、ＵＵ情報通知判定部２５および登録情報１５（１５ｅ）と、ＵＵ情報回数集計部２６およびＵＵ情報回数情報２７とは、ＡＳ４に備えられている。そして、ＡＳ４は発側→着側の信号および着側→発側の信号に格納されているＵＵ情報を対象に処理を実行し、ＵＵ情報受信回数を集計する。なお、パターン番号「Ｅ３１」では、ＵＵ情報を含む信号をＡＳ４経由で送信する点が、パターン番号「Ｅ１」，「Ｅ２」とは大きく異なる。
【０１３０】
図３３ａ，図３３ｂに示す動作フロー（ステップＳ３３０１〜Ｓ３３２７）は、図２７に示すパターン番号「Ｅ１」の動作フロー（ステップＳ２７０１〜Ｓ２７２７）と同様であるので、相違点のみ説明する。加入者サーバ（発）２ａは、ＵＵ情報が格納された信号がＡＳ４を経由するように制御する（ステップＳ３３５１〜Ｓ３３５８）。したがって、ＡＳ４は、すべてのＵＵ情報受信回数を記憶することができる。
【０１３１】
次に、図３４に示す動作フロー（ステップＳ３４０１〜Ｓ３４１４）は、図２８に示すパターン番号「Ｅ１」の発側切断の動作フロー（ステップＳ２８０１〜Ｓ２８１４）と同様であるので、相違点のみ説明する。加入者サーバ（発）２ａは、ＵＵ情報が格納された信号がＡＳ４を経由するように制御する（ステップＳ３４５１〜Ｓ３４５４）。したがって、ＡＳ４は、すべてのＵＵ情報受信回数を記憶することができる。
【０１３２】
次に、図３５に示す動作フロー（ステップＳ３５０１〜Ｓ３５１４）は、図２９に示すパターン番号「Ｅ１」の着側切断の動作フロー（ステップＳ２９０１〜Ｓ２９１４）と同様であるので、相違点のみ説明する。加入者サーバ（発）２ａは、ＵＵ情報が格納された信号がＡＳ４を経由するように制御する（ステップＳ３５５１〜Ｓ３５５４）。したがって、ＡＳ４は、すべてのＵＵ情報受信回数を記憶することができる。
【０１３３】
＜ＩＰ網発→ＩＰ網着におけるパターン番号「Ｅ３２」の動作フロー（その１）〜（その３）＞
図３６〜図３８を用いて、ＩＰ網１０のＩＳＤＮ端末（発）６ａからＩＰ網１０のＩＳＤＮ端末（着）６ｂへ接続する場合に、ＵＵ情報回数を集計する動作フローについて説明する。なお、ＵＵ情報通知判定部２５および登録情報１５（１５ｅ）は、加入者サーバ（発）２ａ，（着）２ｂに備えられ、ＵＵ情報回数集計部２６およびＵＵ情報回数情報２７は、ＡＳ４に備えられる。そして、加入者サーバ（着）２ｂは発側→着側の信号に格納されているＵＵ情報を対象に処理を実行し、加入者サーバ（発）２ａは着側→発側の信号に格納されているＵＵ情報を対象に処理を実行し、ＡＳ４はＵＵ情報受信回数を集計する。なお、パターン番号「Ｅ３２」では、加入者サーバ（発）２ａ，（着）２ｂがＵＵ情報受信回数をカウントし、個々にＡＳＡへ送信する点が、パターン番号「Ｅ１」，「Ｅ２」，「Ｅ３１」と異なる。また、パターン番号「Ｅ３２」では、ＡＳ４と加入者サーバ（着）２ｂとの間に、加入者サーバ（発）２ａを経由せずに、直接、ＵＵ情報受信回数を伝達する経路があるものとする。
【０１３４】
図３６に示す動作フロー（ステップＳ３６０１〜Ｓ３６２７）は、図３０に示すパターン番号「Ｅ２」の動作フロー（ステップＳ３００１〜Ｓ３０２７）と同様であるので、説明を省略する。
【０１３５】
次に、図３７に示す動作フロー（ステップＳ３７０１〜Ｓ３７１４）は、図３１に示すパターン番号「Ｅ２」の発側切断の動作フロー（ステップＳ３１０１〜Ｓ３１１４）と同様であるので、相違点となる、ＵＵ情報通知判定部２５およびＵＵ情報回数集計部２６の処理について説明する。加入者サーバ（着）２ｂのＵＵ情報通知判定部２５は、ステップＳ３７０４の切断信号を受信して、ＵＵ情報通知許容／非許容の判定を実行し、ＵＵ情報通知許容の判定の場合、ＵＵ情報受信回数のカウントを実行する。また、加入者サーバ（着）２ｂのＵＵ情報通知判定部２５は、ステップＳ３７０７の切断応答信号を受信して、カウントしてある発→着ＵＵ情報受信回数を通知信号に格納して、ＡＳ４に送信する（ステップＳ３７５１）。ＡＳ４のＵＵ情報回数集計部２６は、ステップＳ３７５１の通知信号を受信して、当該通知信号に格納してある発→着ＵＵ情報受信回数を、ＵＵ情報受信回数として情報回数情報２７に記憶する。また、加入者サーバ（発）２ａのＵＵ情報通知判定部２５は、ステップＳ３７０９の切断応答信号を受信して、カウントしてある着→発ＵＵ情報受信回数をＡＳ４に通知する処理を実行する（ステップＳ３７５２）。そして、ＡＳ４のＵＵ情報回数集計部２６は、ステップＳ３７５２の通知信号を受信して、当該通知信号に格納してある着→発ＵＵ情報受信回数を、既に情報回数情報２７に記憶しているＵＵ情報受信回数に加算して、ＵＵ情報受信回数を更新する。
【０１３６】
次に、図３８に示す動作フロー（ステップＳ３８０１〜Ｓ３８１４）は、図３２に示すパターン番号「Ｅ２」の着側切断の動作フロー（ステップＳ３２０１〜Ｓ３２１４）と同様であるので、相違点となる、ＵＵ情報通知判定部２５およびＵＵ情報回数集計部２６の処理について説明する。加入者サーバ（着）２ｂのＵＵ情報通知判定部２５は、ステップＳ３８０２の切断信号を受信して、カウントしてある発→着ＵＵ情報受信回数をＡＳ４に通知する処理を実行する（ステップＳ３８５１）。ＡＳ４のＵＵ情報回数集計部２６は、ステップＳ３８５１の通知信号を受信して、当該通知信号に格納してある発→着ＵＵ情報受信回数を、ＵＵ情報受信回数として情報回数情報２７に記憶する。また、加入者サーバ（発）２ａのＵＵ情報通知判定部２５は、ステップＳ３８０４の切断信号を受信して、ＵＵ情報通知許容／非許容の判定を実行し、ＵＵ情報通知許容の判定の場合、ＵＵ情報受信回数のカウントを実行する。また、加入者サーバ（発）２ａのＵＵ情報通知判定部２５は、ステップＳ３８０７の切断応答信号を受信して、カウントしてある着→発ＵＵ情報受信回数を通信信号に格納して、ＡＳ４に通知する処理を実行する（ステップＳ３８５２）。そして、ＡＳ４のＵＵ情報回数集計部２６は、ステップＳ３８５２の通知信号を受信して、当該通知信号に格納してある着→発ＵＵ情報受信回数を、既に情報回数情報２７に記憶しているＵＵ情報受信回数に加算して、ＵＵ情報受信回数を更新する。
【０１３７】
＜ＩＰ網発→ＩＰ網着におけるパターン番号「Ｅ３３」の動作フロー（その１）〜（その３）＞
図３９〜図４１を用いて、ＩＰ網１０のＩＳＤＮ端末（発）６ａからＩＰ網１０のＩＳＤＮ端末（着）６ｂへ接続する場合に、ＵＵ情報回数を集計する動作フローについて説明する。なお、ＵＵ情報通知判定部２５および登録情報１５（１５ｅ）は、加入者サーバ（発）２ａ，（着）２ｂに備えられ、ＵＵ情報回数集計部２６およびＵＵ情報回数情報２７は、ＡＳ４に備えられている。そして、加入者サーバ（着）２ｂは発側→着側の信号に格納されているＵＵ情報を対象に処理を実行し、加入者サーバ（発）２ａは着側→発側の信号に格納されているＵＵ情報を対象に処理を実行し、ＡＳ４はＵＵ情報受信回数を集計する。なお、パターン番号「Ｅ３３」は、加入者サーバ（着）２ｂの通知信号を加入者サーバ（発）２ａを経由してＡＳ４へ送信する点において、パターン番号「Ｅ３２」と異なる。
【０１３８】
図３９に示す動作フロー（ステップＳ３９０１〜Ｓ３９２７）は、図３６に示すパターン番号「Ｅ３２」の動作フロー（ステップＳ３６０１〜Ｓ３６２７）と同様であるので、説明を省略する。
【０１３９】
次に、図４０に示す動作フロー（ステップＳ４００１〜Ｓ４０１４）は、図３７に示すパターン番号「Ｅ３２」の発側切断の動作フロー（ステップＳ３７０１〜Ｓ３７１４）と同様であるので、相違点となる、ＵＵ情報通知判定部２５およびＵＵ情報回数集計部２６の処理について説明する。加入者サーバ（着）２ｂのＵＵ情報通知判定部２５は、ステップＳ４００４の切断信号を受信して、ＵＵ情報通知許容／非許容の判定を実行し、ＵＵ情報通知許容の判定の場合、ＵＵ情報受信回数のカウントを実行する。また、加入者サーバ（着）２ｂのＵＵ情報通知判定部２５は、ステップＳ４００７の切断応答信号を受信して、カウントしてある発→着ＵＵ情報受信回数を通知信号に格納して、ＡＳ４に送信する（ステップＳ４０５１）。その通知信号は、中継サーバ３および加入者サーバ（発）２ａを経由してＡＳ４へ転送される（ステップＳ４０５２，Ｓ４０５３）。ＡＳ４のＵＵ情報回数集計部２６は、ステップＳ４０５３の通知信号を受信して、当該通知信号に格納してある発→着ＵＵ情報受信回数を、ＵＵ情報受信回数として情報回数情報２７に記憶する。
また、加入者サーバ（発）２ａのＵＵ情報通知判定部２５は、ステップＳ４００９の切断応答信号を受信して、カウントしてある着→発ＵＵ情報受信回数を通知信号に格納して、ＡＳ４に送信する（ステップＳ４０５４）。そして、ＡＳ４のＵＵ情報回数集計部２６は、ステップＳ４０５４の通知信号を受信して、当該通知信号に格納してある着→発ＵＵ情報受信回数を、既に情報回数情報２７に記憶しているＵＵ情報受信回数に加算して、ＵＵ情報受信回数を更新する。
【０１４０】
次に、図４１に示す動作フロー（ステップＳ４１０１〜Ｓ４１１４）は、図３８に示すパターン番号「Ｅ３２」の着側切断の動作フロー（ステップＳ３８０１〜Ｓ３８１４）と同様であるので、相違点となる、ＵＵ情報通知判定部２５およびＵＵ情報回数集計部２６の処理について説明する。加入者サーバ（着）２ｂのＵＵ情報通知判定部２５は、ステップＳ４１０２の切断信号を受信して、カウントしてある発→着ＵＵ情報受信回数を通信信号に格納して、ＡＳ４に送信する（ステップＳ４１５１）。その通知信号は、中継サーバ３および加入者サーバ（発）２ａを経由してＡＳ４へ転送される（ステップＳ４１５２，Ｓ４１５３）。ＡＳ４のＵＵ情報回数集計部２６は、ステップＳ４１５３の通知信号を受信して、当該通知信号に格納してある発→着ＵＵ情報受信回数を、ＵＵ情報受信回数として情報回数情報２７に記憶する。
【０１４１】
また、加入者サーバ（発）２ａのＵＵ情報通知判定部２５は、ステップＳ４１０４の切断信号を受信して、ＵＵ情報通知許容／非許容の判定を実行し、ＵＵ情報通知許容の判定の場合、ＵＵ情報受信回数のカウントを実行する。また、加入者サーバ（発）２ａのＵＵ情報通知判定部２５は、ステップＳ４１０７の切断応答信号を受信して、カウントしてある着→発ＵＵ情報受信回数を通信信号に格納して、ＡＳ４に送信する（ステップＳ４１５４）。そして、ＡＳ４のＵＵ情報回数集計部２６は、ステップＳ４１５４の通知信号を受信して、当該通知信号に格納してある着→発ＵＵ情報受信回数を、既に情報回数情報２７に記憶しているＵＵ情報受信回数に加算して、ＵＵ情報受信回数を更新する。
【０１４２】
次に、ＩＰ網１０とＰＳＴＮ２０との間でユーザ間情報通知サービスを実現する構成例について、図４２を用いて説明する。図４２の表に示す構成において、図２６と比較して異なる点は、ＵＵ情報通知判定部２５および登録情報１５（１５ｅ）が、ＩＰ変換装置（発）１ａ，（着）１ｂ、加入者サーバ（発）２ａ，（着）２ｂ、およびＡＳ４のいずれか以外に、ＰＳＴＮ２０に備えられているものを用いることである。また、ＵＵ情報回数集計部２６およびＵＵ情報回数情報２７は、ＩＰ変換装置（発）１ａ、加入者サーバ（発）２ａ、およびＡＳ４のいずれか以外に、ＰＳＴＮ２０に備えられているものを用いることである。ただし、ＰＳＴＮ２０に備えられるＵＵ情報通知判定部２５および登録情報１５（１５ｅ）と、ＵＵ情報回数集計部２６およびＵＵ情報回数情報２７とは、既設の加入者交換機の機能として実現されているものである。なお、ＵＵ情報通知判定部２５および登録情報１５（１５ｅ）と、ＵＵ情報回数集計部２６およびＵＵ情報回数情報２７とは、図２６に示したものと同様であり、それらが備えられる箇所の組み合わせの相違によって、それぞれパターン番号「Ｆ１」，「Ｆ２」，「Ｆ３１」〜「Ｆ３３」，「Ｆ４」，「Ｆ５」として説明する。また、番号翻訳情報２２、サービス種別情報２３、およびパス情報２４は、図２２への表示を省略している。
【０１４３】
＜ＩＰ網発→ＰＳＴＮ着におけるパターン番号「Ｆ１」の動作フロー（その１）＞
図４３を用いて、ＩＰ網１０のＩＳＤＮ端末（発）６ａからＰＳＴＮ（着）２０のＩＳＤＮ端末６ｃへ接続する場合に、ＵＵ情報回数を集計する動作フローについて説明する。なお、パターン番号「Ｆ１」では、ＵＵ情報通知判定部２５および登録情報１５（１５ｅ）は、ＩＰ変換装置（発）１ａおよびＰＳＴＮ（着）２０の図示しない加入者交換機に備えられ、ＵＵ情報回数集計部２６およびＵＵ情報回数情報２７は、ＩＰ変換装置（発）１ａに備えられている。そして、ＰＳＴＮ（着）２０は発側→着側の信号に格納されているＵＵ情報を対象に処理を実行し、ＩＰ変換装置（発）１ａは着側→発側の信号に格納されているＵＵ情報を対象に処理を実行し、ＵＵ情報受信回数を集計する。
【０１４４】
ステップＳ４３０１では、ＩＰ変換装置（発）１ａのdss1-ip変換部１１は、ＩＳＤＮ端末（発）６ａからの呼設定信号（dss1:SETUP<UU情報>）を受信する。
ステップＳ４３０２では、ＩＰ変換装置（発）１ａのdss1-ip変換部１１は、受信した呼設定信号を、ＩＰ網１０で受信可能な呼設定信号（例えば、sipではINVITE<UU情報>）に変換し、ＵＵ情報を呼設定信号に格納して加入者サーバ（発）２ａに送信する。
ステップＳ４３０３では、加入者サーバ（発）２ａの呼接続部２１は、受信した呼設定信号を、ＰＳＴＮ−ＧＷ５に送信する。その呼設定信号は、ステップＳ４３０４に示すように、中継サーバ３を経由して、転送される。
ステップＳ４３０５では、ＰＳＴＮ−ＧＷ５のisup-ip変換部５１は、受信した呼設定信号を、ＰＳＴＮ２０で受信可能な呼設定信号（isup:IAM<UU情報>）に変換し、ＰＳＴＮ（着）２０へ送信し、ＵＵ情報を通知する。
なお、ＰＳＴＮ（着）２０の加入者交換機は、ＵＵ情報通知許容／非許容の判定を行い、ＵＵ情報通知許容の判定の場合、ＵＵ情報受信回数のカウントを実行する。
ステップＳ４３０６〜Ｓ４３０９の呼設定受付信号は、それぞれステップＳ４３０１〜Ｓ４３０４に対する応答である。
【０１４５】
ステップＳ４３１０では、ＰＳＴＮ−ＧＷ５のisup-ip変換部５１は、ＰＳＴＮ（着）２０から呼出信号（isup:ACMまたはCPG<UU情報>）を受信し、ステップＳ４３１１では、ＩＰ網１０で受信可能な呼出信号（例えば、sipでは180または183<UU情報>）に変換し、加入者サーバ（発）２ａに送信する。その呼出信号は、ステップＳ４３１２に示すように、中継サーバ３を経由して、転送される。
ステップＳ４３１３では、加入者サーバ（発）２ａの呼接続部２１は、受信した呼出信号をＩＰ変換装置（発）１ａに送信する。
ステップＳ４３１４では、ＩＰ変換装置（発）１ａのＵＵ情報通知判定部２５は、ステップＳ４３１３の呼出信号を受信して、ＵＵ情報通知許容／非許容の判定を実行し、ＵＵ情報通知許容の判定の場合、ＵＵ情報受信回数のカウントを実行する。そして、ＩＰ変換装置（発）１ａのdss1-ip変換部１１は、受信した呼出信号を、ＩＳＤＮ端末６で受信可能な呼出信号（dss1:ALERT<UU情報>）に変換し、ＩＳＤＮ端末（発）６ａに送信し、ＵＵ情報を通知する。
そして、ＲＢＴがＩＰ変換装置（発）１ａからＩＳＤＮ端末（発）６ａに送出される。ただし、183の場合、ＲＢＴは、ＰＳＴＮ（着）２０から送出される。
【０１４６】
ステップＳ４３１５では、ＰＳＴＮ−ＧＷ５のisup-ip変換部５１は、ＩＳＤＮ端末６ｃから応答信号（isup:ANM<UU情報>）を受信し、ステップＳ４３１６では、ＩＰ網１０で受信可能な応答信号（例えば、sipでは200）に変換し、加入者サーバ（発）２ａに送信する。その応答信号は、ステップＳ４３１７に示すように、中継サーバ３を経由して、転送される。
ステップＳ４３１８では、加入者サーバ（発）２ａの呼接続部２１は、受信した応答信号をＩＰ変換装置（発）１ａに送信する。
ステップＳ４３１９では、ＩＰ変換装置（発）１ａのＵＵ情報通知判定部２５は、ステップＳ４３１８の応答信号を受信して、ＵＵ情報通知許容／非許容の判定を実行し、ＵＵ情報通知許容の判定の場合、ＵＵ情報受信回数のカウントを実行する。そして、ＩＰ変換装置（発）１ａのdss1-ip変換部１１は、受信した応答信号を、ＩＳＤＮ端末６で受信可能な応答信号（dss1:CONN<UU情報>）に変換し、ＩＳＤＮ端末（発）６ａに送信し、ＵＵ情報を通知する。
そして、ステップＳ４３２０では、ＩＰ変換装置（発）１ａは、受信した応答信号に対する応答として、応答確認信号（例えば、sipではACK）をＰＳＴＮ−ＧＷ５に送信する。その応答確認信号は、ステップＳ４３２１〜Ｓ４３２２示すように、転送される。
ステップＳ４３２２では、ＰＳＴＮ−ＧＷ５は、応答確認信号を受信する。
【０１４７】
＜ＩＰ網発→ＰＳＴＮ着におけるパターン番号「Ｆ１」の動作フロー（その２）＞
図４４を用いて、通話中（ステップＳ４４００）となっている接続を、発側から切断する発側切断を実行する場合に、ＵＵ情報回数を集計する動作フローについて説明する。
ステップＳ４４０１では、ＩＰ変換装置（発）１ａのdss1-ip変換部１１は、ＩＳＤＮ端末（発）６ａから切断信号（dss1:DISC<UU情報>）を受信し、ステップＳ４４０２では、ＩＰ網１０で受信可能な切断信号（例えば、sipではBYE<UU情報>）に変換し、加入者サーバ（発）２ａに送信する。
ステップＳ４４０３では、加入者サーバ（発）２ａの呼接続部２１は、受信した切断信号を、ＰＳＴＮ−ＧＷ５に送信する。その切断信号は、ステップＳ４４０４に示すように、中継サーバ３を経由して、転送される。
ステップＳ４４０５では、ＰＳＴＮ−ＧＷ５のisup-ip変換部５１は、受信した切断信号を、ＰＳＴＮ２０で受信可能な切断信号（isup:REL<UU情報>）に変換し、ＰＳＴＮ（着）２０へ送信し、ＵＵ情報を通知する。
切断信号を受信したＰＳＴＮ（着）２０の加入者交換機は、ステップＳ４４０５の切断信号を受信して、ＵＵ情報通知許容／非許容の判定を実行し、ＵＵ情報通知許容の判定の場合、ＵＵ情報受信回数のカウントを実行する。
また、切断信号（isup:REL<UU情報>）を受信したＰＳＴＮ（着）２０は、復旧完了信号（isup:RLC）をＰＳＴＮ−ＧＷ５に送信する（ステップＳ４４０６）ことで回線の解放を行う。
【０１４８】
ステップＳ４４０７では、ＰＳＴＮ−ＧＷ５は、切断信号に対する応答である切断応答信号（例えばsipでは200）をＩＰ変換装置（発）１ａに送信する。その切断応答信号は、ステップＳ４４０８〜Ｓ４４０９に示すように、中継サーバ３および加入者サーバ（発）２ａを経由して、転送される。
ステップＳ４４１０では、ＩＰ変換装置（発）１ａのdss1-ip変換部１１は、受信した切断応答信号を、ＩＳＤＮ端末６が受信可能な解放信号（dss1:RELEASE）に変換し、ＩＳＤＮ端末（発）６ａに送信する。
ステップＳ４４１１では、解放信号（dss1:RELEASE）を受信したＩＳＤＮ端末（発）６ａは、解放完了信号（dss1:RELCOM）をＩＰ変換装置（発）１ａに送信することで、回線の解放を行う。
【０１４９】
ステップＳ４４５１では、ＰＳＴＮ−ＧＷ５のisup-ip変換部５１は、ＰＳＴＮ（着）２０の加入者交換機から、カウントされた発→着ＵＵ情報受信回数を格納した通知信号（発→着ＵＵ情報受信回数）を受信する。
ステップＳ４４５２では、ＰＳＴＮ−ＧＷ５のisup-ip変換部５１は、受信した通知信号を、ＩＰ網１０で受信可能な通知信号（例えば、sipではMESSAGE<発→着UU情報受信回数>）に変換し、加入者サーバ（発）２ａに送信する。その通知信号は、ステップＳ４４５３に示すように、中継サーバ３を経由して、転送される。
ステップＳ４４５４では、加入者サーバ（発）２ａの呼接続部２１は、受信した通知信号をＩＰ変換装置（発）１ａに送信する。
ステップＳ４４５５では、ＩＰ変換装置（発）１ａのＵＵ情報回数集計部２６は、ステップＳ４４５４の通知信号に格納してある発→着ＵＵ情報受信回数を、自身のカウントした着→発ＵＵ情報受信回数に加算して、ＵＵ情報回数情報２７に記憶しているＵＵ情報受信回数を更新する。
そして、ステップＳ４４５５では、ＩＰ変換装置（発）１ａは、通知応答信号（例えば、sipでは200）をＰＳＴＮ−ＧＷ５に送信する。その通知応答信号は、ステップＳ４４５６〜Ｓ４４５７示すように、転送される。
ステップＳ４４５７では、ＰＳＴＮ−ＧＷ５は、通知応答信号を受信する。
【０１５０】
＜ＩＰ網発→ＰＳＴＮ着におけるパターン番号「Ｆ１」の動作フロー（その３）＞
次に、図４５を用いて、通話中（ステップＳ４５００）となっている接続を、着側から切断する着側切断を実行する場合に、ＵＵ情報回数を集計する動作フローについて説明する。
ステップＳ４５０１では、ＰＳＴＮ−ＧＷ５のisup-ip変換部５１は、ＰＳＴＮ（着）２０から切断信号（isup:REL<UU情報>）を受信し、ステップＳ４５０２では、ＩＰ網１０で受信可能な切断信号（例えば、sipではBYE<UU情報>）に変換し、加入者サーバ（発）２ａに送信する。その切断信号は、ステップＳ４５０３に示すように、中継サーバ３を経由して、転送される。
ステップＳ４５０４では、加入者サーバ（発）２ａの呼接続部２１は、受信した切断信号をＩＰ変換装置（発）１ａに送信する。
なお、ＰＳＴＮ−ＧＷ５は、受信した切断信号に対する応答として復旧完了信号（isup:RLC）をＰＳＴＮ（着）２０に送信する（ステップＳ４５０６）。
【０１５１】
ステップＳ４５０５では、ＩＰ変換装置（発）１ａのＵＵ情報通知判定部２５は、ステップＳ４５０４の切断信号を受信して、ＵＵ情報通知許容／非許容の判定を実行し、ＵＵ情報通知許容の判定の場合、ＵＵ情報受信回数のカウントを実行する。そして、ＩＰ変換装置（発）１ａのdss1-ip変換部１１は、受信した切断信号を、ＩＳＤＮ端末６で受信可能な切断信号（dss1:DISC<UU情報>）に変換し、ＩＳＤＮ端末（発）６ａに送信し、ＵＵ情報を通知する。
また、ステップＳ４５０７では、ＩＰ変換装置（発）１ａは、受信した切断信号に対する応答として切断応答信号（例えば、sipでは200）をＰＳＴＮ−ＧＷ５へ送信する。その切断応答信号は、ステップＳ４５０８〜Ｓ４５０９に示すように、加入者サーバ（発）２ａおよび中継サーバを経由して、転送される。
そして、切断信号（dss1:DISC<UU情報>）を受信したＩＳＤＮ端末（発）６ａは、解放信号（dss1:RELEASE）をＩＰ変換装置（発）１ａに送信し（ステップＳ４５１０）、ＩＰ変換装置（発）１ａから解放完了信号（dss1:RELCOM）を受信する（ステップＳ４５１１）ことで回線の解放を行う。
【０１５２】
ステップＳ４５５１では、ＰＳＴＮ−ＧＷ５のisup-ip変換部５１は、ＰＳＴＮ（着）２０の加入者交換機から、カウントされた発→着ＵＵ情報受信回数を格納した通知信号（発→着ＵＵ情報受信回数）を受信する。
ステップＳ４５５２では、ＰＳＴＮ−ＧＷ５のisup-ip変換部５１は、受信した通知信号を、ＩＰ網１０で受信可能な通知信号（例えば、sipではMESSAGE<発→着UU情報受信回数>）に変換し、加入者サーバ（発）２ａに送信する。その通知信号は、ステップＳ４５５３に示すように、中継サーバを経由して、転送される。
ステップＳ４５５４では、加入者サーバ（発）２ａの呼接続部２１は、受信した通知信号をＩＰ変換装置（発）１ａに送信する。
ステップＳ４５５４の通知信号を受信したＩＰ変換装置（発）１ａのＵＵ情報回数集計部２６は、ステップＳ４５５４の通知信号に格納してある発→着ＵＵ情報受信回数を、自身のカウントした着→発ＵＵ情報受信回数に加算して、ＵＵ情報回数情報２７に記憶しているＵＵ情報受信回数を更新する。
そして、ステップＳ４５５５では、ＩＰ変換装置（発）１ａは、通知応答信号（例えば、sipでは200）をＰＳＴＮ−ＧＷ５に送信する。その通知応答信号は、ステップＳ４５５６〜Ｓ４５５７示すように、転送される。
ステップＳ４５５７では、ＰＳＴＮ−ＧＷ５は、通知応答信号を受信する。
【０１５３】
＜ＩＰ網発→ＰＳＴＮ着におけるパターン番号「Ｆ２」の動作フロー（その１）〜（その３）＞
図４６〜図４８を用いて、ＩＰ網１０のＩＳＤＮ端末（発）６ａからＰＳＴＮ２０のＩＳＤＮ端末６ｃへ接続する場合に、ＵＵ情報回数を集計する動作フローについて説明する。なお、ＵＵ情報通知判定部２５および登録情報１５（１５ｅ）は、加入者サーバ（発）２ａとＰＳＴＮ（着）２０の図示しない加入者交換機とに備えられている。また、ＵＵ情報回数集計部２６およびＵＵ情報回数情報２７は、加入者サーバ（発）２ａに備えられる。そして、ＰＳＴＮ（着）２０の加入者交換機は発側→着側の信号に格納されているＵＵ情報を対象に処理を実行する。加入者サーバ（発）２ａは、着側→発側の信号に格納されているＵＵ情報を対象に処理を実行するとともに、ＰＳＴＮ（着）２０の加入者交換機でカウントされたＵＵ情報受信回数を受信して集計する。
【０１５４】
図４６に示す動作フロー（ステップＳ４６０１〜Ｓ４６２２）は、図４３に示すパターン番号「Ｆ１」の動作フロー（ステップＳ４３０１〜Ｓ４３２２）と同様であるので、相違点となる、ＵＵ情報通知判定部２５およびＵＵ情報回数集計部２６の処理について説明する。ステップＳ４６０５の呼設定信号を受信したＰＳＴＮ（着）２０の加入者交換機のＵＵ情報通知判定部２５は、ＵＵ情報通知許容／非許容の判定を実行し、ＵＵ情報通知許容の判定の場合、ＵＵ情報受信回数のカウントを実行する。また、加入者サーバ（発）２ａのＵＵ情報通知判定部２５は、ステップＳ４６１２の呼出信号およびステップＳ４６１７の応答信号のいずれかを受信して、ＵＵ情報通知許容／非許容の判定を実行し、ＵＵ情報通知許容の判定の場合、ＵＵ情報受信回数のカウントを実行する。
【０１５５】
次に、図４７に示す動作フロー（ステップＳ４７０１〜Ｓ４７１４，Ｓ４７５１〜Ｓ４７５３，Ｓ４７５６〜Ｓ４７５７）は、図４４に示すパターン番号「Ｆ１」の動作フロー（ステップ４４０１〜Ｓ４４１４，Ｓ４４５１〜Ｓ４４５３，Ｓ４４５６〜Ｓ４４５７）と同様であるので、相違点となる、ＵＵ情報通知判定部２５およびＵＵ情報回数集計部２６の処理について説明する。ステップＳ４７０５の切断信号を受信したＰＳＴＮ（着）２０の加入者交換機のＵＵ情報通知判定部２５は、ＵＵ情報通知許容／非許容の判定を実行し、ＵＵ情報通知許容の判定の場合、ＵＵ情報受信回数のカウントを実行する。また、ステップＳ４７５１では、ＰＳＴＮ（着）２０の加入者交換機のＵＵ情報通知判定部２５は、カウントしてある発→着ＵＵ情報受信回数を通信信号に格納して、ＰＳＴＮ−ＧＷ５に送信する。また、ステップＳ４７５３の通知信号を受信した加入者サーバ（発）２ａのＵＵ情報回数集計部２６は、当該通知信号に格納してある発→着ＵＵ情報受信回数を、自身のカウントした着→発ＵＵ情報受信回数に加算して、ＵＵ情報回数情報２７に記憶しているＵＵ情報受信回数を更新する。
そして、ステップＳ４７５６では、加入者サーバ（発）２ａは、通知応答信号（例えば、sipでは200）をＰＳＴＮ−ＧＷ５に送信する。その通知応答信号は、ステップＳ４５５７示すように、中継サーバ３を経由して、転送される。
ステップＳ４７５７では、ＰＳＴＮ−ＧＷ５は、通知応答信号を受信する。
【０１５６】
次に、図４８に示す動作フロー（ステップＳ４８０１〜Ｓ４８１４，Ｓ４８５１〜Ｓ４８５３，Ｓ４８５６〜Ｓ４８５７）は、図４５に示すパターン番号「Ｆ１」の動作フロー（ステップＳ４５０１〜Ｓ４５１４，Ｓ４５５１〜Ｓ４５５３，Ｓ４５５６〜Ｓ４５５７）と同様であるので、相違点となる、ＵＵ情報通知判定部２５およびＵＵ情報回数集計部２６の処理について説明する。ステップＳ４８０３の切断信号を受信した加入者サーバ（発）２ａのＵＵ情報通知判定部２５は、ＵＵ情報通知許容／非許容の判定を実行し、ＵＵ情報通知許容の判定の場合、ＵＵ情報受信回数（着→発ＵＵ情報受信回数）のカウントを実行する。また、ステップＳ４８５１では、ＰＳＴＮ２０の加入者交換機のＵＵ情報通知判定部２５は、カウントしてある発→着ＵＵ情報受信回数を通知信号に格納して、ＰＳＴＮ−ＧＷ５に送信する。また、ステップＳ４８５３の通知信号を受信した加入者サーバ（発）２ａのＵＵ情報回数集計部２６は、当該通知信号に格納してある発→着ＵＵ情報受信回数を、自身のカウントした着→発ＵＵ情報受信回数に加算して、ＵＵ情報回数情報２７に記憶しているＵＵ情報受信回数を更新する。
【０１５７】
＜ＩＰ網発→ＰＳＴＮ着におけるパターン番号「Ｆ３１」の動作フロー（その１）〜（その３）＞
図４９ａ，図４９ｂ、図５０〜図５１を用いて、ＩＰ網１０のＩＳＤＮ端末（発）６ａからＰＳＴＮ（着）２０のＩＳＤＮ端末６ｃへ接続する場合に、ＵＵ情報回数を集計する動作フローについて説明する。なお、ＵＵ情報通知判定部２５および登録情報１５（１５ｅ）と、ＵＵ情報回数集計部２６およびＵＵ情報回数情報２７とは、ＡＳ４に備えられる。そして、ＡＳ４は発側→着側の信号および着側→発側の信号に格納されているＵＵ情報を対象に処理を実行し、ＵＵ情報受信回数を集計する。なお、パターン番号「Ｆ３１」では、ＵＵ情報をＡＳ４経由で送信する点が、パターン番号「Ｆ１」，「Ｆ２」とは大きく異なる。
【０１５８】
図４９ａ，図４９ｂに示す動作フロー（ステップＳ４９０１〜Ｓ４９２２）は、図４３に示すパターン番号「Ｆ１」の動作フロー（ステップＳ４３０１〜Ｓ４３２２）と同様であるので、相違点のみ説明する。加入者サーバ（発）２ａは、ＵＵ情報を格納した信号がＡＳ４を経由するように制御する（ステップＳ４９５１〜Ｓ４９５６）。したがって、ＡＳ４は、すべてのＵＵ情報受信回数を記憶することができる。
【０１５９】
次に、図５０に示す、発側から切断する発側切断を実行する動作フロー（ステップＳ５００１〜Ｓ５０１１）は、図４４に示すパターン番号「Ｆ１」の動作フロー（ステップＳ４４０１〜Ｓ４４１１）と同様であるので、相違点のみ説明する。加入者サーバ（発）２ａは、ＵＵ情報が格納された信号がＡＳ４を経由するように制御する（ステップＳ５０５１〜Ｓ５０５４）。したがって、ＡＳ４は、すべてのＵＵ情報受信回数を記憶することができる。
【０１６０】
次に、図５１に示す、着側から切断する着側切断を実行する動作フロー（ステップＳ５１０１〜Ｓ５１１１）は、図４５に示すパターン番号「Ｆ１」の動作フロー（ステップＳ４５０１〜Ｓ４５１１）と同様であるので、相違点のみ説明する。加入者サーバ（発）２ａは、ＵＵ情報が格納された信号がＡＳ４を経由するように制御する（ステップＳ５１５１〜Ｓ５１５４）。したがって、ＡＳ４は、すべてのＵＵ情報受信回数を記憶することができる。
【０１６１】
＜ＩＰ網発→ＰＳＴＮ着におけるパターン番号「Ｆ３２」の動作フロー（その１）〜（その３）＞
図５２〜図５４を用いて、ＩＰ網１０のＩＳＤＮ端末（発）６ａからＰＳＴＮ２０のＩＳＤＮ端末６ｃへ接続する場合に、ＵＵ情報回数を集計する動作フローについて説明する。なお、ＵＵ情報通知判定部２５および登録情報１５（１５ｅ）は、加入者サーバ（発）２ａとＰＳＴＮ（着）２０の図示しない加入者交換機とに備えられ、ＵＵ情報回数集計部２６およびＵＵ情報回数情報２７は、ＡＳ４に備えられる。そして、ＰＳＴＮ（着）２０の加入者交換機は発側→着側の信号に格納されているＵＵ情報を対象に処理を実行し、加入者サーバ（発）２ａは着側→発側の信号に格納されているＵＵ情報を対象に処理を実行し、ＡＳ４はＵＵ情報受信回数を集計する。なお、パターン番号「Ｆ３２」では、加入者サーバ（発）２ａおよびＰＳＴＮ（着）２０の加入者交換機がＵＵ情報受信回数をカウントし、個々にＡＳＡへ送信する点が、パターン番号「Ｆ１」，「Ｆ２」，「Ｆ３１」と異なる。
【０１６２】
図５２に示す動作フロー（ステップＳ５２０１〜Ｓ５２２２）は、図４６に示すパターン番号「Ｆ２」の動作フロー（ステップＳ４６０１〜Ｓ４６２２）と同様であるので、説明を省略する。
【０１６３】
次に、図５３に示す、発側から切断する発側切断の動作フロー（ステップＳ５３０１〜Ｓ５３１１）は、図４７に示すパターン番号「Ｆ２」の動作フロー（ステップＳ４７０１〜Ｓ３１１１）と同様であるので、相違点となる、ＵＵ情報通知判定部２５およびＵＵ情報回数集計部２６の処理について説明する。ステップＳ５３０５の切断信号を受信したＰＳＴＮ（着）２０の加入者交換機のＵＵ情報通知判定部２５は、ＵＵ情報通知許容／非許容の判定を実行し、ＵＵ情報通知許容の判定の場合、ＵＵ情報受信回数のカウントを実行する。また、ステップＳ５３０８の切断応答信号を受信した加入者サーバ（発）２ａのＵＵ情報通知判定部２５は、カウントしてある発→着ＵＵ情報受信回数を通知信号に格納して、ＡＳ４に送信する（ステップＳ５３５１）。ステップＳ５３５１の通知信号を受信したＡＳ４のＵＵ情報回数集計部２６は、当該通知信号に格納してある着→発ＵＵ情報受信回数を、ＵＵ情報受信回数として情報回数情報２７に記憶する。また、ＰＳＴＮ（着）２０の加入者交換機のＵＵ情報通知判定部２５は、カウントしてある発→着ＵＵ情報受信回数を通信信号に格納して、ＰＳＴＮ−ＧＷ５に送信する（ステップＳ５３５２）。ＰＳＴＮ−ＧＷ５は、受信した通信信号をＡＳ４に送信する（ステップＳ５３５３）。そして、ステップＳ５３５３の通知信号を受信したＡＳ４のＵＵ情報回数集計部２６は、当該通知信号に格納してある発→着ＵＵ情報受信回数を、既に情報回数情報２７に記憶しているＵＵ情報受信回数に加算して、ＵＵ情報受信回数を更新する。
ステップＳ５３１２では、ＩＰ変換装置（発）１ａは、ステップＳ５３０９の切断応答信号に対する応答として応答確認信号（例えば、sipではACK）をＰＳＴＮ−ＧＷ５に送信する。その応答確認信号は、ステップＳ５３１３〜Ｓ５３１４に示すように、転送される。
ステップＳ５３１４では、ＰＳＴＮ−ＧＷ５は、応答確認信号を受信する。
【０１６４】
次に、図５４に示す、着側から切断する着側切断の動作フロー（ステップＳ５４０１〜Ｓ５４１１）は、図４８に示すパターン番号「Ｆ２」の動作フロー（ステップＳ４８０１〜Ｓ４８１１）と同様であるので、相違点となる、ＵＵ情報通知判定部２５およびＵＵ情報回数集計部２６の処理について説明する。ステップＳ５４０３の切断信号を受信した加入者サーバ（発）２ａのＵＵ情報通知判定部２５は、着→発ＵＵ情報受信回数のカウントを実行する。また、ステップＳ５４０７の切断応答信号を受信した加入者サーバ（発）２ａのＵＵ情報通知判定部２５は、カウントしてある着→発ＵＵ情報受信回数を通信信号に格納して、ＡＳ４に送信する（ステップＳ５４５１）。ステップＳ５４５１の通知信号を受信したＡＳ４のＵＵ情報回数集計部２６は、当該通知信号に格納してある発→着ＵＵ情報受信回数を、ＵＵ情報受信回数として情報回数情報２７に記憶する。また、ステップＳ５４５２では、ＰＳＴＮ（着）２０の加入者交換機のＵＵ情報通知判定部２５は、カウントしてある発→着ＵＵ情報受信回数を通信信号に格納して、ＰＳＴＮ−ＧＷ５に送信する。ＰＳＴＮ−ＧＷ５は、受信した通知信号を、ＡＳ４に送信する（ステップＳ５４５３）。そして、ステップＳ５４５３の通知信号を受信したＡＳ４のＵＵ情報回数集計部２６は、当該通知信号に格納してある発→着ＵＵ情報受信回数を、既に情報回数情報２７に記憶しているＵＵ情報受信回数に加算して、ＵＵ情報受信回数を更新する。
【０１６５】
＜ＩＰ網発→ＰＳＴＮ着におけるパターン番号「Ｆ３３」の動作フロー（その１）〜（その３）＞
図５５〜図５７を用いて、ＩＰ網１０のＩＳＤＮ端末（発）６ａからＰＳＴＮ（着）２０のＩＳＤＮ端末６ｃへ接続する場合に、ＵＵ情報回数を集計する動作フローについて説明する。なお、ＵＵ情報通知判定部２５および登録情報１５（１５ｅ）は、加入者サーバ（発）２ａおよびＰＳＴＮ（着）２０の図示しない加入者交換機に備えられる。ＵＵ情報回数集計部２６およびＵＵ情報回数情報２７は、ＡＳ４に備えられる。そして、ＰＳＴＮ（着）２０の加入者交換機は発側→着側の信号に格納されているＵＵ情報を対象に処理を実行し、加入者サーバ（発）２ａは着側→発側の信号に格納されているＵＵ情報を対象に処理を実行し、ＡＳ４はＵＵ情報受信回数を集計する。なお、パターン番号「Ｆ３３」は、ＰＳＴＮ（着）２０の加入者交換機から送信されるＵＵ情報を格納した通知信号を、加入者サーバ（発）２ａを経由してＡＳ４へ送信する点において、パターン番号「Ｆ３２」と異なる。
【０１６６】
図５５に示す動作フロー（ステップＳ５５０１〜Ｓ５５２２）は、図５２に示すパターン番号「Ｆ３２」の動作フロー（ステップＳ５２０１〜Ｓ５２２２）と同様であるので、説明を省略する。
【０１６７】
次に、図５６に示す、発側から切断する発側切断の動作フロー（ステップＳ５６０１〜Ｓ５６１４）は、図５３に示すパターン番号「Ｆ３２」の動作フロー（ステップＳ５３０１〜Ｓ５３１４）と同様であるので、相違点となる、ＵＵ情報通知判定部２５およびＵＵ情報回数集計部２６の処理について説明する。ステップＳ５６０５の切断信号を受信したＰＳＴＮ（着）２０の加入者交換機のＵＵ情報通知判定部２５は、ＵＵ情報通知許容／非許容の判定を実行し、ＵＵ情報通知許容の判定の場合、ＵＵ情報受信回数のカウントを実行する。ステップＳ５６０８の切断応答信号を受信した加入者サーバ（発）２ａのＵＵ情報通知判定部２５は、カウントしてある着→発ＵＵ情報受信回数を通知信号に格納して、ＡＳ４に送信する（ステップＳ５６５１）。ステップＳ５６５１の通知信号を受信したＡＳ４のＵＵ情報回数集計部２６は、当該通知信号に格納してある着→発ＵＵ情報受信回数を、情報回数情報２７に記憶する。
また、ステップＳ５６５２では、ＰＳＴＮ（着）２０の加入者交換機のＵＵ情報通知判定部２５は、カウントしてある発→着ＵＵ情報受信回数を通知信号に格納して、ＰＳＴＮ−ＧＷ５に送信する。ステップＳ５６５３では、ＰＳＴＮ−ＧＷ５は、受信した通知信号を、ＡＳ４に送信する。その通知信号は、ステップＳ５６５４〜Ｓ５６５５に示すように、中継サーバ３および加入者サーバ（発）２ａを経由してＡＳ４へ転送される。そして、ステップＳ５６５５の通知信号を受信したＡＳ４のＵＵ情報回数集計部２６は、当該通知信号に格納してある発→着ＵＵ情報受信回数を、既に情報回数情報２７に記憶しているＵＵ情報受信回数に加算して、ＵＵ情報受信回数を更新する。
【０１６８】
次に、図５７に示す、着側から切断する着側切断の動作フロー（ステップＳ５７０１〜Ｓ５７１１）は、図５４に示すパターン番号「Ｆ３２」の動作フロー（ステップＳ５４０１〜Ｓ５４１１）と同様であるので、相違点となる、ＵＵ情報通知判定部２５およびＵＵ情報回数集計部２６の処理について説明する。ステップＳ５７０３の切断信号を受信した加入者サーバ（発）２ａのＵＵ情報通知判定部２５は、着→発ＵＵ情報受信回数のカウントを実行する。また、ステップＳ５７０７の切断応答信号を受信した加入者サーバ（発）２ａのＵＵ情報通知判定部２５は、カウントしてある着→発ＵＵ情報受信回数を通信信号に格納して、ＡＳ４に送信する（ステップＳ５７５１）。ステップＳ５７５１の通知信号を受信したＡＳ４のＵＵ情報回数集計部２６は、当該通知信号に格納してある発→着ＵＵ情報受信回数を、ＵＵ情報受信回数として情報回数情報２７に記憶する。また、ステップＳ５７５２では、ＰＳＴＮ（着）２０の加入者交換機のＵＵ情報通知判定部２５は、カウントしてある発→着ＵＵ情報受信回数を通信信号に格納して、ＰＳＴＮ−ＧＷ５に送信する。ＰＳＴＮ−ＧＷ５は、受信した通知信号を、ＡＳ４に送信する（ステップＳ５７５３）。なお、その通知信号は、ステップＳ５７５４〜Ｓ５７５５に示すように、中継サーバ３および加入者サーバ（発）２ａを経由して、転送される。そして、ステップＳ５７５５の通知信号を受信したＡＳ４のＵＵ情報回数集計部２６は、当該通知信号に格納してある発→着ＵＵ情報受信回数を、既に情報回数情報２７に記憶しているＵＵ情報受信回数に加算して、ＵＵ情報受信回数を更新する。
【０１６９】
＜ＰＳＴＮ発→ＩＰ網着におけるパターン番号「Ｆ４」の動作フロー（その１）＞
図５８を用いて、ＰＳＴＮ（発）２０のＩＳＤＮ端末６からＩＰ網１０のＩＳＤＮ端末（着）６ｂへ接続する場合に、ＵＵ情報回数を集計する動作フローについて説明する。なお、パターン番号「Ｆ４」では、ＵＵ情報通知判定部２５および登録情報１５（１５ｅ）は、ＩＰ変換装置（着）１ｂ、ＰＳＴＮ（発）２０の図示しない加入者交換機に備えられ、ＵＵ情報回数集計部２６およびＵＵ情報回数情報２７は、ＰＳＴＮ（発）２０の加入者交換機に備えられる。そして、ＰＳＴＮ（発）２０は着側→発側の信号に格納されているＵＵ情報を対象に処理を実行し、ＩＰ変換装置（着）１ｂは発側→着側の信号に格納されているＵＵ情報を対象に処理を実行し、ＵＵ情報受信回数を集計する。
【０１７０】
ステップＳ５８０１では、ＰＳＴＮ−ＧＷ５のisup-ip変換部５１は、ＰＳＴＮ（発）２０から呼設定信号（isup:IAM<UU情報>）を受信し、ステップＳ５８０２では、ＩＰ網１０で受信可能な呼設定信号（例えば、sipではINVITE<UU情報>）に変換し、ＵＵ情報を呼設定信号に格納して、加入者サーバ（着）２ｂに送信する。その呼設定信号は、ステップＳ５８０３に示されるように、中継サーバ３を経由して転送される。
ステップＳ５８０４では、加入者サーバ（着）２ｂの呼接続部２１は、受信した呼設定信号を、ＩＰ変換装置（着）１ｂに送信する。
ステップＳ５８０４の呼設定信号を受信したＩＰ変換装置（着）１ｂのＵＵ情報通知判定部２５は、ＵＵ情報通知許容／非許容の判定を実行し、ＵＵ情報通知許容の判定の場合、ＵＵ情報受信回数のカウントを実行する。
ステップＳ５８０５では、ＩＰ変換装置（着）１ｂのdss1-ip変換部１１は、受信した呼設定信号を、ＩＳＤＮ端末６で受信可能な呼設定信号（dss1:SETUP<UU情報>）に変換し、ＩＳＤＮ端末（着）６ｂに送信し、ＵＵ情報を通知する。
なお、ステップＳ５８０６〜Ｓ５８０８の呼設定受付信号は、それぞれステップＳ５８０２〜Ｓ５８０４に対する応答である。
【０１７１】
ステップＳ５８０９では、ＩＰ変換装置（着）１ｂのdss1-ip変換部１１は、ＩＳＤＮ端末（着）６ｂから呼出信号（dss1:ALERT<UU情報>）を受信し、ステップＳ５８１０では、ＩＰ網１０で受信可能な呼出信号（例えば、sipでは180<UU情報>）に変換し、加入者サーバ（着）２ｂに送信する。
ステップＳ５８１１では、加入者サーバ（着）２ｂの呼接続部２１は、受信した呼出信号をＰＳＴＮ−ＧＷ５に送信する。その呼出信号は、ステップＳ５８１２に示すように、中継サーバ３を経由して、転送される。
ステップＳ５８１３では、ＰＳＴＮ−ＧＷ５のisup-ip変換部５１は、受信した呼出信号を、ＰＳＴＮ２０で受信可能な呼出信号（isup:ACMまたはCPG<UU情報>）に変換し、ＰＳＴＮ（発）２０へ送信し、ＵＵ情報を通知する。
ＰＳＴＮ２０の加入者交換機のＵＵ情報通知判定部２５は、ステップＳ５８１３の呼出信号を受信して、ＵＵ情報通知許容／非許容の判定を実行し、ＵＵ情報通知許容の判定の場合、ＵＵ情報受信回数のカウントを実行する。
【０１７２】
ステップＳ５８１４では、ＩＰ変換装置（着）１ｂのdss1-ip変換部１１は、ＩＳＤＮ端末（着）６ｂから応答信号（dss1:CONN<UU情報>）を受信し、ステップＳ５８１５では、ＩＰ網１０で受信可能な応答信号（例えば、sipでは200<UU情報>）に変換し、加入者サーバ（着）２ｂに送信する。
ステップＳ５８１６では、加入者サーバ（着）２ｂの呼接続部２１は、受信した応答信号をＰＳＴＮ−ＧＷ５に送信する。その応答信号は、ステップＳ５８１７に示すように、中継サーバ３を経由して、転送される。
ステップＳ５８１８では、ＰＳＴＮ−ＧＷ５のisup-ip変換部５１は、受信した応答信号を、ＰＳＴＮ２０で受信可能な呼出信号（isup:ANM<UU情報>）に変換し、ＰＳＴＮ（発）２０へ送信し、ＵＵ情報を通知する。
ステップＳ５８１８の応答信号を受信したＰＳＴＮ２０の加入者交換機のＵＵ情報通知判定部２５は、ＵＵ情報通知許容／非許容の判定を実行し、ＵＵ情報通知許容の判定の場合、ＵＵ情報受信回数のカウントを実行する。
また、ステップＳ５８１９では、ＰＳＴＮ−ＧＷ５は、ステップＳ５８１７の応答信号に対する応答として応答確認信号（例えば、sipではACK）をＩＰ変換装置（着）１ｂへ送信する。その応答信号は、ステップＳ５８２０〜Ｓ５８２１に示すように、中継サーバ３および加入者サーバ２ｂを経由して、ＩＰ変換装置（着）１ｂへ転送される。
【０１７３】
＜ＰＳＴＮ発→ＩＰ網着におけるパターン番号「Ｆ４」の動作フロー（その２）＞
次に、図５９を用いて、通話中（ステップＳ５９００）となっている接続を、発側から切断する発側切断を実行する場合に、ＵＵ情報回数を集計する動作フローについて説明する。
ステップＳ５９０１では、ＰＳＴＮ−ＧＷ５のisup-ip変換部５１は、ＰＳＴＮ（発）２０から切断信号（isup:REL<UU情報>）を受信し、ステップＳ５９０２では、ＩＰ網１０で受信可能な切断信号（例えば、sipではBYE<UU情報>）に変換し、加入者サーバ（着）２ｂに、送信する。その切断信号は、ステップＳ５９０３に示すように、中継サーバ３を経由して、転送される。また、ステップＳ５９０６では、ＰＳＴＮ−ＧＷ５は、受信した切断信号に対する応答として復旧完了信号（isup:RLC）をＰＳＴＮ（発）２０に送信する。
ステップＳ５９０４では、加入者サーバ（着）２ｂの呼接続部２１は、受信した切断信号をＩＰ変換装置（着）１ｂに送信する。
【０１７４】
ステップＳ５９０４の切断信号を受信したＩＰ変換装置（着）１ｂのＵＵ情報通知判定部２５は、ＵＵ情報通知許容／非許容の判定を実行し、ＵＵ情報通知許容の判定の場合、ＵＵ情報受信回数のカウントを実行する。
ステップＳ５９０５では、ＩＰ変換装置（着）１ｂのdss1-ip変換部１１は、受信した切断信号を、ＩＳＤＮ端末６で受信可能な切断信号（dss1:DISC<UU情報>）に変換し、ＩＳＤＮ端末（着）６ｂに送信し、ＵＵ情報を通知する。
また、ステップＳ５９０７では、ＩＰ変換装置（着）１ｂは、受信した切断信号に対する応答として切断応答信号（例えば、sipでは200）をＰＳＴＮ−ＧＷ５に送信する。その切断応答信号は、ステップＳ５９０８〜Ｓ５９０９に示すように、加入者サーバ（着）２ｂおよび中継サーバ３を経由して、転送される。
そして、ステップＳ５９０５の切断信号（dss1:DISC<UU情報>）を受信したＩＳＤＮ端末（着）６ｂは、解放信号（dss1:RELEASE）をＩＰ変換装置（着）１ｂに送信し（ステップＳ５９１０）、ＩＰ変換装置（着）１ｂから解放完了信号（dss1:RELCOM）を受信する（ステップＳ５９１１）ことで回線の解放を行う。
【０１７５】
ステップＳ５９５１では、ＩＰ変換装置（着）１ｂのＵＵ情報通知判定部２５は、ステップＳ５９０７の切断応答信号を送信した後、カウントしてある発→着ＵＵ情報受信回数を通知信号（例えば、sipではMESSAGE<発→着UU情報受信回数>）に格納して、ＰＳＴＮ−ＧＷ５に送信する。その通信信号は、ステップＳ５９５２〜Ｓ５９５３に示すように、加入者サーバ（着）２ｂおよび中継サーバ３を経由して、転送される。
ステップＳ５９５４では、ＰＳＴＮ−ＧＷ５のisup-ip変換部５１は、受信した通知信号を、ＰＳＴＮ２０で受信可能な通知信号（発→着UU情報受信回数）に変換し、ＰＳＴＮ（発）２０に送信する。また、ステップＳ５９５５では、ＰＳＴＮ−ＧＷ５は、受信した通知信号に対する応答として、通知応答信号をＩＰ変換装置（着）１ｂに送信する。その通知応答信号は、ステップＳ５９５６〜Ｓ５９５７に示すように、転送される。
ＰＳＴＮ（発）２０の加入者交換機のＵＵ情報回数集計部２６は、ステップＳ５９５４の通知信号を受信して、当該通知信号に格納してある発→着ＵＵ情報受信回数を、自身のカウントした着→発ＵＵ情報受信回数に加算して、ＵＵ情報回数情報２７に記憶しているＵＵ情報受信回数を更新する。
【０１７６】
＜ＰＳＴＮ発→ＩＰ網着におけるパターン番号「Ｆ４」の動作フロー（その３）＞
図６０を用いて、通話中（ステップＳ６０００）となっている接続を、着側から切断する着側切断を実行する場合に、ＵＵ情報回数を集計する動作フローについて説明する。
ステップＳ６００１では、ＩＰ変換装置（着）１ｂのdss1-ip変換部１１は、ＩＳＤＮ端末（着）６ｂから切断信号（dss1:DISC<UU情報>）を受信し、ステップＳ６００２では、ＩＰ網１０で受信可能な切断信号（例えば、sipではBYE<UU情報>）に変換し、加入者サーバ（着）２ｂに送信する。
ステップＳ６００３では、加入者サーバ（着）２ｂの呼接続部２１は、受信した切断信号を、ＰＳＴＮ−ＧＷ５に送信する。その切断信号は、ステップＳ６００４に示すように、中継サーバ３を経由して、転送される。
ステップＳ６００５では、ＰＳＴＮ−ＧＷ５のisup-ip変換部５１は、受信した切断信号を、ＰＳＴＮ２０で受信可能な切断信号（isup:REL<UU情報>）に変換し、ＰＳＴＮ（発）２０へ送信し、ＵＵ情報を通知する。
ステップＳ６００５の切断信号を受信したＰＳＴＮ（着）２０の加入者交換機のＵＵ情報通知判定部２５は、ＵＵ情報通知許容／非許容の判定を実行し、ＵＵ情報通知許容の判定の場合、ＵＵ情報受信回数のカウントを実行する。
また、ステップＳ６００５の切断信号（isup:REL<UU情報>）を受信したＰＳＴＮ（着）２０は、復旧完了信号（isup:RLC）をＰＳＴＮ−ＧＷ５に送信する（ステップＳ６００６）ことで回線の解放を行う。
【０１７７】
ステップＳ６００７では、ＰＳＴＮ−ＧＷ５は、切断信号に対する応答である応答確認信号（例えばsipではACK）をＩＰ変換装置（着）１ｂに送信する。その応答確認信号は、ステップＳ６００８〜Ｓ６００９に示すように、中継サーバ３および加入者サーバ（着）２ｂを経由して、転送される。
ステップＳ６０１０では、ＩＰ変換装置（着）１ｂのdss1-ip変換部１１は、受信した応答確認信号を、ＩＳＤＮ端末６が受信可能な解放信号（dss1:RELEASE）に変換し、ＩＳＤＮ端末（着）６ｂに送信する。ステップＳ６０１１では、解放信号（dss1:RELEASE）を受信したＩＳＤＮ端末（着）６ｂは、解放完了信号（dss1:RELCOM）をＩＰ変換装置（着）１ｂに送信することで、回線の解放を行う。
【０１７８】
ステップＳ６０５１では、ステップＳ６００９の応答確認信号を受信したＩＰ変換装置（着）１ｂのＵＵ情報通知判定部２５は、カウントしてある発→着ＵＵ情報受信回数を通知信号（例えば、sipではMESSAGE<発→着UU情報受信回数>）に格納して、ＰＳＴＮ−ＧＷ５に送信する。その通信信号は、ステップＳ６０５２〜Ｓ６０５３に示すように、加入者サーバ（着）２ｂおよび中継サーバ３を経由して、転送される。
ステップＳ６０５４では、ＰＳＴＮ−ＧＷ５のisup-ip変換部５１は、受信した通知信号を、ＰＳＴＮ２０で受信可能な通知信号（発→着UU情報受信回数）に変換し、ＰＳＴＮ（発）２０に送信する。なお、ＰＳＴＮ−ＧＷ５は、受信した通知信号に対する応答として、通知応答信号をＩＰ変換装置（着）１ｂに送信する（ステップＳ６０５５）。その通知応答信号は、ステップＳ６０５６〜Ｓ６０５７に示すように、転送される。
ステップＳ６０５４の通知信号を受信したＰＳＴＮ（発）２０の加入者交換機のＵＵ情報回数集計部２６は、当該通知信号に格納してある発→着ＵＵ情報受信回数を、自身のカウントした着→発ＵＵ情報受信回数に加算して、ＵＵ情報回数情報２７に記憶しているＵＵ情報受信回数を更新する。
【０１７９】
＜ＰＳＴＮ発→ＩＰ網着におけるパターン番号「Ｆ５」の動作フロー（その１）〜（その３）＞
図６１〜図６３を用いて、ＰＳＴＮ（発）２０のＩＳＤＮ端末６からＩＰ網１０のＩＳＤＮ端末（着）６ｂへ接続する場合に、ＵＵ情報回数を集計する動作フローについて説明する。なお、ＵＵ情報通知判定部２５および登録情報１５（１５ｅ）は、加入者サーバ（着）２ｂとＰＳＴＮ（発）２０の図示しない加入者交換機とに備えられている。また、ＵＵ情報回数集計部２６およびＵＵ情報回数情報２７は、ＰＳＴＮ（発）２０の加入者交換機に備えられている。そして、加入者サーバ（着）２ｂは、発側→着側の信号に格納されているＵＵ情報を対象に処理を実行する。ＰＳＴＮ２０の加入者交換機は着→発側の信号に格納されているＵＵ情報を対象に処理を実行するとともに、加入者サーバ（着）２ｂでカウントされたＵＵ情報受信回数を受信して集計する。
【０１８０】
図６１に示す動作フロー（ステップＳ６１０１〜Ｓ６１２１）は、図５８に示すパターン番号「Ｆ４」の動作フロー（ステップＳ５８０１〜Ｓ５８２１）と同様であるので、相違点となる、ＵＵ情報通知判定部２５およびＵＵ情報回数集計部２６の処理について説明する。ステップＳ６１０３の呼設定信号を受信した加入者サーバ（着）２ｂのＵＵ情報通知判定部２５は、ＵＵ情報通知許容／非許容の判定を実行し、ＵＵ情報通知許容の判定の場合、ＵＵ情報受信回数のカウントを実行する。また、ＰＳＴＮ２０の加入者交換機のＵＵ情報通知判定部２５は、ステップＳ６１１３の呼出信号およびステップＳ６１１８の応答信号を受信して、ＵＵ情報通知許容／非許容の判定を実行し、ＵＵ情報通知許容の判定の場合、ＵＵ情報受信回数のカウントを実行する。
【０１８１】
次に、図６２に示す、発側から切断する発側切断の動作フロー（ステップＳ６２０１〜Ｓ６２１１，Ｓ６２５２〜Ｓ６２５６）は、図５９に示すパターン番号「Ｆ４」の動作フロー（ステップＳ５９０１〜Ｓ５９１１，Ｓ５９５２〜Ｓ５９５６）と同様であるので、相違点となる、ＵＵ情報通知判定部２５およびＵＵ情報回数集計部２６の処理について説明する。ステップＳ６２０３の切断信号を受信した加入者サーバ（着）２ｂのＵＵ情報通知判定部２５は、ＵＵ情報通知許容／非許容の判定を実行し、ＵＵ情報通知許容の判定の場合、ＵＵ情報受信回数のカウントを実行する。また、ステップＳ６２０７の切断応答信号（例えば、sipでは200）を受信した加入者サーバ（着）２ｂのＵＵ情報通知判定部２５は、カウントしてある発→着ＵＵ情報受信回数を通信信号に格納して、ＰＳＴＮ−ＧＷ５に送信する（ステップＳ６２５２）。その通信信号は、ステップＳ６２５３に示すように、中継サーバ３を経由して、転送される。ステップＳ６２５４の通信信号を受信したＰＳＴＮ（発）２０の加入者交換機のＵＵ情報回数集計部２６は、当該通知信号に格納してある発→着ＵＵ情報受信回数を、自身のカウントした着→発ＵＵ情報受信回数に加算して、ＵＵ情報回数情報２７に記憶しているＵＵ情報受信回数を更新する。
なお、ＰＳＴＮ−ＧＷ５は、受信した通知信号に対する応答として、通知応答信号（例えば、sipでは200）を加入者サーバ（着）２ｂに送信する（ステップＳ６２５５）。その通知応答信号は、ステップＳ６２５６に示すように、転送される。
【０１８２】
次に、図６３に示す、着側から切断する着側切断の動作フロー（ステップＳ６３０１〜Ｓ６３１１，Ｓ６３５２〜Ｓ６３５６）は、図６０に示すパターン番号「Ｆ４」の動作フロー（ステップＳ６００１〜Ｓ６０１１，Ｓ６０５２〜Ｓ６０５６）と同様であるので、相違点となる、ＵＵ情報通知判定部２５およびＵＵ情報回数集計部２６の処理について説明する。ステップＳ６３０５の切断信号を受信して、ＰＳＴＮ（発）２０の加入者交換機のＵＵ情報通知判定部２５は、ＵＵ情報通知許容／非許容の判定を実行し、ＵＵ情報通知許容の判定の場合、ＵＵ情報受信回数（着→発ＵＵ情報受信回数）のカウントを実行する。また、ステップＳ６３０８の応答確認信号を受信した加入者サーバ（着）２ｂのＵＵ情報通知判定部２５は、カウントしてある発→着ＵＵ情報受信回数を通知信号に格納して、ＰＳＴＮ−ＧＷ５に送信する（ステップＳ６３５２）。その通信信号は、ステップＳ６３５３に示すように、中継サーバ３を経由して、転送される。ステップＳ６３５４の通知信号を受信したＰＳＴＮ２０の加入者交換機のＵＵ情報回数集計部２６は、当該通知信号に格納してある発→着ＵＵ情報受信回数を、自身のカウントした着→発ＵＵ情報受信回数に加算して、ＵＵ情報回数情報２７に記憶しているＵＵ情報受信回数を更新する。
【０１８３】
なお、ＰＳＴＮ発→ＩＰ網着の場合は、発側のＰＳＴＮにＡＳ４を設置する構成は想定されないので、説明を省略する。
【０１８４】
以上、第１〜第６実施形態で説明したＩＳＤＮサービスを提供する構成では、ＩＰ網１０に、ＩＰ変換装置１、加入者サーバ２、中継サーバ３、ＡＳ４、およびＰＳＴＮ−ＧＷ５を備え、それぞれの装置に、ＰＳＴＮ２０で実現されていた機能を代替するように実行させることによって、ＩＳＤＮの加入者線インタフェースは既存のままとし、端末および宅内の接続構成を変更することなしに、ＩＰ網への収容替えを行うことができる。また、前記収容替えの過渡期においては、ＰＳＴＮの一部を徐々にＩＰ網に置き換えていくことも可能になる。
なお、第１〜第６実施形態においては、中継サーバ３を備えた構成として説明したが、中継サーバ３は必ずしも必須ではなく、加入者サーバ２同士が直結していても、加入者サーバ２とＰＳＴＮ−ＧＷ５とが直結していても構わない。
【符号の説明】
【０１８５】
１    ＩＰ変換装置
２    加入者サーバ
４    アプリケーションサーバ
５    ＰＳＴＮ−ＧＷ
１０  ＩＰ網
１１  dss1-ip変換部
１２  発ＩＤ網検証部
１３  発ＩＤ情報
１４  発ＩＤ通知決定部
１５  登録情報
１６  サブアドレス通知判定部
１７  着信部
１８  サブアドレス情報
１９  通信中機器移動判定部
２０  ＰＳＴＮ
２１  呼接続部
２５  ＵＵ情報通知判定部（情報通知判定部）
２６  ＵＵ情報回数集計部（情報回数集計部）
２７  ＵＵ情報回数情報（情報受信回数情報）
４１  料金即知判定部
４２  料金通知部
４３  単位料金情報
５１  isup-up変換部
【図１】
2011249888.tif 000003
【図２】
2011249888.tif 000004
【図３】
2011249888.tif 000005
【図４】
2011249888.tif 000006
【図５】
2011249888.tif 000007
【図６】
2011249888.tif 000008
【図７】
2011249888.tif 000009
【図８】
2011249888.tif 000010
【図９】
2011249888.tif 000011
【図１０】
2011249888.tif 000012
【図１１】
2011249888.tif 000013
【図１２】
2011249888.tif 000014
【図１３】
2011249888.tif 000015
【図１４】
2011249888.tif 000016
【図１５】
2011249888.tif 000017
【図１６】
2011249888.tif 000018
【図１７】
2011249888.tif 000019
【図１８】
2011249888.tif 000020
【図１９】
2011249888.tif 000021
【図２０】
2011249888.tif 000022
【図２１】
2011249888.tif 000023
【図２２】
2011249888.tif 000024
【図２３】
2011249888.tif 000025
【図２４】
2011249888.tif 000026
【図２５】
2011249888.tif 000027
【図２６】
2011249888.tif 000028
【図２７】
2011249888.tif 000029
【図２８】
2011249888.tif 000030
【図２９】
2011249888.tif 000031
【図３０】
2011249888.tif 000032
【図３１】
2011249888.tif 000033
【図３２】
2011249888.tif 000034
【図３３ａ】
2011249888.tif 000035
【図３３ｂ】
2011249888.tif 000036
【図３４】
2011249888.tif 000037
【図３５】
2011249888.tif 000038
【図３６】
2011249888.tif 000039
【図３７】
2011249888.tif 000040
【図３８】
2011249888.tif 000041
【図３９】
2011249888.tif 000042
【図４０】
2011249888.tif 000043
【図４１】
2011249888.tif 000044
【図４２】
2011249888.tif 000045
【図４３】
2011249888.tif 000046
【図４４】
2011249888.tif 000047
【図４５】
2011249888.tif 000048
【図４６】
2011249888.tif 000049
【図４７】
2011249888.tif 000050
【図４８】
2011249888.tif 000051
【図４９ａ】
2011249888.tif 000052
【図４９ｂ】
2011249888.tif 000053
【図５０】
2011249888.tif 000054
【図５１】
2011249888.tif 000055
【図５２】
2011249888.tif 000056
【図５３】
2011249888.tif 000057
【図５４】
2011249888.tif 000058
【図５５】
2011249888.tif 000059
【図５６】
2011249888.tif 000060
【図５７】
2011249888.tif 000061
【図５８】
2011249888.tif 000062
【図５９】
2011249888.tif 000063
【図６０】
2011249888.tif 000064
【図６１】
2011249888.tif 000065
【図６２】
2011249888.tif 000066
【図６３】
2011249888.tif 000067